(57)【要約】【課題】高輝度で、駆動耐久性に優れた白色発光の有機電界発光素子を提供する。【解決手段】一対の電極間に、２以上の発光ユニットと、前記２以上の発光ユニット間に介在する中間接触層とを有する有機電界発光素子であって、前記２以上の発光ユニットがそれぞれ独立に発光層を含む有機化合物層を有し、前記有機化合物層の少なくとも１層が３座以上の配位子を有する金属錯体を含有し、前記２以上の発光ユニットからの発光の混合による光が白色光であることを特徴とする有機電界発光素子。【選択図】なし【特許請求の範囲】
【請求項１】
一対の電極間に、２以上の発光ユニットと、前記２以上の発光ユニット間に介在する中間接触層とを有する有機電界発光素子であって、前記２以上の発光ユニットがそれぞれ独立に発光層を含む有機化合物層を有し、前記有機化合物層の少なくとも１層が３座以上の配位子を有する金属錯体を含有し、前記２以上の発光ユニットからの発光の混合による光が白色光であることを特徴とする有機電界発光素子。
【請求項２】
前記２以上の発光ユニットの内の少なくとも一つの発光ユニット（Ａ）が３座以上の配位子を有する金属錯体（ＡＸ）を含有し、該発光ユニット（Ａ）の発光のピーク波長が４３０ｎｍ以上５５０ｎｍ未満であり、前記２以上の発光ユニットの内の別の発光ユニット（Ｂ）が発する発光のピーク波長が５５０ｎｍ以上６５０ｎｍ以下であることを特徴とする請求項１に記載の有機電界発光素子。
【請求項３】
前記発光ユニット（Ｂ）が３座以上の配位子を有する金属錯体（ＢＸ）を含有することを特徴とする請求項２に記載の有機電界発光素子。
【請求項４】
前記２以上の発光ユニットのうち少なくとも一つの発光ユニット（Ｃ）が３座以上の配位子を有する金属錯体（ＣＸ）を含有し、該発光ユニット（Ｃ）の発光のピーク波長が４３０ｎｍ以上５００ｎｍ未満であり、前記２以上の発光ユニットの内の別の発光ユニット（Ｄ）が発する発光のピーク波長が５００ｎｍ以上５５０ｎｍ未満であり、前記２以上の発光ユニットの内の更に別の発光ユニット（Ｅ）が発する発光のピーク波長が５５０ｎｍ以上６５０ｎｍ以下であることを特徴とする請求項１に記載の有機電界発光素子。
【請求項５】
前記発光ユニット（Ｄ）が３座以上の配位子を有する金属錯体（ＤＸ）を含有することを特徴とする請求項４に記載の有機電界発光素子。
【請求項６】
前記発光ユニット（Ｄ）が３座以上の配位子を有する金属錯体（ＤＸ）を含有し、前記発光ユニット（Ｅ）が３座以上の配位子を有する金属錯体（ＥＸ）を含有することを特徴とする請求項５に記載の有機電界発光素子。
【請求項７】
前記３座以上の配位子を有する金属錯体が下記一般式（Ｉ）で表されることを特徴とする請求項１〜請求項６のいずれか１項に記載の有機電界発光素子：
【化１】
2009016184.tif 000075
（一般式（Ｉ）中、Ｍ１１は金属イオンを表し、Ｌ１１〜Ｌ１５はそれぞれＭ１１に配位する配位子を表す。Ｌ１１とＬ１４との間に原子群がさらに存在して環状配位子を形成してもよい。Ｌ１５はＬ１１及びＬ１４の両方と結合して環状配位子を形成してもよい。Ｙ１１、Ｙ１２、Ｙ１３はそれぞれ連結基、単結合、または二重結合を表す。また、Ｙ１１、Ｙ１２、又はＹ１３が連結基である場合、Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、それぞれ独立に、単結合又は二重結合を表す。ｎ１１は０〜４を表す。Ｍ１１とＬ１１〜Ｌ１５との結合は、それぞれ配位結合、イオン結合、共有結合のいずれでもよい。）。
【請求項８】
前記３座以上の配位子を有する金属錯体が、鎖状配位子を有する金属錯体であることを特徴とする請求項１〜請求項７のいずれか１項に記載の有機電界発光素子。
【請求項９】
前記３座以上の配位子を有する金属錯体が下記一般式（II）で表されることを特徴とする請求項１〜請求項６のいずれか１項に記載の有機電界発光素子：
【化２】
2009016184.tif 000076
（一般式（II）中、Ｍ８１は金属イオンを表す。Ｌ８１、Ｌ８２、Ｌ８３、及びＬ８５は、それぞれＭ８１に配位する配位子を表す。Ｙ８１、Ｙ８２は、それぞれ連結基、単結合、または二重結合を表す。Ｙ８１またはＹ８２が連結基である場合、Ｌ８１とＹ８１、Ｙ８１とＬ８２、Ｌ８２とＹ８２、Ｙ８２とＬ８３の間の結合は、それぞれ独立に、単結合又は二重結合を表す。ｎ８１は０〜５を表す。Ｍ８１とＬ８１〜Ｌ８３、及びＬ８５との結合は、それぞれ配位結合、イオン結合、共有結合のいずれでもよい。）。      
【請求項１０】
前記３座以上の配位子を有する金属錯体が下記一般式（III）で表されることを特徴とする請求項１〜請求項６のいずれか１項に記載の有機電界発光素子：
【化３】
2009016184.tif 000077
（一般式（III）中、Ｑ１１は含窒素へテロ環を形成する原子群を表し、Ｚ１１、Ｚ１２、Ｚ１３はそれぞれ置換又は無置換の、炭素原子又は窒素原子を表し、ＭＹ１は更に配位子を有しても良い金属イオンを表す。）。
【請求項１１】
前記３座以上の配位子を有する金属錯体における金属イオンが、遷移金属イオンであることを特徴とする請求項１〜請求項１０のいずれか１項に記載の有機電界発光素子。
【請求項１２】
前記３座以上の配位子を有する金属錯体における金属イオンが、イリジウムイオン、白金イオン、金イオン、レニウムイオン、タングステンイオン、ロジウムイオン、ルテニウムイオン、オスミウムイオン、パラジウムイオン、銀イオン、銅イオン、コバルトイオン、亜鉛イオン、ニッケルイオン、鉛イオン、アルミニウムイオン、及びガリウムイオンの群から選ばれる金属イオンであることを特徴とする請求項１〜請求項１１のいずれか１項に記載の有機電界発光素子。
【請求項１３】
前記３座以上の配位子を有する金属錯体中の金属イオンが、希土類金属イオンであることを特徴とする請求項１〜請求項１０のいずれか１項に記載の有機電界発光素子。
【請求項１４】
前記３座以上の配位子を有する金属錯体が燐光発光性化合物であることを特徴とする請求項１〜請求項１３のいずれか１項に記載の有機電界発光素子。
【請求項１５】
前記中間接触層が電荷発生層であることを特徴とする請求項１〜請求項１４のいずれか１項に記載の有機電界発光素子。
【請求項１６】
前記中間接触層がバイアス電圧を付与可能な内部電極であることを特徴とする請求項１〜請求項１５のいずれか１項に記載の有機電界発光素子。
【発明の詳細な説明】
【技術分野】
【０００１】
本発明は、有機電界発光素子（以下、「有機ＥＬ素子」ともいう。）に関するものである。特に、照明光源として好ましい白色光を提供する有機ＥＬ素子に関するものである。
【背景技術】
【０００２】
有機電界発光（ＥＬ）素子は、低電圧で高輝度の発光を得ることができるため、有望な表示素子として注目されている。有機電界発光素子は、発光層もしくは発光層を含む複数の有機層を挟んだ対向電極から構成されており、陰極から注入された電子と陽極から注入された正孔が発光層において再結合し、生成した励起子からの発光を利用するもの、又は前記励起子からエネルギー移動によって生成する他の分子の励起子からの発光を利用するものである。
【０００３】
有機ＥＬ素子は自発光の面光源であることから、照明光源、液晶ディスプレイのバックライトなどが有機ＥＬ素子の用途として挙げられる。これらの用途として用いる場合、高輝度で、高耐久性で発光することが必要となる。
ところが、有機ＥＬ素子の発光材料として燐光材料を用いると、数千ｃｄ／ｍ２以上の高輝度で発光させた場合、低輝度時と比較して、外部量子効率が大きく減少することが一般的に知られている。例えば、発光材料としてＩｒ（ｐｐｙ）３（トリス（２−フェニルピリジン）イリジウム）を用いた場合、数百ｃｄ／ｍ２の輝度で発光させた場合と比較して、数千ｃｄ／ｍ２の輝度で発光させた場合の効率は大きく減少する。（例えば、非特許文献１参照。）
すなわち、燐光材料を含む有機ＥＬ素子を高輝度光源として用いると、高輝度で効率が低下するため、消費電力が上昇し、改善が望まれていた。
【０００４】
高輝度において高効率で、駆動耐久性を向上させる方法として、一対の電極間に、電荷発生層により仕切られた、発光素子の両電極を除いた発光ユニットを有する積層型の有機エレクトロルミネッセンス素子（マルチフォトン型と呼ばれることがある）が開示されている（例えば、特許文献１〜５参照。）。
【０００５】
有機ＥＬ素子を照明光源として用いる場合、白色光が求められる。白色光は単一の発光材料の発光では得難く、通常２以上の発光材料からの光の混合によって白色光を得ることが行われる。マルチフォトン型の構成により白色光を得ることは特許文献１に開示されているが、各発光ユニットの発光効率および駆動耐久性が低く、高輝度で白色光源としての利用に耐えられるものではなかった。
【非特許文献１】Ａｐｐｌｉｅｄ  Ｐｈｙｓｉｃｓ  Ｌｅｔｔｅｒｓ，１９９９，ｖｏｌ．７５，Ｎｏ．１，ｐ４．
【特許文献１】特開２００３−２７２８６０号公報
【特許文献２】特開平１１−３２９７４８号公報
【特許文献３】特開２００４−３９６１７号公報
【特許文献４】特表平１０−５０３８７８号公報
【特許文献５】特開２００７−１０３４９３号公報
【発明の開示】
【発明が解決しようとする課題】
【０００６】
本発明の目的は、高輝度で、駆動耐久性に優れた白色発光の有機電界発光素子を提供することにある。
【課題を解決するための手段】
【０００７】
前記実情に鑑み本発明者らは、鋭意研究を行ったところ、上記課題を解決しうることを見出し本発明を完成した。
即ち、本発明は下記の手段により達成されるものである。
【０００８】
＜１＞  一対の電極間に、２以上の発光ユニットと、前記２以上の発光ユニット間に介在する中間接触層とを有する有機電界発光素子であって、前記２以上の発光ユニットがそれぞれ独立に発光層を含む有機化合物層を有し、前記有機化合物層の少なくとも１層が３座以上の配位子を有する金属錯体を含有し、前記２以上の発光ユニットからの発光の混合による光が白色光であることを特徴とする有機電界発光素子。
＜２＞  前記２以上の発光ユニットの内の少なくとも一つの発光ユニット（Ａ）が３座以上の配位子を有する金属錯体（ＡＸ）を含有し、該発光ユニット（Ａ）の発光のピーク波長が４３０ｎｍ以上５５０ｎｍ未満であり、前記２以上の発光ユニットの内の別の発光ユニット（Ｂ）が発する発光のピーク波長が５５０ｎｍ以上６５０ｎｍ以下であることを特徴とする＜１＞に記載の有機電界発光素子。
＜３＞  前記発光ユニット（Ｂ）が３座以上の配位子を有する金属錯体（ＢＸ）を含有することを特徴とする＜２＞に記載の有機電界発光素子。
＜４＞  前記２以上の発光ユニットのうち少なくとも一つの発光ユニット（Ｃ）が３座以上の配位子を有する金属錯体（ＣＸ）を含有し、該発光ユニット（Ｃ）の発光のピーク波長が４３０ｎｍ以上５００ｎｍ未満であり、前記２以上の発光ユニットの内の別の発光ユニット（Ｄ）が発する発光のピーク波長が５００ｎｍ以上５５０ｎｍ未満であり、前記２以上の発光ユニットの内の更に別の発光ユニット（Ｅ）が発する発光のピーク波長が５５０ｎｍ以上６５０ｎｍ以下であることを特徴とする＜１＞に記載の有機電界発光素子。
＜５＞  前記発光ユニット（Ｄ）が３座以上の配位子を有する金属錯体（ＤＸ）を含有することを特徴とする＜４＞に記載の有機電界発光素子。
＜６＞  前記発光ユニット（Ｄ）が３座以上の配位子を有する金属錯体（ＤＸ）を含有し、前記発光ユニット（Ｅ）が３座以上の配位子を有する金属錯体（ＥＸ）を含有することを特徴とする＜５＞に記載の有機電界発光素子。
＜７＞  前記３座以上の配位子を有する金属錯体が下記一般式（Ｉ）で表されることを特徴とする＜１＞〜＜６＞のいずれか１項に記載の有機電界発光素子：
【０００９】
【化１】
2009016184.tif 000002
【００１０】
（一般式（Ｉ）中、Ｍ１１は金属イオンを表し、Ｌ１１〜Ｌ１５はそれぞれＭ１１に配位する配位子を表す。Ｌ１１とＬ１４との間に原子群がさらに存在して環状配位子を形成してもよい。Ｌ１５はＬ１１及びＬ１４の両方と結合して環状配位子を形成してもよい。Ｙ１１、Ｙ１２、Ｙ１３はそれぞれ連結基、単結合、または二重結合を表す。また、Ｙ１１、Ｙ１２、又はＹ１３が連結基である場合、Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、それぞれ独立に、単結合又は二重結合を表す。ｎ１１は０〜４を表す。Ｍ１１とＬ１１〜Ｌ１５との結合は、それぞれ配位結合、イオン結合、共有結合のいずれでもよい。）。
＜８＞  前記３座以上の配位子を有する金属錯体が、鎖状配位子を有する金属錯体であることを特徴とする＜１＞〜＜７＞のいずれか１項に記載の有機電界発光素子。
＜９＞前記３座以上の配位子を有する金属錯体が下記一般式（II）で表されることを特徴とする＜１＞〜＜６＞のいずれか１項に記載の有機電界発光素子：
【００１１】
【化２】
2009016184.tif 000003
【００１２】
（一般式（II）中、Ｍ８１は金属イオンを表す。Ｌ８１、Ｌ８２、Ｌ８３、及びＬ８５は、それぞれＭ８１に配位する配位子を表す。Ｙ８１、Ｙ８２は、それぞれ連結基、単結合、または二重結合を表す。Ｙ８１またはＹ８２が連結基である場合、Ｌ８１とＹ８１、Ｙ８１とＬ８２、Ｌ８２とＹ８２、Ｙ８２とＬ８３の間の結合は、それぞれ独立に、単結合又は二重結合を表す。ｎ８１は０〜５を表す。Ｍ８１とＬ８１〜Ｌ８３、及びＬ８５との結合は、それぞれ配位結合、イオン結合、共有結合のいずれでもよい。）。
＜１０＞  前記３座以上の配位子を有する金属錯体が下記一般式（III）で表されることを特徴とする＜１＞〜＜６＞のいずれか１項に記載の有機電界発光素子：
【化３】
2009016184.tif 000004
（一般式（III）中、Ｑ１１は含窒素へテロ環を形成する原子群を表し、Ｚ１１、Ｚ１２、Ｚ１３はそれぞれ置換又は無置換の、炭素原子又は窒素原子を表し、ＭＹ１は更に配位子を有しても良い金属イオンを表す。）。
＜１１＞  前記３座以上の配位子を有する金属錯体における金属イオンが、遷移金属イオンであることを特徴とする＜１＞〜＜１０＞のいずれか１項に記載の有機電界発光素子。
＜１２＞  前記３座以上の配位子を有する金属錯体における金属イオンが、イリジウムイオン、白金イオン、金イオン、レニウムイオン、タングステンイオン、ロジウムイオン、ルテニウムイオン、オスミウムイオン、パラジウムイオン、銀イオン、銅イオン、コバルトイオン、亜鉛イオン、ニッケルイオン、鉛イオン、アルミニウムイオン、及びガリウムイオンの群から選ばれる金属イオンであることを特徴とする＜１＞〜＜１１＞のいずれか１項に記載の有機電界発光素子。
＜１３＞  前記３座以上の配位子を有する金属錯体中の金属イオンが、希土類金属イオンであることを特徴とする＜１＞〜＜１０＞のいずれか１項に記載の有機電界発光素子。
＜１４＞  前記３座以上の配位子を有する金属錯体が燐光発光性化合物であることを特徴とする＜１＞〜＜１３＞のいずれか１項に記載の有機電界発光素子。
＜１５＞  前記中間接触層が電荷発生層であることを特徴とする＜１＞〜＜１４＞のいずれか１項に記載の有機電界発光素子。
＜１６＞  前記中間接触層がバイアス電圧を付与可能な内部電極であることを特徴とする＜１＞〜＜１５＞のいずれか１項に記載の有機電界発光素子。
【発明の効果】
【００１３】
本発明によれば、高輝度で、駆動耐久性に優れた白色発光の有機電界発光素子を提供することができる。
【発明を実施するための最良の形態】
【００１４】
本発明の有機電界発光素子は、一対の電極間に、２以上の発光ユニットと、前記２以上の発光ユニット間に介在する中間接触層とを有する有機電界発光素子であって、前記２以上の発光ユニットがそれぞれ独立に発光層を含む有機化合物層を有し、前記有機化合物層の少なくとも１層が３座以上の配位子を有する金属錯体を含有し、前記２以上の発光ユニットからの発光の混合による光が白色光であることを特徴とする。
【００１５】
本発明における白色光とは、一般に照明光源あるいは液晶モニターやデイスプレイのバックライト光源として利用し得る範囲での白色光を意味するのであって、厳密な色彩再現学における色度空間図で表される白色点を意味するものではない。例えば、青色味を帯びた冷調の白色光、タングステン光に代表される温調な白色光、各種ハロゲンランプ等で得られる黄色調〜紫色調などの光も本発明における白色光の範囲内である。
【００１６】
好ましくは、発光ユニットが少なくとも２ユニット有し、その一つの発光ユニット（Ａ）が３座以上の配位子を有する金属錯体（ＡＸ）を含有し、該発光ユニット（Ａ）の発光のピーク波長が４３０ｎｍ以上５５０ｎｍ未満であり、もう一つの発光ユニット（Ｂ）が発する発光のピーク波長が５５０ｎｍ以上６５０ｎｍ以下である。より好ましくは、該発光ユニット（Ｂ）も３座以上の配位子を有する金属錯体（ＢＸ）を含有する。
別の好ましい態様は、発光ユニットが少なくとも３ユニット有し、その一つの発光ユニット（Ｃ）が３座以上の配位子を有する金属錯体（ＣＸ）を含有し、該発光ユニット（Ｃ）の発光のピーク波長が４３０ｎｍ以上５００ｎｍ未満であり、別の発光ユニット（Ｄ）を有し、その発光のピーク波長が５００ｎｍ以上５５０ｎｍ未満であり、さらに別の発光ユニット（Ｅ）を有し、その発光のピーク波長が５５０ｎｍ以上６５０ｎｍ以下である。より好ましくは、該発光ユニット（Ｄ）が３座以上の配位子を有する金属錯体（ＤＸ）を含有する。さらに好ましくは、該発光ユニット（Ｄ）が３座以上の配位子を有する金属錯体（ＤＸ）を含有し、且つ該発光ユニット（Ｅ）も３座以上の配位子を有する金属錯体（ＥＸ）を含有する。
本発明に用いられる３座以上の配位子を有する金属錯体は、好ましくは、下記一般式（Ｉ）で表される化合物、下記一般式（II）で表される化合物、もしくは下記一般式（III）で表される化合物より選ばれる化合物である。
【００１７】
【化４】
2009016184.tif 000005
【００１８】
（一般式（Ｉ）中、Ｍ１１は金属イオンを表し、Ｌ１１〜Ｌ１５はそれぞれＭ１１に配位する配位子を表す。Ｌ１１とＬ１４との間に原子群がさらに存在して環状配位子を形成してもよい。Ｌ１５はＬ１１及びＬ１４の両方と結合して環状配位子を形成してもよい。Ｙ１１、Ｙ１２、Ｙ１３はそれぞれ連結基、単結合、または二重結合を表す。また、Ｙ１１、Ｙ１２、又はＹ１３が連結基である場合、Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、それぞれ独立に、単結合又は二重結合を表す。ｎ１１は０〜４を表す。Ｍ１１とＬ１１〜Ｌ１５との結合は、それぞれ配位結合、イオン結合、共有結合のいずれでもよい。）。
【００１９】
【化５】
2009016184.tif 000006
【００２０】
（一般式（II）中、Ｍ８１は金属イオンを表す。Ｌ８１、Ｌ８２、Ｌ８３、及びＬ８５は、それぞれＭ８１に配位する配位子を表す。Ｙ８１、Ｙ８２は、それぞれ連結基、単結合、または二重結合を表す。Ｙ８１またはＹ８２が連結基である場合、Ｌ８１とＹ８１、Ｙ８１とＬ８２、Ｌ８２とＹ８２、Ｙ８２とＬ８３の間の結合は、それぞれ独立に、単結合又は二重結合を表す。ｎ８１は０〜５を表す。Ｍ８１とＬ８１〜Ｌ８３、及びＬ８５との結合は、それぞれ配位結合、イオン結合、共有結合のいずれでもよい。）。
【００２１】
【化６】
2009016184.tif 000007
【００２２】
（一般式（III）中、Ｑ１１は含窒素へテロ環を形成する原子群を表し、Ｚ１１、Ｚ１２、Ｚ１３はそれぞれ置換又は無置換の、炭素原子又は窒素原子を表し、ＭＹ１は更に配位子を有しても良い金属イオンを表す。）。
本発明に於いて特に好ましくは、鎖状配位子を有する金属錯体である。
好ましくは、前記３座以上の配位子を有する金属錯体における金属イオンが、遷移金属イオンもしくは希土類金属イオンである。
好ましくは、前記３座以上の配位子を有する金属錯体が燐光発光性化合物である。
本発明に於ける前記中間接触層は、好ましくは電荷発生層もしくは内部電極である。
【００２３】
本発明の有機電界発光素子は上記構成とすることにより、高輝度で、駆動耐久性に優れた白色発光の有機電界発光素子を得ることができる。
【００２４】
まず、本発明中の前記３座以上の配位子を有する金属錯体について説明する。
該金属錯体において金属イオンに配位する原子は特に限定されないが、酸素原子、窒素原子、炭素原子、硫黄原子又はリン原子が好ましく、酸素原子、窒素原子又は炭素原子がより好ましく、窒素原子又は炭素原子が更に好ましい。
【００２５】
金属錯体中の金属イオンは、特に限定されないが、発光効率向上、耐久性向上、駆動電圧低下の観点から、遷移金属イオン、希土類金属イオンであることが好ましく、より好ましくは、イリジウムイオン、白金イオン、金イオン、レニウムイオン、タングステンイオン、ロジウムイオン、ルテニウムイオン、オスミウムイオン、パラジウムイオン、銀イオン、銅イオン、コバルトイオン、亜鉛イオン、ニッケルイオン、鉛イオン、アルミニウムイオン、ガリウムイオン、希土類金属イオン（例えば、ユーロピウムイオン、ガドリニウムイオン、テルビウムイオンなど）が好ましく、更に好ましくは、イリジウムイオン、白金イオン、金イオン、レニウムイオン、タングステンイオン、パラジウムイオン、亜鉛イオン、アルミニウムイオン、ガリウムイオン、ユーロピウムイオン、カドリニウムイオン、テルビウムイオンであり、該金属錯体を発光材料として用いる場合には、イリジウムイオン、白金イオン、レニウムイオン、タングステンイオン、ユーロピウムイオン、ガドリニウムイオン、テルビウムイオンが特に好ましく、該金属錯体を電荷輸送材料や発光層中のホスト材料として用いる場合には、イリジウムイオン、白金イオン、パラジウムイオン、亜鉛イオン、アルミニウムイオン、ガリウムイオンが特に好ましい。
【００２６】
本発明における３座以上の配位子を有する金属錯体としては、発光効率向上、耐久性向上の観点から、３座以上６座以下の配位子を有する金属錯体が好ましく、イリジウムイオンに代表される６配位型錯体を形成しやすい金属イオンの場合には、３座、４座、または６座の配位子を有する金属錯体がより好ましく、白金イオンに代表される４配位型錯体を形成しやすい金属イオンの場合には、３座または４座の配位子を有する金属錯体がより好ましく、４座の配位子を有する金属錯体が更に好ましい。
【００２７】
本発明における金属錯体の配位子は発光効率向上、耐久性向上の観点から、鎖状、又は、環状であることが好ましく、中心金属（例えば、後述する一般式（Ｉ）で表される化合物の場合であればＭ１１を表す。）に窒素で配位する含窒素へテロ環（例えば、ピリジン環、キノリン環、ピリミジン環、ピラジン環、ピロール環、イミダゾール環、ピラゾール環、オキサゾール環、チアゾール環、オキサジアゾール環、チアジアゾール環、トリアゾール環など）を少なくとも一つ有することが好ましい。該含窒素ヘテロ環としては、含窒素６員ヘテロ環、含窒素５員ヘテロ環であることがより好ましい。これらのヘテロ環は他の環と縮合環を形成してもよい。
【００２８】
金属錯体の配位子が鎖状であるとは、金属錯体の配位子が環状構造をとらないことを意味する（例えば、ターピリジル配位子、２，６−ジフェニルピリジン配位子など。）。また、金属錯体の配位子が環状であるとは、金属錯体中の複数の配位子が互いに結合して、閉じた構造形成することを意味する（例えば、フタロシアニン配位子、クラウンエーテル配位子など。）。
【００２９】
本発明における金属錯体としては、以下に詳述する一般式（Ｉ）、一般式（II）または一般式（III）で表される化合物であることが好ましい。
【００３０】
先ず、一般式（Ｉ）で表される化合物について説明する。
【００３１】
【化７】
2009016184.tif 000008
【００３２】
一般式（Ｉ）中、Ｍ１１は金属イオンを表し、Ｌ１１〜Ｌ１５はそれぞれＭ１１に配位する配位子を表す。Ｌ１１とＬ１４との間に原子群がさらに存在して環状配位子を形成してもよい。Ｌ１５はＬ１１及びＬ１４の両方と結合して環状配位子を形成してもよい。Ｙ１１、Ｙ１２、Ｙ１３はそれぞれ連結基、単結合、または二重結合を表す。また、Ｙ１１、Ｙ１２、又はＹ１３が連結基である場合、Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、それぞれ独立に、単結合又は二重結合を表す。ｎ１１は０〜４を表す。Ｍ１１とＬ１１〜Ｌ１５との結合は、それぞれ配位結合、イオン結合、共有結合のいずれでもよい。
【００３３】
一般式（Ｉ）で表される化合物について詳細に説明する。
一般式（Ｉ）中、Ｍ１１は金属イオンを表す。金属イオンとしては特に限定されないが、２価または３価の金属イオンが好ましい。２価または３価の金属イオンとしては、白金イオン、イリジウムイオン、レニウムイオン、パラジウムイオン、ロジウムイオン、ルテニウムイオン、銅イオン、ユーロピウムイオン、ガドリニウムイオン、テルビウムイオンが好ましく、白金イオン、イリジウムイオン、ユーロピウムイオンがより好ましく、白金イオン、イリジウムイオンがさらに好ましく、白金イオンが特に好ましい。
【００３４】
一般式（Ｉ）中、Ｌ１１、Ｌ１２、Ｌ１３、及びＬ１４は、それぞれ独立に、Ｍ１１に配位する配位子を表す。Ｌ１１、Ｌ１２、Ｌ１３、及びＬ１４に含まれ、かつ、Ｍ１１に配位する原子としては、窒素原子、酸素原子、硫黄原子、炭素原子、又はリン原子が好ましく、窒素原子、酸素原子、硫黄原子、又は炭素原子がより好ましく、窒素原子、酸素原子、又は炭素原子が更に好ましい。
【００３５】
Ｍ１１とＬ１１、Ｌ１２、Ｌ１３、及びＬ１４でそれぞれ形成される結合は、それぞれ独立に、共有結合であってもイオン結合であっても配位結合であってもよい。本発明における配位子とは、説明の便宜上、配位結合のみならず他のイオン結合、共有結合により形成された場合においても用いるものとする。
Ｌ１１、Ｙ１２、Ｌ１２、Ｙ１１、Ｌ１３、Ｙ１３、及びＬ１４から成る配位子は、アニオン性配位子（少なくとも一つのアニオンが金属と結合する配位子）であることが好ましい。アニオン性配位子中のアニオンの数は、１〜３が好ましく、１、２がより好ましく、２がさらに好ましい。
【００３６】
Ｍ１１に炭素原子で配位するＬ１１、Ｌ１２、Ｌ１３、及びＬ１４としては、特に限定されないが、それぞれ独立にイミノ配位子、芳香族炭素環配位子（例えばベンゼン配位子、ナフタレン配位子、アントラセン配位子、フェナントラセン配位子など）、ヘテロ環配位子（例えばフラン配位子、チオフェン配位子、ピリジン配位子、ピラジン配位子、ピリミジン配位子、チアゾール配位子、オキサゾール配位子、ピロール配位子、イミダゾール配位子、ピラゾール配位子、及び、それらを含む縮環体（例えばキノリン配位子、ベンゾチアゾール配位子など）およびこれらの互変異性体）が挙げられる。
【００３７】
Ｍ１１に窒素原子で配位するＬ１１、Ｌ１２、Ｌ１３、及びＬ１４としては特に限定されないが、それぞれ独立に、含窒素へテロ環配位子（例えば、ピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子、オキサジアゾール配位子、チアジアゾール配位子、及び、それらを含む縮環体（例えば、キノリン配位子、ベンズオキサゾール配位子、ベンズイミダゾール配位子など）、及び、これらの互変異性体（なお、本発明では通常の異性体以外に次のような例も互変異性体と定義する。例えば、特開２００７−１０３４９３化合物番号「化２４」に記載の例示化合物（２４）の５員ヘテロ環配位子、化合物番号「化２８」に記載の例示化合物（６４）の末端５員ヘテロ環配位子、化合物番号「化３７」に記載の例示化合物（１４５）の５員ヘテロ環配位子もピロール互変異性体と定義する。）など、アミノ配位子（アルキルアミノ配位子（好ましくは炭素数２〜３０、より好ましくは炭素数２〜２０、特に好ましくは炭素数２〜１０であり、例えばメチルアミノなどが挙げられる。）、アリールアミノ配位子（例えばフェニルアミノなどが挙げられる。）、アシルアミノ配位子（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ配位子（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ配位子（好ましくは炭素数７〜３０、より好ましくは炭素数７〜２０、特に好ましくは炭素数７〜１２であり、例えばフェニルオキシカルボニルアミノなどが挙げられる。）、スルホニルアミノ配位子（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、イミノ配位子など）が挙げられる。これらの配位子はさらに置換されていてもよい。
【００３８】
Ｍ１１に酸素原子で配位するＬ１１、Ｌ１２、Ｌ１３、及びＬ１４としては特に限定されないが、それぞれ独立に、アルコキシ配位子（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ配位子（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ配位子（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシルオキシ配位子（好ましくは炭素数２〜３０、より好ましくは炭素数２〜２０、特に好ましくは炭素数２〜１０であり、例えばアセトキシ、ベンゾイルオキシなどが挙げられる。）、シリルオキシ配位子（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、カルボニル配位子（例えばケトン配位子、エステル配位子、アミド配位子など）、エーテル配位子（例えばジアルキルエーテル配位子、ジアリールエーテル配位子、フリル配位子など）などが挙げられる。これらの配位子は更に置換されていてもよい。
【００３９】
Ｍ１１に硫黄原子で配位するＬ１１、Ｌ１２、Ｌ１３、及びＬ１４としては特に限定されないが、それぞれ独立に、アルキルチオ配位子（好ましくは炭素数１〜３０、より好ましくは炭素数１〜２０、特に好ましくは炭素数１〜１２であり、例えばメチルチオ、エチルチオなどが挙げられる。）、アリールチオ配位子（好ましくは炭素数６〜３０、より好ましくは炭素数６〜２０、特に好ましくは炭素数６〜１２であり、例えばフェニルチオなどが挙げられる。）、ヘテロ環チオ配位子（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、チオカルボニル配位子（例えばチオケトン配位子、チオエステル配位子など）、又はチオエーテル配位子（例えばジアルキルチオエーテル配位子、ジアリールチオエーテル配位子、チオフリル配位子など）などが挙げられる。これらの置換配位子は更に置換されてもよい。
【００４０】
Ｍ１１にリン原子で配位するＬ１１、Ｌ１２、Ｌ１３、及びＬ１４としては特に限定されないが、それぞれ独立に、ジアルキルホスフィノ配位子、ジアリールホスフィノ配位子、トリアルキルホスフィン配位子、トリアリールホスフィン配位子、ホスフィニン配位子等があげられる。これらの配位子は更に置換されてもよい。
【００４１】
Ｌ１１及びＬ１４は、それぞれ独立に、芳香族炭素環配位子、アルキルオキシ配位子、アリールオキシ配位子、エーテル配位子、アルキルチオ配位子、アリールチオ配位子、アルキルアミノ配位子、アリールアミノ配位子、アシルアミノ配位子、含窒素へテロ環配位子（例えばピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子、オキサジアゾール配位子、チアジアゾール配位子、又は、それらを含む縮環配位子体（例えば、キノリン配位子、キノキサリン配位子、フタラジン配位子、ベンズオキサゾール配位子、ベンズイミダゾール配位子など）、又は、これらの互変異性体など）が好ましく、芳香族炭素環配位子、アリールオキシ配位子、アリールチオ配位子、アリールアミノ配位子、並びにピリジン配位子、ピラジン配位子、ピラゾール配位子、イミダゾール配位子、又は、それらを含む縮環配位子体（例えば、キノリン配位子、キノキサリン配位子、フタラジン配位子、ベンズイミダゾール配位子など）、又は、これらの互変異性体がより好ましく、芳香族炭素環配位子、アリールオキシ配位子、アリールチオ配位子、アリールアミノ配位子、並びにピリジン配位子、ピラジン配位子、ピラゾール配位子、イミダゾール配位子、又は、それらを含む縮環配位子体がさらに好ましく、芳香族炭素環配位子、アリールオキシ配位子、並びにピリジン配位子、ピラジン配位子、ピラゾール配位子、イミダゾール配位子、又は、それらを含む縮環配位子体が特に好ましい。
【００４２】
Ｌ１２及びＬ１３は、それぞれ独立に、Ｍ１１と配位結合を形成する配位子が好ましく、Ｍ１１と配位結合を形成する配位子としては、ピリジン環、ピラジン環、ピリミジン環、トリアジン環、チアゾール環、オキサゾール環、ピロール環、トリアゾール環、及び、それらを含む縮環体（例えば、キノリン環、キノキサリン配位子、フタラジン配位子、ベンズオキサゾール環、ベンズイミダゾール環、インドレニン環など）及び、これらの互変異性体が好ましく、ピリジン環、ピラジン環、ピリミジン環、ピロール環、及び、それらを含む縮環体（例えば、キノリン環、キノキサリン環、フタラジン環、、インドール環など）、及び、これらの互変異性体がより好ましく、ピリジン環、ピラジン環、ピリミジン環、及び、それらを含む縮環体（例えば、キノリン環など）がさらに好ましく、ピリジン環、及び、ピリジン環を含む縮環体（例えば、キノリン環など）が特に好ましい。
【００４３】
一般式（Ｉ）中、Ｌ１５はＭ１１に配位する配位子を表す。Ｌ１５は１〜４座の配位子が好ましく、１〜４座のアニオン性配位子がより好ましい。１〜４座のアニオン性配位子としては特に限定されないが、ハロゲン配位子、１，３−ジケトン配位子（例えば、アセチルアセトン配位子など）、ピリジン配位子を含有するモノアニオン性２座配位子（例えば、ピコリン酸配位子、２−（２−ヒドロキシフェニル）−ピリジン配位子など）、Ｌ１１、Ｙ１２、Ｌ１２、Ｙ１１、Ｌ１３、Ｙ１３、Ｌ１４で形成される４座配位子が好ましく、１，３−ジケトン配位子（例えば、アセチルアセトン配位子など）、ピリジン配位子を含有するモノアニオン性２座配位子（例えばピコリン酸配位子、２−（２−ヒドロキシフェニル）−ピリジン配位子など）、Ｌ１１、Ｙ１２、Ｌ１２、Ｙ１１、Ｌ１３、Ｙ１３、Ｌ１４で形成される４座配位子がより好ましく、１，３−ジケトン配位子（例えば、アセチルアセトン配位子など）、ピリジン配位子を含有するモノアニオン性２座配位子（例えば、ピコリン酸配位子、２−（２−ヒドロキシフェニル）−ピリジン配位子など）がさらに好ましく、１，３−ジケトン配位子（例えば、アセチルアセトン配位子など）が特に好ましい。配位座の数、及び配位子の数が、金属の配位数を上回ることはない。但し、Ｌ１５はＬ１１及びＬ１４の両方と結合して環状配位子を形成することはない。
【００４４】
一般式（Ｉ）中、Ｙ１１、Ｙ１２、及びＹ１３は、それぞれ独立に、連結基、単結合、または二重結合を表す。連結基としては、特に限定されないが、例えば、炭素原子、窒素原子、酸素原子、硫黄原子、ケイ素原子、リン原子から選択される原子を含んで構成される連結基が好ましい。このような連結基の具体例としては、例えば下記のものが挙げられる。
【００４５】
【化８】
2009016184.tif 000009
【００４６】
また、Ｙ１１、Ｙ１２、又はＹ１３が連結基である場合、Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、それぞれ独立に、単結合又は二重結合を表す。
【００４７】
Ｙ１１、Ｙ１２、及びＹ１３は、それぞれ独立に、単結合、二重結合、カルボニル連結基、アルキレン連結基、アルケニレン基、アミノ連結基が好ましい。Ｙ１１は、単結合、アルキレン基、アミノ連結基がより好ましく、アルキレン基がさらに好ましい。Ｙ１２及びＹ１３は、単結合、アルケニレン基がより好ましく、単結合がさらに好ましい。
【００４８】
Ｙ１２、Ｌ１１、Ｌ１２、及びＭ１１で形成される環、Ｙ１１、Ｌ１２、Ｌ１３、及びＭ１１で形成される環、Ｙ１３、Ｌ１３、Ｌ１４、及びＭ１１で形成される環は、それぞれ環員数４〜１０が好ましく、環員数５〜７がより好ましく、環員数５又は６がさらに好ましい。
【００４９】
一般式（Ｉ）中、ｎ１１は０〜４を表す。Ｍ１１が配位数４の金属の場合、ｎ１１は０であり、Ｍ１１が配位数６の金属の場合、ｎ１１は１、２が好ましく、１がより好ましい。Ｍ１１が配位数６でｎ１１が１の場合Ｌ１５は２座配位子を表し、Ｍ１１が配位数６でｎ１１が２の場合Ｌ１５は単座配位子を表す。Ｍ１１が配位数８の金属の場合、ｎ１１は１〜４が好ましく、１、２がより好ましく、１がより好ましい。Ｍ１１が配位数８でｎ１１が１の場合Ｌ１５は４座配位子を表し、Ｍ１１が配位数８でｎ１１が２の場合Ｌ１５は２座配位子を表す。ｎ１１が複数のときは、複数のＬ１５は同じであっても異なっていてもよい。
【００５０】
前記一般式（Ｉ）で表される化合物の好ましい形態は、以下に挙げる、一般式（１）、一般式（２）、一般式（３）、一般式（４）及び一般式（５）で表される各化合物である。
一般式（１）で表される化合物について説明する。
【００５１】
【化９】
2009016184.tif 000010
【００５２】
一般式（１）中、Ｍ２１は金属イオンを表し、Ｙ２１は連結基、単結合、または二重結合を表す。Ｙ２２、Ｙ２３はそれぞれ単結合または連結基を表す。Ｑ２１、Ｑ２２はそれぞれ含窒素ヘテロ環を形成する原子群を表し、Ｑ２１で形成される環とＹ２１の間の結合およびＱ２２で形成される環とＹ２１の間の結合は、単結合または二重結合を表す。Ｘ２１、Ｘ２２は、それぞれ独立に、酸素原子、硫黄原子、置換または無置換の窒素原子を表す。Ｒ２１、Ｒ２２、Ｒ２３、及びＲ２４は、それぞれ独立に、水素原子又は置換基を表し、Ｒ２１及びＲ２２並びにＲ２３及びＲ２４は各々結合して環を形成してもよい。Ｌ２５はＭ２１に配位する配位子を表す。ｎ２１は０〜４の整数を表す。
【００５３】
一般式（１）について詳細に説明する。
一般式（１）中、Ｍ２１は、前記一般式（Ｉ）におけるＭ１１と同義であり、好ましい範囲も同じである。
【００５４】
Ｑ２１、Ｑ２２は、それぞれ独立に、含窒素へテロ環（Ｍ２１に配位する窒素を含む環）を形成する原子群を表す。Ｑ２１、Ｑ２２で形成される含窒素ヘテロ環としては特に限定されないが、例えば、ピリジン環、ピラジン環、ピリミジン環、ピリダジン環、トリアジン環、ピラゾール環、イミダゾール環、チアゾール環、オキサゾール環、ピロール環、トリアゾール環、及び、それらを含む縮環体（例えば、キノリン環、キノキサリン環、フタラジン環、インドール環、ベンズオキサゾール環、ベンズイミダゾール環、インドレニン環など）及び、これらの互変異性体が挙げられる。
【００５５】
Ｑ２１、Ｑ２２で形成される含窒素ヘテロ環としては、好ましくは、ピリジン環、ピラジン環、ピリミジン環、ピリダジン環、トリアジン環、ピラゾール環、イミダゾール環、オキサゾール環、ピロール環、及び、それらを含む縮環体（例えば、キノリン環、キノキサリン環、フタラジン環、インドール環、ベンズオキサゾール環、ベンズイミダゾール環など）及び、これらの互変異性体であり、より好ましくはピリジン環、ピラジン環、ピリミジン環、イミダゾール環、ピロール環、及び、それらを含む縮環体（例えば、キノリン環など）及び、これらの互変異性体であり、さらに好ましくは、ピリジン環、及び、その縮環体（例えば、キノリン環など）であり、特に好ましくはピリジン環である。
【００５６】
Ｘ２１、Ｘ２２は、それぞれ独立に、酸素原子、硫黄原子、置換または無置換の窒素原子であり、酸素原子、硫黄原子、置換された窒素原子がより好ましく、酸素原子、硫黄原子がさらに好ましく、酸素原子が特に好ましい。
【００５７】
Ｙ２１は、前記一般式（Ｉ）におけるＹ１１と同義であり、好ましい範囲も同じである。
【００５８】
Ｙ２２、Ｙ２３は、それぞれ独立に、単結合、連結基を表し、単結合が好ましい。連結基としては特に限定されないが、例えば、カルボニル連結基、チオカルボニル連結基、アルキレン基、アルケニレン基、アリーレン基、ヘテロアリーレン基、酸素原子連結基、窒素原子連結基、硫黄原子連結基、及び、これらの組み合わせからなる連結基などが挙げられる。
【００５９】
Ｙ２２又はＹ２３として表される連結基としては、カルボニル連結基、アルキレン連結基、アルケニレン連結基が好ましく、カルボニル連結基、アルケニレン連結基がより好ましく、カルボニル連結基がさらに好ましい。
【００６０】
Ｒ２１、Ｒ２２、Ｒ２３、及びＲ２４は、それぞれ独立に、水素原子または置換基を表す。置換基としては特に限定されないが、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、
【００６１】
アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、
【００６２】
アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【００６３】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、
【００６４】
リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。
【００６５】
Ｒ２１、Ｒ２２、Ｒ２３、及びＲ２４は、それぞれ独立に、アルキル基、アリール基、Ｒ２１とＲ２２またはＲ２３とＲ２４が結合して環構造（例えば、ベンゾ縮環、ピリジン縮環など）を形成する基が好ましく、Ｒ２１とＲ２２又はＲ２３とＲ２４が結合して環構造（例えばベンゾ縮環、ピリジン縮環など）を形成する基がより好ましい。
【００６６】
Ｌ２５は前記一般式（Ｉ）におけるＬ１５と同義であり、好ましい範囲も同じである。
【００６７】
ｎ２１は前記一般式（Ｉ）におけるｎ１１と同義であり、好ましい範囲も同じである。
【００６８】
一般式（１）において、Ｑ２１、Ｑ２２が形成する環がピリジン環のとき、Ｙ２１は連結基を表す金属錯体であること、Ｑ２１、Ｑ２２が形成する環がピリジン環で、Ｙ２１が単結合または二重結合で、Ｘ２１、Ｘ２２が硫黄原子、置換または無置換の窒素原子を表す金属錯体であること、或いは、Ｑ２１、Ｑ２２が形成する環が含窒素ヘテロ５員環、または、窒素原子を２つ以上含む含窒素６員環を表す金属錯体であることが好ましい。
【００６９】
前記一般式（１）で表される化合物の好ましい形態は、下記一般式（１−Ａ）で表される化合物である。
【００７０】
【化１０】
2009016184.tif 000011
【００７１】
一般式（１−Ａ）について説明する。
一般式（１−Ａ）中、Ｍ３１は、前記一般式（Ｉ）におけるＭ１１と同義であり、好ましい範囲も同じである。
【００７２】
Ｚ３１、Ｚ３２、Ｚ３３、Ｚ３４、Ｚ３５、及びＺ３６は、それぞれ独立に、置換または無置換の炭素原子、窒素原子を表し、置換または無置換の炭素原子がより好ましい。炭素上の置換基としては、前記一般式（１）におけるＲ２１で説明した基が挙げられ、また、Ｚ３１とＺ３２、Ｚ３２とＺ３３、Ｚ３３とＺ３４、Ｚ３４とＺ３５、Ｚ３５とＺ３６が連結基を介して結合し、縮環（例えば、ベンゾ縮環、ピリジン縮環など）を形成してもよく、Ｚ３１とＴ３１、Ｚ３６とＴ３８が連結基を介して結合し、縮環（例えば、ベンゾ縮環、ピリジン縮環など）を形成してもよい。
【００７３】
前記炭素上の置換基としては、アルキル基、アルコキシ基、アルキルアミノ基、アリール基、縮環（例えば、ベンゾ縮環、ピリジン縮環など）を形成する基、ハロゲン原子が好ましく、アルキルアミノ基、アリール基、縮環（例えば、ベンゾ縮環、ピリジン縮環など）を形成する基がより好ましく、アリール基、縮環（例えば、ベンゾ縮環、ピリジン縮環など）を形成する基がさらに好ましく、縮環（例えば、ベンゾ縮環、ピリジン縮環など）を形成する基が特に好ましい。
【００７４】
Ｔ３１、Ｔ３２、Ｔ３３、Ｔ３４、Ｔ３５、Ｔ３６、Ｔ３７、及びＴ３８は、それぞれ独立に、置換または無置換の炭素原子、窒素原子を表し、置換または無置換の炭素原子がより好ましい。炭素上の置換基としては、前記一般式（１）におけるＲ２１で説明した基が挙げられ、また、Ｔ３１とＴ３２、Ｔ３２とＴ３３、Ｔ３３とＴ３４、Ｔ３５とＴ３６、Ｔ３６とＴ３７、Ｔ３７とＴ３８が連結基を介して結合し、縮環（例えばベンゾ縮環、ピリジン縮環など）を形成しても良い。
【００７５】
前記炭素上の置換基としては、アルキル基、アルコキシ基、アルキルアミノ基、アリール基、縮環（例えば、ベンゾ縮環、ピリジン縮環など）を形成する基、ハロゲン原子が好ましく、アリール基、縮環（例えば、ベンゾ縮環、ピリジン縮環など）を形成する基、ハロゲン原子がより好ましく、アリール基、ハロゲン原子がさらに好ましく、アリール基が特に好ましい。
【００７６】
Ｘ３１、Ｘ３２は、それぞれ独立に、前記一般式（１）におけるＸ２１、Ｘ２２と同義であり、好ましい範囲も同じである。
【００７７】
一般式（２）で表される化合物について説明する。
【００７８】
【化１１】
2009016184.tif 000012
【００７９】
一般式（２）中、Ｍ５１は前記一般式（Ｉ）におけるＭ１１と同義であり、好ましい範囲も同じである。
【００８０】
Ｑ５１、Ｑ５２は、それぞれ独立に、前記一般式（１）におけるＱ２１、Ｑ２２と同義であり、好ましい範囲も同じである。
【００８１】
Ｑ５３、Ｑ５４は、それぞれ独立に、含窒素へテロ環（Ｍ５１に配位する窒素を含む環）を形成する基を表す。Ｑ５３、Ｑ５４で形成される含窒素ヘテロ環としては特に限定されないが、ピロール誘導体の互変異性体（例えば、特開２００７−１０３４９３化合物番号「化２４」に記載の例示化合物（２４）の５員ヘテロ環配位子、化合物番号「化２８」に記載の例示化合物（６４）の末端５員ヘテロ環配位子、化合物番号「化３７」に記載の例示化合物（１４５）の５員ヘテロ環配位子など）、イミダゾール誘導体の互変異性体（例えば、特開２００７−１０３４９３化合物番号「化２４」に記載の例示化合物（２９）のヘテロ５員環配位子など）、チアゾール誘導体の互変異性体（例えば、特開２００７−１０３４９３化合物番号「化２４」に記載の例示化合物（３０）のヘテロ５員環配位子など）、オキサゾール誘導体の互変異性体（例えば、特開２００７−１０３４９３化合物番号「化２４」に記載の例示化合物（３１）のヘテロ５員環配位子など）が好ましく、ピロール誘導体の互変異性体、イミダゾール誘導体の互変異性体、チアゾール誘導体の互変異性体がより好ましく、ピロール誘導体の互変異性体、イミダゾール誘導体の互変異性体がさらに好ましく、ピロール誘導体の互変異性体が特に好ましい。
【００８２】
Ｙ５１は前記一般式（Ｉ）におけるＹ１１と同義であり、好ましい範囲も同じである。
【００８３】
Ｌ５５は前記一般式（Ｉ）におけるＬ１５と同義であり、好ましい範囲も同じである。
【００８４】
ｎ５１は前記ｎ１１と同義であり、好ましい範囲も同じである。
【００８５】
Ｗ５１、Ｗ５２は、それぞれ独立に、置換または無置換の炭素原子、窒素原子を表し、無置換の炭素原子、窒素原子が好ましく、無置換の炭素原子がより好ましい。
【００８６】
一般式（３）で表される化合物について説明する。
【００８７】
【化１２】
2009016184.tif 000013
【００８８】
一般式（３）中、ＭＡ１、ＱＡ１、ＱＡ２、ＹＡ１、ＹＡ２、ＹＡ３、ＲＡ１、ＲＡ２、ＲＡ３、ＲＡ４、ＬＡ５、及びｎＡ１は、前記一般式（１）におけるＭ２１、Ｑ２１、Ｑ２２、Ｙ２１、Ｙ２２、Ｙ２３、Ｒ２１、Ｒ２２、Ｒ２３、Ｒ２４、Ｌ２５、及びｎ２１とそれぞれ同義であり、好ましい範囲も同じである。
【００８９】
前記一般式（３）で表される化合物の好ましい形態は、下記一般式（３−Ｂ）で表される化合物である。
【００９０】
一般式（３−Ｂ）で表される化合物について説明する。
【００９１】
【化１３】
2009016184.tif 000014
【００９２】
一般式（３−Ｂ）中、Ｍ７１は前記一般式（Ｉ）におけるＭ１１と同義であり、好ましい範囲も同じである。
【００９３】
Ｙ７１、Ｙ７２、及びＹ７３は、それぞれ一般式（１）におけるＹ２１、Ｙ２２、及びＹ２３と同義であり、好ましい範囲も同じである。
【００９４】
Ｌ７５は前記一般式（Ｉ）におけるＬ１５と同義であり、好ましい範囲も同じである。
【００９５】
ｎ７１は前記一般式（Ｉ）におけるｎ１１と同義であり、好ましい範囲も同じである。
【００９６】
Ｚ７１、Ｚ７２、Ｚ７３、Ｚ７４、Ｚ７５、及びＺ７６は、それぞれ独立に、置換または無置換の炭素原子、窒素原子を表し、置換または無置換の炭素原子が好ましい。炭素上の置換基としては、前記一般式（１）におけるＲ２１で説明した基が挙げられる。また、Ｒ７１とＲ７２、Ｒ７３とＲ７４が連結基を介して結合し、環（例えばベンゼン環、ピリジン環）を形成してもよい。Ｒ７１〜Ｒ７４は前記一般式（１）におけるＲ２１〜Ｒ２４の置換基と同義であり、好ましい範囲も同じである。
【００９７】
前記一般式（３−Ｂ）で表される化合物の好ましい形態は、下記一般式（３−Ｃ）で表される化合物である。
一般式（３−Ｃ）で表される化合物について説明する。
【００９８】
【化１４】
2009016184.tif 000015
【００９９】
一般式（３−Ｃ）中、ＲＣ１、ＲＣ２は、それぞれ独立に、水素原子または置換基を表し、置換基としては、前記一般式（１）におけるＲ２１ないしＲ２４の置換基として説明したアルキル基、アリール基、ヘテロ環基（これら基は更に置換されても良い。その場合の置換基としては例えば前記一般式（１）におけるＲ２１で表される置換基として挙げた基が適用できる。）、ハロゲン原子を表す。ＲＣ３、ＲＣ４、ＲＣ５、及びＲＣ６が表す置換基も前記一般式（１）におけるＲ２１ないしＲ２４の置換基と同義である。ｎＣ３、ｎＣ６は０〜３の整数、ｎＣ４、ｎＣ５は０〜４の整数を表し、ＲＣ３、ＲＣ４、ＲＣ５、ＲＣ６をそれぞれ複数個有する場合、複数個のＲＣ３、ＲＣ４、ＲＣ５、ＲＣ６は同じであっても異なってもよく、連結して環を形成してもよい。ＲＣ３、ＲＣ４、ＲＣ５、ＲＣ６は、好ましくはアルキル基、アリール基、ヘテロアリール基、シアノ基、ハロゲン原子である。
【０１００】
一般式（４）で表される化合物について説明する。
【０１０１】
【化１５】
2009016184.tif 000016
【０１０２】
一般式（４）中、ＭＢ１、ＹＢ２、ＹＢ３、ＲＢ１、ＲＢ２、ＲＢ３、ＲＢ４、ＬＢ５、ｎＢ３、ＸＢ１、及びＸＢ２は、前記一般式（１）におけるＭ２１、Ｙ２２、Ｙ２３、Ｒ２１、Ｒ２２、Ｒ２３、Ｒ２４、Ｌ２５、ｎ２１、Ｘ２１、及びＸ２２とそれぞれ同義であり好ましい範囲も同様である。
ＹＢ１は連結基を表し、前記一般式（１）におけるＹ２１と同様であり、好ましくは１，２位で置換したビニル基、フェニレン環、ピリジン環、ピラジン環、ピリミジン環または炭素数２〜８のアルキレン基を表す。
ＲＢ５、ＲＢ６は、それぞれ独立に、水素原子または置換基を表し、置換基としては前記一般式（１）におけるＲ２１ないしＲ２４の置換基として説明したアルキル基、アリール基、ヘテロ環基を表す。ただし、ＹＢ１はＲＢ５またはＲＢ６と連結することはない。ｎＢ１、ｎＢ２は、それぞれ独立に、０ないし１の整数を表す。
【０１０３】
前記一般式（４）で表される化合物の好ましい形態は、下記一般式（４−Ａ）で表される化合物である。
一般式（４−Ａ）で表される化合物について説明する。
【０１０４】
【化１６】
2009016184.tif 000017
【０１０５】
一般式（４−Ａ）中、ＲＤ３、ＲＤ４は、それぞれ独立に、水素原子または置換基を表し、ＲＤ１、ＲＤ２はそれぞれ置換基を表す。ＲＤ１、ＲＤ２、ＲＤ３、及びＲＤ４が表す置換基としては、前記一般式（４）におけるＲＢ５、ＲＢ６が表す置換基と同義であり、好ましい範囲も同様である。ｎＤ１、ｎＤ２は０〜４の整数を表し、ＲＤ１、ＲＤ２をそれぞれ複数個有する場合、複数個のＲＤ１、ＲＤ２は同じであっても異なってもよく、連結して環を形成してもよい。ＹＤ１は１，２位で置換したビニル基、フェニレン環、ピリジン環、ピラジン環、ピリミジン環または炭素数１〜８のアルキレン基を表す。
【０１０６】
一般式（５）で表される化合物について説明する
【０１０７】
【化１７】
2009016184.tif 000018
【０１０８】
一般式（５）中、Ｍ６１は、前記一般式（Ｉ）におけるＭ１１と同義であり、好ましい範囲も同じである。
【０１０９】
Ｑ６１、Ｑ６２は、それぞれ独立に、環を形成する基を表す。Ｑ６１、Ｑ６２で形成される環としては特に限定されないが、例えば、ベンゼン環、ピリジン環、ピリダジン環、ピリミジン環、チオフェン環、イソチアゾール環、フラン環、イソオキサゾ−ル環、及び、その縮環体が挙げられる。
【０１１０】
Ｑ６１、Ｑ６２で形成される環は、好ましくは、ベンゼン環、ピリジン環、チオフェン環、チアゾール環、及び、その縮環体であり、ベンゼン環、ピリジン環、及び、その縮環体がより好ましく、ベンゼン環、及び、その縮環体がさらに好ましい。
【０１１１】
Ｙ６１は前記一般式（Ｉ）におけるＹ１１と同義であり、好ましい範囲も同じである。
【０１１２】
Ｙ６２、Ｙ６３は、それぞれ独立に、連結基または単結合を表す。連結基としては特に限定されないが、例えば、カルボニル連結基、チオカルボニル連結基、アルキレン基、アルケニレン基、アリーレン基、ヘテロアリーレン基、酸素原子連結基、窒素原子連結基、及び、これらの組み合わせからなる連結基などが挙げられる。
【０１１３】
Ｙ６２、Ｙ６３は、それぞれ独立に、単結合、カルボニル連結基、アルキレン連結基、アルケニレン基が好ましく、単結合、アルケニレン基がより好ましく、単結合がさらに好ましい。
【０１１４】
Ｌ６５は前記一般式（Ｉ）におけるＬ１５と同義であり、好ましい範囲も同じである。
【０１１５】
ｎ６１は前記一般式（Ｉ）におけるｎ１１と同義であり、好ましい範囲も同じである。
【０１１６】
Ｚ６１、Ｚ６２、Ｚ６３、Ｚ６４、Ｚ６５、Ｚ６６、Ｚ６７、及びＺ６８は、それぞれ独立に、置換または無置換の炭素原子、窒素原子を表し、置換または無置換の炭素原子が好ましい。炭素上の置換基としては、前記一般式（１）におけるＲ２１で説明した基が挙げられ、また、Ｚ６１とＺ６２、Ｚ６２とＺ６３、Ｚ６３とＺ６４、Ｚ６５とＺ６６、Ｚ６６とＺ６７、Ｚ６７とＺ６８が連結基を介して結合し、縮環（例えば、ベンゾ縮環、ピリジン縮環など）を形成しても良い。Ｑ６１、Ｑ６２で形成される環がそれぞれＺ６１、Ｚ６８と連結基を介して結合し、環を形成してもよい。
【０１１７】
前記炭素上の置換基としては、アルキル基、アルコキシ基、アルキルアミノ基、アリール基、縮環（例えばベンゾ縮環、ピリジン縮環など）を形成する基、ハロゲン原子が好ましく、アルキルアミノ基、アリール基、縮環（例えばベンゾ縮環、ピリジン縮環など）を形成する基がより好ましく、アリール基、縮環（例えばベンゾ縮環、ピリジン縮環など）を形成する基がさらに好ましく、縮環（例えばベンゾ縮環、ピリジン縮環など）を形成する基が特に好ましい。
【０１１８】
本発明における３座配位子を有する金属錯体の好ましい形態は、下記一般式（II）で表される化合物である。
一般式（II）で表される化合物について説明する。
【０１１９】
【化１８】
2009016184.tif 000019
【０１２０】
一般式（II）中、Ｍ８１は前記一般式（Ｉ）におけるＭ１１と同義であり、好ましい範囲も同じである。
【０１２１】
Ｌ８１、Ｌ８２、及びＬ８３は、それぞれ独立に、前記一般式（Ｉ）におけるＬ１１、Ｌ１２、及びＬ１４と同義であり、好ましい範囲も同じである。
【０１２２】
Ｙ８１、Ｙ８２は、それぞれ独立に、前記一般式（Ｉ）におけるＹ１２、Ｙ１３と同義であり、好ましい範囲も同じである。
【０１２３】
Ｌ８５はＭ８１に配位する配位子を表す。Ｌ８５は１〜３座の配位子が好ましく、１〜３座のアニオン性配位子がより好ましい。１〜３座のアニオン性配位子としては特に限定されないが、ハロゲン配位子、Ｌ８１、Ｙ８１、Ｌ８２、Ｙ８２、及びＬ８３で形成される３座配位子が好ましく、Ｌ８１、Ｙ８１、Ｌ８２、Ｙ８２、及びＬ８３で形成される３座配位子がより好ましい。Ｌ８５が金属を介さずにＬ８１、Ｌ８３と連結することはない。配位座の数、及び配位子の数が、金属の配位数を上回ることはない。
【０１２４】
ｎ８１は０〜５を表す。Ｍ８１が配位数４の金属の場合、ｎ８１は１であり、Ｌ８５は単座配位子を表す。Ｍ８１が配位数６の金属の場合、ｎ８１は１〜３が好ましく、１、３がより好ましく、１がさらに好ましい。Ｍ８１が配位数６でｎ８１が１の場合Ｌ８５は３座配位子を表し、Ｍ８１が配位数６でｎ８１が２の場合Ｌ８５は単座配位子１つと２座配位子１つを表し、Ｍ８１が配位数６でｎ８１が３の場合Ｌ８５は単座配位子を表す。Ｍ８１が配位数８の金属の場合、ｎ８１は１〜５が好ましく、１、２がより好ましく、１がより好ましい。Ｍ８１が配位数８でｎ８１が１の場合Ｌ８５は５座配位子を表し、ｎ８１が２の場合Ｌ８５は３座配位子１つと２座配位子１つを表し、ｎ８１が３の場合Ｌ８５は３座配位子１つと単座配位子２つ、または、２座配位子２つと単座配位子１つを表し、ｎ８１が４の場合Ｌ８５は２座配位子１つと単座配位子３つを表し、ｎ８１が５の場合Ｌ８５は単座配位子５つを表す。ｎ８１が複数のときは、複数のＬ８５は同じであっても異なっていてもよい。
【０１２５】
前記一般式（II）の好ましい形態は、前記一般式（II）のＬ８１、Ｌ８２、及びＬ８３が炭素原子でＭ８１に配位する芳香族炭素環またはヘテロ環、または窒素原子でＭ８１に配位する含窒素ヘテロ環を表し、Ｌ８１、Ｌ８２、及びＬ８３のうち少なくとも一つが含窒素ヘテロ環である。これら炭素原子で配位する芳香族炭素環、ヘテロ環および窒素原子で配位する含窒素ヘテロ環は前記一般式（Ｉ）で説明したＭ１１に炭素原子で配位する配位子および窒素原子で配位する例が挙げられ、好ましい範囲も同様である。Ｙ８１、Ｙ８２は好ましくは単結合ないしはメチレン基を表す。
前記一般式（II）で表される化合物の他の好ましい形態は、下記一般式（II−Ａ）で表される化合物、及び下記一般式（II−Ｂ）で表される化合物である。
先ず、一般式（II−Ａ）で表される化合物について説明する。
【０１２６】
【化１９】
2009016184.tif 000020
【０１２７】
一般式（II−Ａ）中、Ｍ９１は前記一般式（II）におけるＭ８１と同義であり、好ましい範囲も同じである。
【０１２８】
Ｑ９１、Ｑ９２は含窒素へテロ環（Ｍ９１に配位する窒素を含む環）を形成する基を表す。Ｑ９１、Ｑ９２で形成される含窒素ヘテロ環としては特に限定されないが、例えば、ピリジン環、ピラジン環、ピリミジン環、ピリダジン環、トリアジン環、チアゾール環、オキサゾール環、ピロール環、ピラゾール環、イミダゾール環、トリアゾール環、及び、それらを含む縮環体（例えば、キノリン環、ベンズオキサゾール環、ベンズイミダゾール環、インドレニン環など）及び、これらの互変異性体が挙げられる。
【０１２９】
Ｑ９１、Ｑ９２で形成される含窒素ヘテロ環は、好ましくは、ピリジン環、ピラゾール環、チアゾール環、イミダゾール環、ピロール環、及び、それらを含む縮環体（例えば、キノリン環、ベンズチアゾール環、ベンズイミダゾール環、インドレニン環など）、及び、これらの互変異性体であり、より好ましくはピリジン環、ピロール環、及び、それらを含む縮環体（例えば、キノリン環など）、及び、これらの互変異性体、さらに好ましくは、ピリジン環、及び、それらを含む縮環体（例えば、キノリン環など）であり、特に好ましくはピリジン環である。
【０１３０】
Ｑ９３は含窒素へテロ環（Ｍ９１に配位する窒素を含む環）を形成する基を表す。Ｑ９３で形成される含窒素ヘテロ環としては特に限定されないが、ピロール環、イミダゾール環、トリアゾール環の互変異性体、及び、それらを含む縮環体（例えばベンズピロールなど）が好ましく、ピロール環の互変異性体及びピロール環を含む縮環体（例えばベンズピロールなど）の互変異性体がより好ましい。
【０１３１】
Ｗ９１、Ｗ９２は、それぞれ独立に、前記一般式（２）におけるＷ５１、Ｗ５２と同義であり、好ましい範囲も同じである。
【０１３２】
Ｌ９５は前記一般式（II）におけるＬ８５と同義であり、好ましい範囲も同じである。
【０１３３】
ｎ９１は前記一般式（II）におけるｎ８１と同義であり、好ましい範囲も同じである。
【０１３４】
一般式（II−Ｂ）で表される化合物について説明する。
【０１３５】
【化２０】
2009016184.tif 000021
【０１３６】
一般式（II−Ｂ）中、Ｍ１０１は、前記一般式（II）におけるＭ８１と同義であり、好まし範囲も同じである。
【０１３７】
Ｑ１０２は、前記一般式（１）におけるＱ２１と同義であり、好ましい範囲も同じである。
【０１３８】
Ｑ１０１は前記一般式（II−Ａ）におけるＱ９１と同義であり、好ましい範囲も同じである。
【０１３９】
Ｑ１０３は芳香環を形成する基を表す。Ｑ１０３で形成される芳香環としては特に限定されないが、ベンゼン環、フラン環、チオフェン環、ピロール環、及び、それらを含む縮環体（例えば、ナフタレン環、ベンゾフラン環、ベンゾチオフェン環、インドール環など）が好ましく、ベンゼン環及びベンゼン環を含む縮環体（例えば、ナフタレン環など）がより好ましく、ベンゼン環が特に好ましい。
【０１４０】
Ｙ１０１、Ｙ１０２は、それぞれ独立に、前記一般式（１）におけるＹ２２と同義であり、好ましい範囲も同じである。
【０１４１】
Ｌ１０５は前記一般式（II）におけるＬ８５と同義であり、好ましい範囲も同じである。
【０１４２】
ｎ１０１は前記一般式（II）におけるｎ８１と同義であり、好ましい範囲も同じである。
【０１４３】
Ｘ１０１は前記一般式（１）におけるＸ２１と同義であり、好ましい範囲も同じである。
【０１４４】
本発明における三座配位子を有する金属錯体の他の好ましい態様は、下記一般式（II−Ｃ）で表される化合物である。
【０１４５】
【化２１】
2009016184.tif 000022
【０１４６】
一般式（II−Ｃ）中、ＭＸ１は金属イオンを表す。ＱＸ１１〜ＱＸ１６はＭＸ１に配位する原子またはＭＸ１に配位する原子を含んだ原子群を表す。ＬＸ１１〜ＬＸ１４は単結合、二重結合または連結基を表す。すなわち、ＱＸ１１−ＬＸ１１−ＱＸ１２−ＬＸ１２−ＱＸ１３からなる原子群およびＱＸ１４−ＬＸ１３−ＱＸ１５−ＬＸ１４−ＱＸ１６からなる原子群はそれぞれ三座の配位子である。ＭＸ１とＱＸ１１〜ＱＸ１６との結合は、それぞれ配位結合、イオン結合、共有結合のいずれでもよい。
【０１４７】
一般式（II−Ｃ）で表される化合物について詳細に説明する。
一般式（II−Ｃ）中、ＭＸ１は金属イオンを表す。金属イオンとしては特に限定されないが、１価〜３価の金属イオンが好ましく、２価又は３価の金属イオンがより好ましく、３価の金属イオンがさらに好ましい。具体的には、白金イオン、イリジウムイオン、レニウムイオン、パラジウムイオン、ロジウムイオン、ルテニウムイオン、銅イオン、ユーロピウムイオン、ガドリニウムイオン、又はテルビウムイオンが好ましく、イリジウムイオン、ユーロピウムイオンがより好ましく、イリジウムイオンがさらに好ましい。
【０１４８】
ＱＸ１１〜ＱＸ１６は、ＭＸ１に配位する原子又はＭＸ１に配位する原子を含んだ原子群を表す。
ＱＸ１１〜ＱＸ１６がＭＸ１に配位する原子を表す場合、その具体的な原子としては、炭素原子、窒素原子、酸素原子、珪素原子、リン原子、硫黄原子などが挙げられ、好ましくは窒素原子、酸素原子、硫黄原子、リン原子であり、より好ましくは窒素原子、酸素原子である。
ＱＸ１１〜ＱＸ１６がＭＸ１に配位する原子を含んだ原子群を表す場合、ＭＸ１に炭素原子で配位するものとしては、例えば、イミノ基、芳香族炭化水素環基（ベンゼン、ナフタレンなど）、ヘテロ環基（チオフェン、ピリジン、ピラジン、ピリミジン、ピリダジン、トリアジン、チアゾール、オキサゾール、ピロール、イミダゾール、ピラゾール、又はトリアゾールなど）およびこれらを含む縮合環、およびこれらの互変異性体が挙げられる。
【０１４９】
ＭＸ１に窒素原子で配位するものとしては、例えば、含窒素ヘテロ環基（ピリジン、ピラジン、ピリミジン、ピリダジン、トリアジン、チアゾール、オキサゾール、ピロール、イミダゾール、ピラゾール、又はトリアゾールなど）、アミノ基（アルキルアミノ基（好ましくは炭素数２〜３０、より好ましくは炭素数２〜２０、特に好ましくは炭素数２〜１０であり、例えばメチルアミノ）、アリールアミノ基（例えばフェニルアミノ）などが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、イミノ基などが挙げられる。これらの基はさらに置換されていてもよい。
【０１５０】
ＭＸ１に酸素原子で配位するものとしては、アルコキシ基（好ましくは炭素数１〜３０、より好ましくは炭素数１〜２０、特に好ましくは炭素数１〜１０であり、例えばメトキシ、エトキシ、ブトキシ、及び２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、及び２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、及びキノリルオキシなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、カルボニル基（例えばケトン基、エステル基、又はアミド基など）、エーテル基（例えばジアルキルエーテル基、ジアリールエーテル基、又はフリル基など）などが挙げられる。
【０１５１】
ＭＸ１に珪素原子で配位するものとしては、アルキルシリル基（好ましくは炭素数３〜３０であり、たとえば、トリメチルシリル基などが挙げられる。）、アリールシリル基（好ましくは炭素数１８〜３０であり、例えば、トリフェニルシリル基などが挙げられる。）等があげられる。これらの基はさらに置換されてもよい。
【０１５２】
ＭＸ１に硫黄原子で配位するものとしては、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、及び２−ベンズチアゾリルチオなどが挙げられる。）、チオカルボニル基（例えばチオケトン基、チオエステル基など）、チオエーテル基（例えばジアルキルチオエーテル基、ジアリールチオエーテル基、又はチオフリル基など）などが挙げられる。
【０１５３】
ＭＸ１にリン原子で配位するものとしては、ジアルキルホスフィノ基、ジアリールホスフィノ基、トリアルキルホスフィン基、トリアリールホスフィン基、及びホスフィニン基等が挙げられる。これらの基はさらに置換されてもよい。
【０１５４】
ＱＸ１１〜ＱＸ１６で表される原子群として好ましくは、ＭＸ１に、炭素原子で配位する芳香族炭化水素環基、炭素原子で配位する芳香族ヘテロ環基、窒素原子で配位する含窒素芳香族ヘテロ環基、アルキルオキシ基、アリールオキシ基、アルキルチオ基、アリールチオ基、又はジアルキルホスフィノ基であり、より好ましくは炭素原子で配位する芳香族炭化水素環基、炭素原子で配位する芳香族ヘテロ環基、窒素原子で配位する含窒素芳香族ヘテロ環基である。
ＭＸ１とＱＸ１１〜ＱＸ１６との結合は、それぞれ配位結合、イオン結合、共有結合のいずれでもよい。
【０１５５】
一般式（II−Ｃ）中、ＬＸ１１〜ＬＸ１４は、単結合、二重結合、又は連結基を表す。連結基としては特に限定されないが、炭素原子、窒素原子、酸素原子、硫黄原子、又はケイ素原子から選択される原子を含んで構成される連結基が好ましい。該連結基の具体例を下記に示すが、これらに限定されることはない。
【０１５６】
【化２２】
2009016184.tif 000023
【０１５７】
これらの連結基はさらに置換されてもよく、置換基としては前記一般式（２）におけるＲ２１〜Ｒ２４で表される置換基として挙げたものが適用でき、好ましい範囲も同様である。ＬＸ１１〜ＬＸ１４として好ましくは、単結合、ジメチルメチレン基、又はジメチルシリレン基である。
【０１５８】
一般式（II−Ｃ）で表される化合物のうち、より好ましくは下記一般式（Ｘ２）で表される化合物であり、更に好ましくは下記一般式（Ｘ３）で表される化合物である。
先ず、一般式（Ｘ２）で表される化合物について説明する。
【０１５９】
【化２３】
2009016184.tif 000024
【０１６０】
一般式（Ｘ２）中、ＭＸ２は金属イオンを表す。ＹＸ２１〜ＹＸ２６はＭＸ２に配位する原子を表し、ＱＸ２１〜ＱＸ２６は、それぞれＹＸ２１〜ＹＸ２６と共に芳香環もしくは芳香族ヘテロ環を形成する原子群を表す。ＬＸ２１〜ＬＸ２４は単結合、二重結合または連結基を表す。ＭＸ２とＹＸ２１〜ＹＸ２６との結合は、それぞれ配位結合でも共有結合でもよい。
【０１６１】
一般式（Ｘ２）で表される化合物について詳細に説明する。
一般式（Ｘ２）中、ＭＸ２は、前記一般式（II−Ｃ）におけるＭＸ１と同義であり、また好ましい範囲も同様である。ＹＸ２１〜ＹＸ２６はＭＸ２に配位する原子を表す。ＹＸ２１〜ＹＸ２６とＭＸ２との結合は配位結合、イオン結合、共有結合のいずれでもよい。ＹＸ２１〜ＹＸ２６としては、炭素原子、窒素原子、酸素原子、硫黄原子、リン原子、ケイ素原子が挙げられ、好ましくは炭素原子、窒素原子である。ＱＸ２１〜ＱＸ２６は、それぞれＹＸ２１〜ＹＸ２６を含んで芳香族炭化水素環または芳香族ヘテロ環を形成する原子群を表す。この場合に形成する芳香族炭化水素環、芳香族ヘテロ環としては、ベンゼン環、ピリジン環、ピラジン環、ピリミジン環、ピリダジン環、トリアジン環、ピロール環、ピラゾール環、イミダゾール環、トリアゾール環、オキサゾール環、チアゾール環、オキサジアゾール環、チアジアゾール環、チオフェン環、及びフラン環が挙げられ、好ましくはベンゼン環、ピリジン環、ピラジン環、ピリミジン環、ピラゾール環、イミダゾール環、又はトリアゾール環であり、さらに好ましくはベンゼン環、ピリジン環、ピラジン環、ピラゾール環、又はトリアゾール環であり、特に好ましくはベンゼン環、ピリジン環である。これらはさらに縮環を有していても置換基を有していても良い。
【０１６２】
ＬＸ２１〜ＬＸ２４は前記一般式（II−Ｃ）におけるＬＸ１１〜ＬＸ１４と同義であり好ましい範囲も同様である。
【０１６３】
前記一般式（II−Ｃ）で表される化合物は、さらに好ましくは下記一般式（Ｘ３）で表される化合物である。
一般式（Ｘ３）について説明する。
【０１６４】
【化２４】
2009016184.tif 000025
【０１６５】
一般式（Ｘ３）中、ＭＸ３は金属イオンを表す。ＹＸ３１〜ＹＸ３６は、炭素原子、窒素原子、リン原子を表す。ＬＸ３１〜ＬＸ３４は単結合、二重結合または連結基を表す。ＭＸ３とＹＸ３１〜ＹＸ３６との結合は、それぞれ配位結合、イオン結合共有結合のいずれでもよい。
【０１６６】
ＭＸ３は前記一般式（II−Ｃ）におけるＭＸ１と同義であり、また好ましい範囲も同様である。ＹＸ３１〜ＹＸ３６はＭＸ３に配位する原子を表す。ＹＸ３１〜ＹＸ３６としては、炭素原子、窒素原子、リン原子が挙げられ、好ましくは炭素原子、窒素原子である。ＬＸ３１〜ＬＸ３４は前記一般式（II−Ｃ）におけるＬＸ１１〜ＬＸ１４と同義であり好ましい範囲も同様である。
【０１６７】
前記一般式（Ｉ）、及び一般式（II）で表される化合物の具体例としては、例えば特開２００７−１０３４９３号明細書に記載の化合物（１）〜化合物（２４７）が挙げられるが、これらに限定されるものではない。
【０１６８】
上記化合物例で代表される化合物のうち、ビピリジル又はフェナントロリンを部分構造に含む４座配位子、シッフ塩基型４座配位子、フェニルビピリジル３座配位子、ジフェニルピリジン３座配位子、ターピリジン３座配位子から選ばれる配位子を有する化合物を除いた化合物がより好ましい。
【０１６９】
（本発明における金属錯体の合成方法）
本発明における金属錯体〔前記一般式（Ｉ）、（１）、（１−Ａ）、（２）、（３）、（３−Ｂ）、（３−Ｃ）、（４）、（４−Ａ）、（５）、（II）、（II−Ａ）、（II−Ｂ）、（II−Ｃ）、（Ｘ２）、及び（Ｘ３）で表される化合物は、種々の手法で合成できる。
例えば、配位子、またはその解離体と金属化合物を溶媒（例えば、ハロゲン系溶媒、アルコール系溶媒、エーテル系溶媒、エステル系溶媒、ケトン系溶媒、ニトリル系溶媒、アミド系溶媒、スルホン系溶媒、スルホキサイド系溶媒、水などが挙げられる）の存在下、もしくは、溶媒非存在下、塩基の存在下（無機、有機の種々の塩基、例えば、ナトリウムメトキサイド、ｔ−ブトキシカリウム、トリエチルアミン、炭酸カリウムなどが挙げられる）、もしくは、塩基非存在下、室温以下、もしくは加熱し（通常の加熱以外にもマイクロウェーブで加熱する手法も有効である）得ることができる。
【０１７０】
本発明の金属錯体を合成する際の反応時間は反応原料の活性により異なり、特に限定されないが、１分以上５日以下が好ましく、５分以上３日以下がより好ましく、１０分以上１日以下がさらに好ましい。
【０１７１】
本発明の金属錯体合成の反応温度は反応の活性により異なり、特に限定されないが、０℃以上３００℃以下が好ましく、５℃以上２５０℃以下がより好ましく、１０℃以上２００℃以下がさらに好ましい。
【０１７２】
本発明の金属錯体は、目的とする錯体の部分構造を形成している配位子を適宜選択することで、前記一般式（Ｉ）、（１）、（１−Ａ）、（２）、（３）、（３−Ｂ）、（３−Ｃ）、（４）、（４−Ａ）、（５）、（II）、（II−Ａ）、（II−Ｂ）、（II−Ｃ）、（Ｘ２）、及び（Ｘ３）で表される化合物は合成できる。
例えば、一般式（１−Ａ）で表される化合物を合成する際は、６，６’−ビス（２−ヒ
ドロキシフェニル）−２，２’−ビピリジル配位子またはその誘導体（例えば、２，９−
ビス（２−ヒドロキシフェニル）−１，１０−フェナントロリン配位子、２，９−ビス（２−ヒドロキシフェニル）−４，７−ジフェニル−１，１０−フェナントロリン配位子、６，６’−ビス（２−ヒドロキシ−５−ｔｅｒｔ−ブチルフェニル）−２，２’−ビピリジル配位子など）などを、金属化合物に対し、好ましくは０．１当量〜１０当量、より好ましくは０．３当量〜６当量、さらに好ましくは０．５当量〜４当量加えて合成できる。一般式（１−Ａ）で表される化合物の合成方法において、反応溶媒、反応時間、反応温度の各々は、上記本発明の金属錯体の合成方法で述べた事項と同様である。
【０１７３】
６，６’−ビス（２−ヒドロキシフェニル）−２，２’−ビピリジル配位子の誘導体は種々の公知の方法を用いて合成することができる。
例えば、２，２’−ビピリジル誘導体（例えば、１，１０−フェナントロリンなど）と
アニソール誘導体（例えば、４−フルオロアニソールなど）をＪｏｕｒｎａｌ  ｏｆ  Ｏｒｇａｎｉｃ  Ｃｈｅｍｉｓｔｒｙ，７４１，１１，（１９４６）に記載の方法で反応させることにより合成することができる。また、ハロゲン化された２，２’−ビピリジ
ル誘導体（例えば、２，９−ジブロモ−１，１０−フェナントロリンなど）と２−メトキシフェニルボロン酸誘導体など（例えば、２−メトキシ−５−フルオロフェニルボロン酸など）を出発物質として鈴木カップリング反応を行った後、メチル基を脱保護する（Ｊｏｕｒｎａｌ  ｏｆ  Ｏｒｇａｎｉｃ  Ｃｈｅｍｉｓｔｒｙ，７４１，１１，（１９４６）に記載の方法、ピリジン塩酸塩中で加熱するなどの方法を用いる）ことにより合成することができる。また、２，２’−ビピリジルボロン酸誘導体（例えば６，６’−ビス（４，４，５，５−テトラメチル−１，３，２−ジオキサボロリル）−２，２’−ビピリジル
など）とハロゲン化されたアニソール誘導体（例えば２−ブロモアニソールなど）を出発物質として鈴木カップリング反応を行った後、メチル基を脱保護する（Ｊｏｕｒｎａｌ  ｏｆ  Ｏｒｇａｎｉｃ  Ｃｈｅｍｉｓｔｒｙ，７４１，１１，（１９４６）に記載の方法、または、ピリジン塩酸塩中で加熱するなどの方法を用いる）ことによっても合成することができる。
【０１７４】
以下、下記一般式（III）で表される化合物について説明する。
【０１７５】
【化２５】
2009016184.tif 000026
【０１７６】
一般式（III）中、Ｑ１１は含窒素へテロ環を形成する原子群を表し、Ｚ１１、Ｚ１２、Ｚ１３はそれぞれ置換又は無置換の、炭素原子又は窒素原子を表し、ＭＹ１は更に配位子を有しても良い金属イオンを表す。
【０１７７】
一般式（III）中、Ｑ１１は、Ｑ１１が結合する炭素原子２つとこれらの炭素原子に直接結合している窒素原子とを含んで、含窒素へテロ環を形成する原子群を表す。Ｑ１１で形成される含窒素へテロ環の環員数としては特に限定されないが、環員数１２〜２０が好ましく、環員数１４〜１６がより好ましく、環員数１６がさらに好ましい。
【０１７８】
Ｚ１１、Ｚ１２、及びＺ１３はそれぞれ独立に、置換又は無置換の、炭素原子又は窒素原子を表す。Ｚ１１、Ｚ１２、及びＺ１３の組合せとしては、Ｚ１１、Ｚ１２、及びＺ１３の少なくとも１つが窒素原子であることが好ましい。
【０１７９】
炭素原子上の置換基としては、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【０１８０】
アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、
【０１８１】
アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、
【０１８２】
アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【０１８３】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、
【０１８４】
スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、
【０１８５】
シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。
これらの置換基の中でも、炭素原子上の置換基としては、アルキル基、アリール基、ヘテロ環基、ハロゲン原子が好ましく、より好ましくはアリール基、ハロゲン原子であり、さらに好ましくはフェニル基、フッ素原子である。
【０１８６】
窒素原子上の置換基としては、前記炭素原子上の置換基として例示した置換基が挙げられ、好ましい範囲も同じである。
【０１８７】
一般式（III）中、ＭＹ１は配位子を更に有してもよい金属イオンを表し、他に配位子を有さない金属イオンがより好ましい。
【０１８８】
ＭＹ１で表される金属イオンとしては特に限定されないが、２価または３価の金属イオンが好ましい。２価または３価の金属イオンとしては、コバルトイオン、マグネシウムイオン、亜鉛イオン、パラジウムイオン、ニッケルイオン、銅イオン、白金イオン、鉛イオン、アルミニウムイオン、イリジウムイオン、ユーロピウムイオンが好ましく、コバルトイオン、マグネシウムイオン、亜鉛イオン、パラジウムイオン、ニッケルイオン、銅イオン、白金イオン、鉛イオンがより好ましく、銅イオン、白金イオンがさらに好ましく、白金イオンが特に好ましい。ＭＹ１は、Ｑ１１に含まれる原子と結合していても結合していなくてもよく、結合している方が好ましい。
【０１８９】
ＭＹ１が、さらに有していてもよい配位子としては、特に限定されないが、単座、もしくは、２座の配位子が好ましく、２座の配位子がより好ましい。配位する原子としては、特に限定されないが、酸素原子、硫黄原子、窒素原子、炭素原子、リン原子が好ましく、酸素原子、窒素原子、炭素原子がより好ましく、酸素原子、窒素原子がさらに好ましい。
【０１９０】
前記一般式（III）で表される化合物の好ましい例は、下記一般式（ａ）〜（ｊ）で表される化合物、又はそれらの互変異性体である。
一般式（III）で表される化合物はとしては、一般式（ａ）及び一般式（ｂ）で表される化合物またはその互変異性体がより好ましく、一般式（ｂ）で表される化合物またはその互変異性体がより好ましい。
また、一般式（III）で表される化合物としては、一般式（ｃ）または一般式（ｇ）で表される化合物も好ましい。
一般式（ｃ）で表される化合物としては、一般式（ｄ）で表される化合物またはその互変異性体、一般式（ｅ）で表される化合物またはその互変異性体、一般式（ｆ）で表される化合物またはその互変異性体が好ましく、一般式（ｄ）で表される化合物またはその互変異性体、一般式（ｅ）で表される化合物またはその互変異性体がより好ましく、一般式（ｄ）で表される化合物またはその互変異性体がさらに好ましい。
【０１９１】
一般式（ｇ）で表される化合物としては、一般式（ｈ）で表される化合物またはその互変異性体、一般式（ｉ）で表される化合物またはその互変異性体、一般式（ｊ）で表される化合物またはその互変異性体が好ましく、一般式（ｈ）で表される化合物またはその互変異性体、一般式（ｉ）で表される化合物またはその互変異性体がより好ましく、一般式（ｈ）表される化合物またはその互変異性体がさらに好ましい。
【０１９２】
以下、一般式（ａ）〜（ｊ）で表される化合物について詳細に説明する。
【０１９３】
【化２６】
2009016184.tif 000027
【０１９４】
一般式（ａ）で表される化合物について説明する。
一般式（ａ）中、Ｚ２１、Ｚ２２、Ｚ２３、Ｚ２４、Ｚ２５、Ｚ２６、及びＭ２１はそれぞれ対応する前記一般式（III）におけるＺ１１、Ｚ１２、Ｚ１３、Ｚ１１、Ｚ１２、Ｚ１３、及びＭＹ１と同義であり、好ましい範囲も同じである。
【０１９５】
Ｑ２１、Ｑ２２はそれぞれ含窒素へテロ環を形成する基を表す。Ｑ２１、Ｑ２２で形成される含窒素ヘテロ環としては特に限定されないが、ピロール環、イミダゾール環、トリアゾール環、及び、それらを含む縮環体（例えばベンズピロール）、及び、これらの互変異性体（例えば、後述の一般式（ｂ）において、Ｒ４３、Ｒ４４、Ｒ４５、及びＲ４６が置換している含窒素５員環はピロールの互変異性体と定義する）が好ましく、ピロール環及びピロール環を含む縮環体（例えば、ベンズピロール）がより好ましい。
【０１９６】
Ｘ２１、Ｘ２２、Ｘ２３、Ｘ２４は、それぞれ独立に、置換または無置換の、炭素原子又は窒素原子を表し、無置換の、炭素原子、窒素原子が好ましく、窒素原子がより好ましい。
【０１９７】
一般式（ｂ）で表される化合物について説明する。
【０１９８】
【化２７】
2009016184.tif 000028
【０１９９】
一般式（ｂ）中、Ｚ４１、Ｚ４２、Ｚ４３、Ｚ４４、Ｚ４５、Ｚ４６、Ｘ４１、Ｘ４２、Ｘ４３、Ｘ４４、及びＭ４１は前記一般式（ａ）におけるＺ２１、Ｚ２２、Ｚ２３、Ｚ２４、Ｚ２５、Ｚ２６、Ｘ２１、Ｘ２２、Ｘ２３、Ｘ２４、及びＭ２１と同義であり、好ましい範囲も同じである。
【０２００】
Ｒ４３、Ｒ４４、Ｒ４５、及びＲ４６はそれぞれ独立に水素原子、または前記一般式（III）におけるＺ１１又はＺ１２上の置換基として例示したアルキル基、アリール基、Ｒ４３とＲ４４またはＲ４５とＲ４６が結合して環構造（例えば、ベンゾ縮環、ピリジン縮環など）を形成する基が好ましく、アルキル基、アリール基、Ｒ４３とＲ４４またはＲ４５とＲ４６が結合して環構造（例えば、ベンゾ縮環、ピリジン縮環など）を形成する基がより好ましく、Ｒ４３とＲ４４またはＲ４５とＲ４６が結合して環構造（例えば、ベンゾ縮環、ピリジン縮環など）を形成する基がさらに好ましい。
【０２０１】
Ｒ４３、Ｒ４４、Ｒ４５、及びＲ４６はそれぞれ独立に水素原子または置換基を表す。置換基としては前記一般式（III）におけるＺ１１又はＺ１２について炭素原子上の置換基で説明した基が挙げられる。
【０２０２】
一般式（ｃ）で表される化合物について説明する。
【０２０３】
【化２８】
2009016184.tif 000029
【０２０４】
一般式（ｃ）中、Ｚ１０１、Ｚ１０２、及びＺ１０３はそれぞれ独立に置換又は無置換の、炭素原子又は窒素原子を表す。Ｚ１０１、Ｚ１０２、及びＺ１０３の少なくとも一つが窒素原子であることが好ましい。
【０２０５】
Ｌ１０１、Ｌ１０２、Ｌ１０３、及びＬ１０４はそれぞれ独立に単結合または連結基を表す。連結としては特に限定されないが、例えば、カルボニル連結基、アルキレン基、アルケニレン基、アリーレン基、ヘテロアリーレン基、含窒素ヘテロ環連結基、酸素原子連結基、アミノ連結基、イミノ連結基、カルボニル連結基、及び、これらの組み合わせからなる連結基などが挙げられる。
【０２０６】
Ｌ１０１、Ｌ１０２、Ｌ１０３、及びＬ１０４はそれぞれ独立に単結合、アルキレン基、アルケニレン基、アミノ連結基、又はイミノ連結基が好ましく、単結合、アルキレン連結基、アルケニレン連結基、又はイミノ連結基がより好ましく、単結合、アルキレン連結基がさらに好ましい。
【０２０７】
Ｑ１０１、Ｑ１０３はそれぞれ独立にＭ１０１に炭素原子で配位する基、窒素原子で配位する基、リン原子で配位する基、酸素原子で配位する基、または、硫黄原子で配位する基を表す。
【０２０８】
Ｍ１０１に炭素原子で配位する基としては、炭素原子で配位するアリール基、炭素原子で配位する５員環へテロアリール基、炭素原子で配位する６員環へテロアリール基が好ましく、炭素原子で配位するアリール基、炭素原子で配位する含窒素５員環へテロアリール基、炭素原子で配位する含窒素６員環へテロアリール基がより好ましく、炭素原子で配位するアリール基がさらに好ましい。
【０２０９】
Ｍ１０１に窒素原子で配位する基としては、窒素原子で配位する含窒素５員環へテロアリール基、窒素原子で配位する含窒素６員環へテロアリール基が好ましく、窒素原子で配位する含窒素６員環へテロアリール基がより好ましい。
【０２１０】
Ｍ１０１にリン原子で配位する基としては、リン原子で配位するアルキルホスフィン基、リン原子で配位するアリールホスフィン基、リン原子で配位するアルコキシホスフィン基、リン原子で配位するアリールオキシホスフィン基、リン原子で配位するヘテロアリールオキシホスフィン基、リン原子で配位するホスフィニン基、リン原子で配位するホスホール基が好ましく、リン原子で配位するアルキルホスフィン基、リン原子で配位するアリールホスフィン基がより好ましい。
【０２１１】
Ｍ１０１に酸素原子で配位する基としては、オキシ基、酸素原子で配位するカルボニル基が好ましく、オキシ基がさらに好ましい。
【０２１２】
Ｍ１０１に硫黄原子で配位する基としては、スルフィド基、チオフェン基、チアゾール基が好ましく、チオフェン基がより好ましい。
【０２１３】
Ｑ１０１、Ｑ１０３はＭ１０１に炭素原子で配位する基、窒素原子で配位する基、酸素原子で配位する基が好ましく、炭素原子で配位する基、窒素原子で配位する基がより好ましく、炭素原子で配位する基がさらに好ましい。
【０２１４】
Ｑ１０２はＭ１０１に窒素原子で配位する基、リン原子で配位する基、酸素原子で配位する基、または、硫黄原子で配位する基を表し、窒素原子で配位する基がより好ましい。
【０２１５】
Ｍ１０１は前記一般式（Ｉ）におけるＭ１１と同義であり、好ましい範囲も同じである。
【０２１６】
一般式（ｄ）で表される化合物について説明する。
【０２１７】
【化２９】
2009016184.tif 000030
【０２１８】
一般式（ｄ）中、Ｚ２０１、Ｚ２０２、Ｚ２０３、Ｚ２０７、Ｚ２０８、Ｚ２０９、Ｌ２０１、Ｌ２０２、Ｌ２０３、Ｌ２０４、及びＭ２０１はそれぞれ対応する前記一般式（ｃ）におけるＺ１０１、Ｚ１０２、Ｚ１０３、Ｚ１０１、Ｚ１０２、Ｚ１０３、Ｌ１０１、Ｌ１０２、Ｌ１０３、Ｌ１０４、及びＭ１０１と同義であり、好ましい範囲も同じである。Ｚ２０４、Ｚ２０５、Ｚ２０６、Ｚ２１０、Ｚ２１１、及びＺ２１２はそれぞれ置換または無置換の炭素原子又は窒素原子を表し、置換または無置換の炭素原子が好ましい。
【０２１９】
一般式（ｅ）で表される化合物について説明する。
【０２２０】
【化３０】
2009016184.tif 000031
【０２２１】
一般式（ｅ）中、Ｚ３０１、Ｚ３０２、Ｚ３０３、Ｚ３０４、Ｚ３０５、Ｚ３０６、Ｚ３０７、Ｚ３０８、Ｚ３０９、Ｚ３１０、Ｌ３０１、Ｌ３０２、Ｌ３０３、Ｌ３０４、及びＭ３０１は、それぞれ対応する前記一般式（ｄ）、（ｃ）におけるＺ２０１、Ｚ２０２、Ｚ２０３、Ｚ２０４、Ｚ２０６、Ｚ２０７、Ｚ２０８、Ｚ２０９、Ｚ２１０、Ｚ２１２、Ｌ１０１、Ｌ１０２、Ｌ１０３、Ｌ１０４、及びＭ１０１と同義であり、好ましい範囲も同じである。
【０２２２】
一般式（ｆ）で表される化合物について説明する。
【０２２３】
【化３１】
2009016184.tif 000032
【０２２４】
一般式（ｆ）中、Ｚ４０１、Ｚ４０２、Ｚ４０３、Ｚ４０４、Ｚ４０５、Ｚ４０６、Ｚ４０７、Ｚ４０８、Ｚ４０９、Ｚ４１０、Ｚ４１１、Ｚ４１２、Ｌ４０１、Ｌ４０２、Ｌ４０３、Ｌ４０４、及びＭ４０１は、それぞれ対応する前記一般式（ｄ）、（ｃ）におけるＺ２０１、Ｚ２０２、Ｚ２０３、Ｚ２０４、Ｚ２０５、Ｚ２０６、Ｚ２０７、Ｚ２０８、Ｚ２０９、Ｚ２１０、Ｚ２１１、Ｚ２１２、Ｌ１０１、Ｌ１０２、Ｌ１０３、Ｌ１０４、及びＭ１０１と同義であり、好ましい範囲も同じである。
Ｘ４０１、Ｘ４０２はそれぞれ独立に酸素原子、置換又は無置換の窒素原子、硫黄原子を表し、酸素原子、置換窒素原子が好ましく、酸素原子がより好ましい。
【０２２５】
一般式（ｇ）で表される化合物について説明する
【０２２６】
【化３２】
2009016184.tif 000033
【０２２７】
一般式（ｇ）中、Ｚ５０１、Ｚ５０２、Ｚ５０３、Ｌ５０１、Ｌ５０２、Ｌ５０３、Ｌ５０４、Ｑ５０１、Ｑ５０２、Ｑ５０３、及びＭ５０１は、それぞれ対応する前記一般式（ｃ）におけるＺ１０１、Ｚ１０２、Ｚ１０３、Ｌ１０１、Ｌ１０２、Ｌ１０３、Ｌ１０４、Ｑ１０１、Ｑ１０３、Ｑ１０２、及びＭ１０１と同義であり、好ましい範囲も同じである。
【０２２８】
一般式（ｈ）で表される化合物について説明する。
【０２２９】
【化３３】
2009016184.tif 000034
【０２３０】
一般式（ｈ）中、Ｚ６０１、Ｚ６０２、Ｚ６０３、Ｚ６０４、Ｚ６０５、Ｚ６０６、Ｚ６０７、Ｚ６０８、Ｚ６０９、Ｚ６１０、Ｚ６１１、Ｚ６１２、Ｌ６０１、Ｌ６０２、Ｌ６０３、Ｌ６０４、及びＭ６０１は、それぞれ対応する前記一般式（ｄ）、（ｃ）におけるＺ２０１、Ｚ２０２、Ｚ２０３、Ｚ２０７、Ｚ２０８、Ｚ２０９、Ｚ２０４、Ｚ２０５、Ｚ２０６、Ｚ２１０、Ｚ２１１、Ｚ２１２、Ｌ１０１、Ｌ１０２、Ｌ１０３、Ｌ１０４、及びＭ１０１と同義であり、好ましい範囲も同じである。
【０２３１】
一般式（ｉ）で表される化合物について説明する。
【０２３２】
【化３４】
2009016184.tif 000035
【０２３３】
一般式（ｉ）中、Ｚ７０１、Ｚ７０２、Ｚ７０３、Ｚ７０４、Ｚ７０５、Ｚ７０６、Ｚ７０７、Ｚ７０８、Ｚ７０９、Ｚ７１０、Ｌ７０１、Ｌ７０２、Ｌ７０３、Ｌ７０４、及びＭ７０１はそれぞれ対応する前記一般式（ｄ）、（ｃ）におけるＺ２０１、Ｚ２０２、Ｚ２０３、Ｚ２０７、Ｚ２０８、Ｚ２０９、Ｚ２０４、Ｚ２０６、Ｚ２１０、Ｚ２１２、Ｌ１０１、Ｌ１０２、Ｌ１０３、Ｌ１０４、及びＭ１０１と同義であり、好ましい範囲も同じである。
【０２３４】
一般式（ｊ）で表される化合物について説明する。
【０２３５】
【化３５】
2009016184.tif 000036
【０２３６】
一般式（ｊ）中、Ｚ８０１、Ｚ８０２、Ｚ８０３、Ｚ８０４、Ｚ８０５、Ｚ８０６、Ｚ８０７、Ｚ８０８、Ｚ８０９、Ｚ８１０、Ｚ８１１、Ｚ８１２、Ｌ８０１、Ｌ８０２、Ｌ８０３、Ｌ８０４、Ｍ８０１、Ｘ８０１、及びＸ８０２は、それぞれ対応する前記一般式（ｄ）、（ｃ）、（ｆ）におけるＺ２０１、Ｚ２０２、Ｚ２０３、Ｚ２０７、Ｚ２０８、Ｚ２０９、Ｚ２０４、Ｚ２０５、Ｚ２０６、Ｚ２１０、Ｚ２１１、Ｚ２１２、Ｌ１０１、Ｌ１０２、Ｌ１０３、Ｌ１０４、Ｍ１０１、Ｘ４０１、及びＸ４０２と同義であり、好ましい範囲も同じである。
【０２３７】
一般式（III）で表される化合物の具体例としては、特表２００６−５２６２７８号公報に記載の化合物（２）〜化合物（８）、化合物（１５）〜化合物（２０）、化合物（２７）〜化合物（３２）、化合物（３６）〜化合物（３８）、化合物（４２）〜化合物（４４）、化合物（５０）〜化合物（５２）、及び、化合物（５７）〜化合物（１５４）が挙げられるが、これらに限定されるものではない。
【０２３８】
さらに、本発明における金属錯体の好ましい例としては、下記一般式（Ａ−１）、下記一般式（Ｂ−１）、下記一般式（Ｃ−１）、下記一般式（Ｄ−１）、下記一般式（Ｅ−１）、及び下記一般式（Ｆ−１）で表される各化合物が挙げられる。
一般式（Ａ−１）について説明する。
【０２３９】
【化３６】
2009016184.tif 000037
【０２４０】
一般式（Ａ−１）中、ＭＡ１は金属イオンを表す。ＹＡ１１、ＹＡ１４、ＹＡ１５およびＹＡ１８は、それぞれ独立に炭素原子または窒素原子を表す。ＹＡ１２、ＹＡ１３、ＹＡ１６およびＹＡ１７はそれぞれ独立に置換または無置換の炭素原子、置換または無置換の窒素原子、酸素原子、硫黄原子を表す。ＬＡ１１、ＬＡ１２、ＬＡ１３、及びＬＡ１４は連結基を表し、これらの連結基は、同一構造であっても異なる構造であっても良い。ＱＡ１１、ＱＡ１２はＭＡ１に配位結合、イオン結合、又は共有結合で結合する原子を含有する部分構造を表す。
【０２４１】
一般式（Ａ−１）で表される化合物について、詳細に説明する。
ＭＡ１は金属イオンを表す。金属イオンとしては特に限定されることはないが、２価の金属イオンが好ましく、Ｐｔ２＋、Ｐｄ２＋、Ｃｕ２＋、Ｎｉ２＋、Ｃｏ２＋、Ｚｎ２＋、Ｍｇ２＋、又はＰｂ２＋が好ましく、Ｐｔ２＋、Ｃｕ２＋がより好ましく、Ｐｔ２＋が特に好ましい。
ＹＡ１１、ＹＡ１４、ＹＡ１５およびＹＡ１８は、それぞれ独立に炭素原子または窒素原子を表す。ＹＡ１１、ＹＡ１４、ＹＡ１５およびＹＡ１８として好ましくは、炭素原子である。
ＹＡ１２、ＹＡ１３、ＹＡ１６およびＹＡ１７はそれぞれ独立に置換または無置換の炭素原子、置換または無置換の窒素原子、酸素原子、硫黄原子を表す。ＹＡ１２、ＹＡ１３、ＹＡ１６およびＹＡ１７として好ましくは、置換または無置換の炭素原子、置換または無置換の窒素原子である。
ＬＡ１１、ＬＡ１２、ＬＡ１３、及びＬＡ１４は二価の連結基を表す。ＬＡ１１、ＬＡ１２、ＬＡ１３、及びＬＡ１４で表される二価の連結基としては、それぞれ独立に単結合のほか、炭素、窒素、珪素、硫黄、酸素、ゲルマニウム、リン等で構成される連結基であり、より好ましくは、単結合、置換または無置換の炭素原子、置換または無置換の窒素原子、置換珪素原子、酸素原子、硫黄原子、二価の芳香族炭化水素環基、二価の芳香族ヘテロ環基であり、さらに好ましくは単結合、置換または無置換の炭素原子、置換または無置換の窒素原子、置換珪素原子、二価の芳香族炭化水素環基、二価の芳香族ヘテロ環基であり、特に好ましくは、単結合、置換または無置換のメチレン基である、ＬＡ１１、ＬＡ１２、ＬＡ１３、及びＬＡ１４で表される二価の連結基としては、例えば以下のものが挙げられる。
【０２４２】
【化３７】
2009016184.tif 000038
【０２４３】
ＬＡ１１、ＬＡ１２、ＬＡ１３、及びＬＡ１４で表される二価の連結基は、さらに置換基を有していてもよい。導入可能な置換基としては、例えばアルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、及びシクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、及び３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【０２４４】
アリール基（好ましくは炭素数６〜３０、より好ましくは炭素数６〜２０、特に好ましくは炭素数６〜１２であり、例えばフェニル、ｐ−メチルフェニル、ナフチル、及びアントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、及びジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、及び２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、及び２−ナフチルオキシなどが挙げられる。）、
【０２４５】
ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、及びキノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、及びピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、
【０２４６】
アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、
【０２４７】
スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、
【０２４８】
アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、及び２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、
【０２４９】
ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、又はヨウ素原子）、シアノ基、スルホ基、カルボキシル基、ニトロ基、ヒドロキサム酸基、スルフィノ基、ヒドラジノ基、イミノ基、
【０２５０】
ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、及びアゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。
【０２５１】
これらの置換基は更に置換されてもよい。置換基として好ましくは、アルキル基、アリール基、ヘテロ環基、ハロゲン原子、又はシリル基であり、より好ましくはアルキル基、アリール基、ヘテロ環基、又はハロゲン原子であり、さらに好ましくはアルキル基、アリール基、芳香族ヘテロ環基、又はフッ素原子である。
【０２５２】
ＱＡ１１、ＱＡ１２はＭＡ１に配位結合、イオン結合、又は共有結合で結合する原子を含有する部分構造を表す。ＱＡ１１、ＱＡ１２はそれぞれ独立にＭＡ１に炭素原子で結合する基、窒素原子で結合する基、珪素原子で結合する基、リン原子で結合する基、酸素原子で結合する基、硫黄原子で結合する基が好ましく、炭素原子、窒素原子、酸素原子、硫黄原子で結合する基がより好ましく、炭素原子、窒素原子で結合する基がさらに好ましく、炭素原子で結合する基が特に好ましい。
【０２５３】
炭素原子で結合する基としては、炭素原子で結合するアリール基、炭素原子で結合する五員環へテロアリール基、炭素原子で結合する六員環へテロアリール基が好ましく、炭素原子で結合するアリール基、炭素原子で結合する含窒素五員環へテロアリール基、炭素原子で結合する含窒素六員環へテロアリール基がより好ましく、炭素原子で結合するアリール基が特に好ましい。
【０２５４】
窒素原子で結合する基としては、置換アミノ基、窒素原子で結合する含窒素へテロ五員環へテロアリール基が好ましく、窒素原子で結合する含窒素ヘテロ五員環へテロアリール基が特に好ましい。
【０２５５】
リン原子で結合する基としては、置換ホスフィノ基が好ましい。珪素原子で結合する基としては、置換シリル基が好ましい。酸素原子で結合する基としてはオキシ基、硫黄原子で結合する基としてはスルフィド基が好ましい。
【０２５６】
前記一般式（Ａ−１）で表される化合物は、より好ましくは一般式（Ａ−２）、一般式（Ａ−３）、又は一般式（Ａ−４）で表される化合物である。
【０２５７】
【化３８】
2009016184.tif 000039
【０２５８】
一般式（Ａ−２）中、ＭＡ２は金属イオンを表す。ＹＡ２１、ＹＡ２４、ＹＡ２５およびＹＡ２８は、それぞれ独立に炭素原子または窒素原子を表す。ＹＡ２２、ＹＡ２３、ＹＡ２６およびＹＡ２７はそれぞれ独立に置換または無置換の炭素原子、置換または無置換の窒素原子、酸素原子、硫黄原子を表す。ＬＡ２１、ＬＡ２２、ＬＡ２３、及びＬＡ２４は連結基を表す。ＺＡ２１、ＺＡ２２、ＺＡ２３、ＺＡ２４、ＺＡ２５およびＺＡ２６はそれぞれ独立に窒素原子または置換もしくは無置換の炭素原子を表す。
【０２５９】
【化３９】
2009016184.tif 000040
【０２６０】
一般式（Ａ−３）中、ＭＡ３は金属イオンを表す。ＹＡ３１、ＹＡ３４、ＹＡ３５およびＹＡ３８は、それぞれ独立に炭素原子または窒素原子を表す。ＹＡ３２、ＹＡ３３、ＹＡ３６およびＹＡ３７はそれぞれ独立に置換または無置換の炭素原子、置換または無置換の窒素原子、酸素原子、硫黄原子を表す。ＬＡ３１、ＬＡ３２、ＬＡ３３、及びＬＡ３４は連結基を表す。ＺＡ３１、ＺＡ３２、ＺＡ３３およびＺＡ３４はそれぞれ独立に窒素原子または置換もしくは無置換の炭素原子を表す。
【０２６１】
【化４０】
2009016184.tif 000041
【０２６２】
一般式（Ａ−４）中、ＭＡ４は金属イオンを表す。ＹＡ４１、ＹＡ４４、ＹＡ４５およびＹＡ４８は、それぞれ独立に炭素原子または窒素原子を表す。ＹＡ４２、ＹＡ４３、ＹＡ４６およびＹＡ４７はそれぞれ独立に置換または無置換の炭素原子、置換または無置換の窒素原子、酸素原子、硫黄原子を表す。ＬＡ４１、ＬＡ４２、ＬＡ４３、及びＬＡ４４は連結基を表す。ＺＡ４１、ＺＡ４２、ＺＡ４３、ＺＡ４４、ＺＡ４５およびＺＡ４６はそれぞれ独立に窒素原子または置換もしくは無置換の炭素原子を表す。ＸＡ４１、ＸＡ４２はそれぞれ独立に酸素原子、硫黄原子、置換もしくは無置換の窒素原子を表す。
【０２６３】
一般式（Ａ−２）で表される化合物について詳細に説明する。
ＭＡ２、ＹＡ２１、ＹＡ２４、ＹＡ２５、ＹＡ２８、ＹＡ２２、ＹＡ２３、ＹＡ２６、ＹＡ２７、ＬＡ２１、ＬＡ２２、ＬＡ２３、及びＬＡ２４はそれぞれ対応する、一般式（Ａ−１）中のＭＡ１、ＹＡ１１、ＹＡ１４、ＹＡ１５、ＹＡ１８、ＹＡ１２、ＹＡ１３、ＹＡ１６、ＹＡ１７、ＬＡ１１、ＬＡ１２、ＬＡ１３、及びＬＡ１４と同義であり、また好ましい範囲も同様である。
ＺＡ２１、ＺＡ２２、ＺＡ２３、ＺＡ２４、ＺＡ２５およびＺＡ２６はそれぞれ独立に窒素原子または置換もしくは無置換の炭素原子を表す。ＺＡ２１、ＺＡ２２、ＺＡ２３、ＺＡ２４、ＺＡ２５およびＺＡ２６として好ましくはそれぞれ独立に置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
【０２６４】
一般式（Ａ−３）で表される化合物について詳細に説明する。
ＭＡ３、ＹＡ３１、ＹＡ３４、ＹＡ３５、ＹＡ３８、ＹＡ３２、ＹＡ３３、ＹＡ３６、ＹＡ３７、ＬＡ３１、ＬＡ３２、ＬＡ３３、及びＬＡ３４はそれぞれ対応する、一般式（Ａ−１）中のＭＡ１、ＹＡ１１、ＹＡ１４、ＹＡ１５、ＹＡ１８、ＹＡ１２、ＹＡ１３、ＹＡ１６、ＹＡ１７、ＬＡ１１、ＬＡ１２、ＬＡ１３、及びＬＡ１４と同義であり、また好ましい範囲も同様である。
ＺＡ３１、ＺＡ３２、ＺＡ３３、およびＺＡ３４はそれぞれ独立に窒素原子または置換もしくは無置換の炭素原子を表す。ＺＡ３１、ＺＡ３２、ＺＡ３３、およびＺＡ３４として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
【０２６５】
一般式（Ａ−４）で表される化合物について詳細に説明する。
ＭＡ４、ＹＡ４１、ＹＡ４４、ＹＡ４５、ＹＡ４８、ＹＡ４２、ＹＡ４３、ＹＡ４６、ＹＡ４７、ＬＡ４１、ＬＡ４２、ＬＡ４３、及びＬＡ４４はそれぞれ対応する、一般式（Ａ−１）中のＭＡ１、ＹＡ１１、ＹＡ１４、ＹＡ１５、ＹＡ１８、ＹＡ１２、ＹＡ１３、ＹＡ１６、ＹＡ１７、ＬＡ１１、ＬＡ１２、ＬＡ１３、及びＬＡ１４と同義であり、また好ましい範囲も同様である。
ＺＡ４１、ＺＡ４２、ＺＡ４３、ＺＡ４４、ＺＡ４５およびＺＡ４６はそれぞれ独立に窒素原子または置換もしくは無置換の炭素原子を表す。ＺＡ４１、ＺＡ４２、ＺＡ４３、ＺＡ４４、ＺＡ４５およびＺＡ４６として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
ＸＡ４１、ＸＡ４２はそれぞれ独立に酸素原子、硫黄原子、置換もしくは無置換の窒素原子を表す。ＸＡ４１、ＸＡ４２として好ましくはそれぞれ独立に酸素原子、硫黄原子であり、より好ましくは酸素原子である。
【０２６６】
一般式（Ａ−１）で表される化合物の具体例として特開２００７−１０３４９３号に記載の化合物（Ａ１）〜（Ａ８０）の化合物が挙げられるが、本発明はこれらの化合物に限定されることはない。
【０２６７】
本発明における金属錯体の内、好ましい化合物の一つは、下記一般式（Ｂ−１）で表される化合物である。
【０２６８】
【化４１】
2009016184.tif 000042
【０２６９】
一般式（Ｂ−１）中、ＭＢ１は金属イオンを表す。ＹＢ１１、ＹＢ１４、ＹＢ１５およびＹＢ１８は、それぞれ独立に炭素原子または窒素原子を表す。ＹＢ１２、ＹＢ１３、ＹＢ１６およびＹＢ１７はそれぞれ独立に置換または無置換の炭素原子、置換または無置換の窒素原子、酸素原子、硫黄原子を表す。ＬＢ１１、ＬＢ１２、ＬＢ１３、及びＬＢ１４は連結基を表す。ＱＢ１１、ＱＢ１２はＭＢ１に共有結合で結合する原子を含有する部分構造を表す。
【０２７０】
一般式（Ｂ−１）について詳細に説明する。
一般式（Ｂ−１）中、ＭＢ１、ＹＢ１１、ＹＢ１４、ＹＢ１５、ＹＢ１８、ＹＢ１２、ＹＢ１３、ＹＢ１６、ＹＢ１７、ＬＢ１１、ＬＢ１２、ＬＢ１３、ＬＢ１４、ＱＢ１１、及びＱＢ１２は、それぞれ対応する、一般式（Ａ−１）中における、ＭＡ１、ＹＡ１１、ＹＡ１４、ＹＡ１５、ＹＡ１８、ＹＡ１２、ＹＡ１３、ＹＡ１６、ＹＡ１７、ＬＡ１１、ＬＡ１２、ＬＡ１３、ＬＡ１４、ＱＡ１１、及びＱＡ１２と同義であり、また好ましい範囲も同様である。
【０２７１】
一般式（Ｂ−１）で表される化合物は、より好ましくは、下記一般式（Ｂ−２）、一般式（Ｂ−３）、又は一般式（Ｂ−４）で表される化合物である。
【０２７２】
【化４２】
2009016184.tif 000043
【０２７３】
一般式（Ｂ−２）中、ＭＢ２は金属イオンを表す。ＹＢ２１、ＹＢ２４、ＹＢ２５およびＹＢ２８は、それぞれ独立に炭素原子または窒素原子を表す。ＹＢ２２、ＹＢ２３、ＹＢ２６およびＹＢ２７はそれぞれ独立に置換または無置換の炭素原子、置換または無置換の窒素原子、酸素原子、硫黄原子を表す。ＬＢ２１、ＬＢ２２、ＬＢ２３、及びＬＢ２４は連結基を表す。ＺＢ２１、ＺＢ２２、ＺＢ２３、ＺＢ２４、ＺＢ２５およびＺＢ２６はそれぞれ独立に窒素原子または置換もしくは無置換の炭素原子を表す。
【０２７４】
【化４３】
2009016184.tif 000044
【０２７５】
一般式（Ｂ−３）中、ＭＢ３は金属イオンを表す。ＹＢ３１、ＹＢ３４、ＹＢ３５およびＹＢ３８は、それぞれ独立に炭素原子または窒素原子を表す。ＹＢ３２、ＹＢ３３、ＹＢ３６およびＹＢ３７は、それぞれ独立に置換または無置換の炭素原子、置換または無置換の窒素原子、酸素原子、硫黄原子を表す。ＬＢ３１、ＬＢ３２、ＬＢ３３、及びＬＢ３４は連結基を表す。ＺＢ３１、ＺＢ３２、ＺＢ３３およびＺＢ３４は、それぞれ独立に窒素原子または置換もしくは無置換の炭素原子を表す。
【０２７６】
【化４４】
2009016184.tif 000045
【０２７７】
一般式（Ｂ−４）中、ＭＢ４は金属イオンを表す。ＹＢ４１、ＹＢ４４、ＹＢ４５およびＹＢ４８は、それぞれ独立に炭素原子または窒素原子を表す。ＹＢ４２、ＹＢ４３、ＹＢ４６およびＹＢ４７はそれぞれ独立に置換または無置換の炭素原子、置換または無置換の窒素原子、酸素原子、硫黄原子を表す。ＬＢ４１、ＬＢ４２、ＬＢ４３、及びＬＢ４４は連結基を表す。ＺＢ４１、ＺＢ４２、ＺＢ４３、ＺＢ４４、ＺＢ４５およびＺＢ４６はそれぞれ独立に窒素原子または置換もしくは無置換の炭素原子を表す。ＸＢ４１、ＸＢ４２はそれぞれ独立に酸素原子、硫黄原子、置換もしくは無置換の窒素原子を表す。
【０２７８】
一般式（Ｂ−２）で表される化合物について詳細に説明する。
一般式（Ｂ−２）中、ＭＢ２、ＹＢ２１、ＹＢ２４、ＹＢ２５、ＹＢ２８、ＹＢ２２、ＹＢ２３、ＹＢ２６、ＹＢ２７、ＬＢ２１、ＬＢ２２、ＬＢ２３、及びＬＢ２４はそれぞれ対応する、一般式（Ｂ−１）中のＭＢ１、ＹＢ１１、ＹＢ１４、ＹＢ１５、ＹＢ１８、ＹＢ１２、ＹＢ１３、ＹＢ１６、ＹＢ１７、ＬＢ１１、ＬＢ１２、ＬＢ１３、及びＬＢ１４と同義であり、また好ましい範囲も同様である。
ＺＢ２１、ＺＢ２２、ＺＢ２３、ＺＢ２４、ＺＢ２５およびＺＢ２６は、それぞれ独立に窒素原子または置換もしくは無置換の炭素原子を表す。ＺＢ２１、ＺＢ２２、ＺＢ２３、ＺＢ２４、ＺＢ２５およびＺＢ２６として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
【０２７９】
一般式（Ｂ−３）で表される化合物について詳細に説明する。
一般式（Ｂ−３）中、ＭＢ３、ＹＢ３１、ＹＢ３４、ＹＢ３５、ＹＢ３８、ＹＢ３２、ＹＢ３３、ＹＢ３６、ＹＢ３７、ＬＢ３１、ＬＢ３２、ＬＢ３３、及びＬＢ３４はそれぞれ対応する、一般式（Ｂ−１）中のＭＢ１、ＹＢ１１、ＹＢ１４、ＹＢ１５、ＹＢ１８、ＹＢ１２、ＹＢ１３、ＹＢ１６、ＹＢ１７、ＬＢ１１、ＬＢ１２、ＬＢ１３、及びＬＢ１４と同義であり、また好ましい範囲も同様である。
ＺＢ３１、ＺＢ３２、ＺＢ３３、およびＺＢ３４はそれぞれ独立に窒素原子または置換もしくは無置換の炭素原子を表す。ＺＢ３１、ＺＢ３２、ＺＢ３３、およびＺＢ３４として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
【０２８０】
一般式（Ｂ−４）で表される化合物について詳細に説明する。
一般式（Ｂ−４）中、ＭＢ４、ＹＢ４１、ＹＢ４４、ＹＢ４５、ＹＢ４８、ＹＢ４２、ＹＢ４３、ＹＢ４６、ＹＢ４７、ＬＢ４１、ＬＢ４２、ＬＢ４３、及びＬＢ４４はそれぞれ対応する、一般式（Ｂ−１）中のＭＢ１、ＹＢ１１、ＹＢ１４、ＹＢ１５、ＹＢ１８、ＹＢ１２、ＹＢ１３、ＹＢ１６、ＹＢ１７、ＬＢ１１、ＬＢ１２、ＬＢ１３、及びＬＢ１４と同義であり、また好ましい範囲も同様である。
ＺＢ４１、ＺＢ４２、ＺＢ４３、ＺＢ４４、ＺＢ４５およびＺＢ４６はそれぞれ独立に窒素原子または置換もしくは無置換の炭素原子を表す。ＺＢ４１、ＺＢ４２、ＺＢ４３、ＺＢ４４、ＺＢ４５およびＺＢ４６として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
ＸＢ４１、ＸＢ４２はそれぞれ独立に酸素原子、硫黄原子、置換もしくは無置換の窒素原子を表す。ＸＢ４１、ＸＢ４２として好ましくは酸素原子、硫黄原子であり、より好ましくは酸素原子である。
【０２８１】
一般式（Ｂ−１）で表される化合物として、特開２００７−１０３４９３号に記載の化合物（Ｂ１）〜（Ｂ５５）の化合物が挙げられるが、本発明はこれらの化合物に限定されることはない。
【０２８２】
本発明における金属錯体の内、好ましい化合物の一つは、一般式（Ｃ−１）で表される化合物である。
【０２８３】
【化４５】
2009016184.tif 000046
【０２８４】
一般式（Ｃ−１）中、ＭＣ１は金属イオンを表す。ＲＣ１１、ＲＣ１２は、それぞれ独立に、水素原子、互いに連結して五員環を形成する置換基、または互いに連結することの無い置換基を表す。ＲＣ１３、ＲＣ１４は、それぞれ独立に、水素原子、互いに連結して五員環を形成する置換基、または互いに連結することの無い置換基を表す。ＧＣ１１、ＧＣ１２は、それぞれ独立に、窒素原子、置換または無置換の炭素原子を表す。ＬＣ１１、ＬＣ１２は連結基を表す。ＱＣ１１、ＱＣ１２はＭＣ１に配位結合、イオン結合、又は共有結合で結合する原子を含有する部分構造を表す。
【０２８５】
一般式（Ｃ−１）について詳細に説明する。
一般式（Ｃ−１）中、ＭＣ１、ＬＣ１１、ＬＣ１２、ＱＣ１１、及びＱＣ１２はそれぞれ対応する一般式（Ａ−１）中における、ＭＡ１、ＬＡ１１、ＬＡ１２、ＱＡ１１、及びＱＡ１２と同義であり、また好ましい範囲も同様である。
ＧＣ１１、ＧＣ１２は、それぞれ独立に窒素原子、置換もしくは無置換の炭素原子を表し、好ましくは窒素原子、無置換の炭素原子であり、より好ましくは窒素原子である。
ＲＣ１１、ＲＣ１２はそれぞれ独立に水素原子または置換基を表す。ＲＣ１１、ＲＣ１２は互いに連結して五員環を形成してもよい。ＲＣ１３、ＲＣ１４はそれぞれ独立に水素原子または置換基を表す。ＲＣ１３、ＲＣ１４は互いに連結して五員環を形成してもよい。
【０２８６】
ＲＣ１１、ＲＣ１２、ＲＣ１３およびＲＣ１４で表される置換基としては、例えばアルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、及びシクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、及び３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【０２８７】
アリール基（好ましくは炭素数６〜３０、より好ましくは炭素数６〜２０、特に好ましくは炭素数６〜１２であり、例えばフェニル、ｐ−メチルフェニル、ナフチル、及びアントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、及びジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、及び２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、及び２−ナフチルオキシなどが挙げられる。）、
【０２８８】
ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、及びキノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、及びピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、
【０２８９】
アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、
【０２９０】
アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、及び２−ベンズチアゾリルチオなどが挙げられる。）、ハロゲン原子（例えばフッ素原子、塩素原子、臭素原子、又はヨウ素原子）、シアノ基、
【０２９１】
ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、及びアゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。
【０２９２】
ＲＣ１１、ＲＣ１２、ＲＣ１３およびＲＣ１４で表される置換基として好ましくは、アルキル基、アリール基、ＲＣ１１とＲＣ１２、ＲＣ１３とＲＣ１４が互いに結合して五員環を形成する基であり、特に好ましくはＲＣ１１とＲＣ１２、ＲＣ１３とＲＣ１４が互いに結合して五員環を形成する基である。
【０２９３】
一般式（Ｃ−１）で表される化合物は、より好ましくは一般式（Ｃ−２）で表される化合物である。
【０２９４】
【化４６】
2009016184.tif 000047
【０２９５】
一般式（Ｃ−２）中、ＭＣ２は金属イオンを表す。
ＹＣ２１、ＹＣ２２、ＹＣ２３およびＹＣ２４は、それぞれ独立に窒素原子、置換もしくは無置換の炭素原子を表す。ＧＣ２１、ＧＣ２２は、それぞれ独立に窒素原子、置換もしくは無置換の炭素原子を表す。ＬＣ２１、ＬＣ２２は連結基を表す。ＱＣ２１、ＱＣ２２はＭＣ２に配位結合、イオン結合、又は共有結合で結合する原子を含有する部分構造を表す。
【０２９６】
一般式（Ｃ−２）について詳細に説明する。
一般式（Ｃ−２）中、ＭＣ２、ＬＣ２１、ＬＣ２２、ＱＣ２１、ＱＣ２２、ＧＣ２１、ＧＣ２２はそれぞれ対応する、一般式（Ｃ−１）におけるＭＣ１、ＬＣ１１、ＬＣ１２、ＱＣ１１、ＱＣ１２、ＧＣ１１、ＧＣ１２と同義であり、好ましい範囲も同様である。
ＹＣ２１、ＹＣ２２、ＹＣ２３およびＹＣ２４は、それぞれ独立に、窒素原子、置換もしくは無置換の炭素原子を表し、好ましくは置換もしくは無置換の炭素原子であり、より好ましくは無置換の炭素原子である。
【０２９７】
一般式（Ｃ−２）で表される化合物は、より好ましくは下記一般式（Ｃ−３）、一般式（Ｃ−４）又は一般式（Ｃ−５）で表される化合物である。
【０２９８】
【化４７】
2009016184.tif 000048
【０２９９】
一般式（Ｃ−３）中、ＭＣ３は金属イオンを表す。
ＹＣ３１、ＹＣ３２、ＹＣ３３およびＹＣ３４は、それぞれ独立に窒素原子、置換もしくは無置換の炭素原子を表す。ＧＣ３１、ＧＣ３２は、それぞれ独立に窒素原子、置換もしくは無置換の炭素原子を表す。ＬＣ３１、ＬＣ３２は連結基を表す。ＺＣ３１、ＺＣ３２、ＺＣ３３、ＺＣ３４、ＺＣ３５およびＺＣ３６はそれぞれ独立に窒素原子、置換もしくは無置換の炭素原子を表す。
【０３００】
【化４８】
2009016184.tif 000049
【０３０１】
一般式（Ｃ−４）中、ＭＣ４は金属イオンを表す。ＹＣ４１、ＹＣ４２、ＹＣ４３およびＹＣ４４は、それぞれ独立に窒素原子、置換もしくは無置換の炭素原子を表す。ＧＣ４１、ＧＣ４２は、それぞれ独立に窒素原子、置換もしくは無置換の炭素原子を表す。ＬＣ４１、ＬＣ４２は連結基を表す。ＺＣ４１、ＺＣ４２、ＺＣ４３およびＺＣ４４はそれぞれ独立に窒素原子、置換もしくは無置換の炭素原子を表す。
【０３０２】
【化４９】
2009016184.tif 000050
【０３０３】
一般式（Ｃ−５）中、ＭＣ５は金属イオンを表す。
ＹＣ５１、ＹＣ５２、ＹＣ５３およびＹＣ５４は、それぞれ独立に窒素原子、置換もしくは無置換の炭素原子を表す。ＧＣ５１、ＧＣ５２は、それぞれ独立に窒素原子、置換もしくは無置換の炭素原子を表す。ＬＣ５１、ＬＣ５２は連結基を表す。ＺＣ５１、ＺＣ５２、ＺＣ５３、ＺＣ５４、ＺＣ５５およびＺＣ５６はそれぞれ独立に窒素原子、置換もしくは無置換の炭素原子を表す。ＸＣ５１、ＸＣ５２はそれぞれ独立に酸素原子、硫黄原子、置換もしくは無置換の窒素原子を表す。
【０３０４】
一般式（Ｃ−３）で表される化合物について詳細に説明する。
一般式（Ｃ−３）中、ＭＣ３、ＬＣ３１、ＬＣ３２、ＧＣ３１、及びＧＣ３２はそれぞれ対応する、一般式（Ｃ−１）における、ＭＣ１、ＬＣ１１、ＬＣ１２、ＧＣ１１、及びＧＣ１２と同義であり、また好ましい範囲も同様である。
ＺＣ３１、ＺＣ３２、ＺＣ３３、ＺＣ３４、ＺＣ３５およびＺＣ３６はそれぞれ独立に窒素原子または置換もしくは無置換の炭素原子を表す。ＺＣ３１、ＺＣ３２、ＺＣ３３、ＺＣ３４、ＺＣ３５およびＺＣ３６として好ましくは置換もしくは無置換の炭素原子であり、より好ましくは無置換の炭素原子である。
【０３０５】
一般式（Ｃ−４）で表される化合物について詳細に説明する。
一般式（Ｃ−４）中、ＭＣ４、ＬＣ４１、ＬＣ４２、ＧＣ４１、及びＧＣ４２は、それぞれ対応する一般式（Ｃ−１）における、ＭＣ１、ＬＣ１１、ＬＣ１２、ＧＣ１１、及びＧＣ１２と同義であり、また好ましい範囲も同様である。
ＺＣ４１、ＺＣ４２、ＺＣ４３、およびＺＣ４４はそれぞれ独立に窒素原子または置換もしくは無置換の炭素原子を表す。ＺＣ４１、ＺＣ４２、ＺＣ４３、およびＺＣ４４として好ましくは置換もしくは無置換の炭素原子であり、より好ましくは無置換の炭素原子である。
【０３０６】
一般式（Ｃ−５）で表される化合物について詳細に説明する。
ＭＣ５、ＬＣ５１、ＬＣ５２、ＧＣ５１、及びＧＣ５２は、それぞれ対応する一般式（Ｃ−１）における、ＭＣ１、ＬＣ１１、ＬＣ１２、ＧＣ１１、及びＧＣ１２と同義であり、また好ましい範囲も同様である。
ＺＣ５１、ＺＣ５２、ＺＣ５３、ＺＣ５４、ＺＣ５５およびＺＣ５６はそれぞれ独立に窒素原子または置換もしくは無置換の炭素原子を表す。ＺＣ５１、ＺＣ５２、ＺＣ５３、ＺＣ５４、ＺＣ５５およびＺＣ５６として好ましくは置換もしくは無置換の炭素原子であり、より好ましくは無置換の炭素原子である。
ＸＣ５１、ＸＣ５２はそれぞれ独立に酸素原子、硫黄原子、置換もしくは無置換の窒素原子を表す。ＸＣ５１、ＸＣ５２として好ましくは酸素原子、硫黄原子であり、より好ましくは酸素原子である。
【０３０７】
一般式（Ｃ−１）で表される化合物の具体例として、特開２００７−１０３４９３号に記載の化合物（Ｃ１）〜（Ｃ６３）の化合物が挙げられるが、本発明はこれらの化合物に限定されることはない。
本発明における金属錯体の内、好ましい化合物の一つは、下記一般式（Ｄ−１）で表される化合物である。
【０３０８】
【化５０】
2009016184.tif 000051
【０３０９】
一般式（Ｄ−１）中、ＭＤ１は金属イオンを表す。
ＧＤ１１、ＧＤ１２は、それぞれ独立に窒素原子、置換または無置換の炭素原子を表す。ＪＤ１
１、ＪＤ１２、ＪＤ１３およびＪＤ１４は五員環を形成するのに必要な原子群を表す。ＬＤ１１、ＬＤ１２
は連結基を表す。
【０３１０】
一般式（Ｄ−１）について詳細に説明する。
一般式（Ｄ−１）中、ＭＤ１、ＬＤ１１、及びＬＤ１２はそれぞれ対応する一般式（Ａ−１）中における、ＭＡ１、ＬＡ１１、ＬＡ１２と同義であり、また好ましい範囲も同様である。
ＧＤ１１、ＧＤ１２は、それぞれ対応する一般式（Ｃ−１）におけるＧＣ１１、ＧＣ１２と同義であり、また好ましい範囲も同様である。
ＪＤ１１、ＪＤ１２、ＪＤ１３およびＪＤ１４は、これらが結合している原子群と共に、含窒素へテロ五員環を形成するのに必要な原子群を表す。
【０３１１】
一般式（Ｄ−１）で表される化合物は、より好ましくは下記一般式（Ｄ−２）、一般式（Ｄ−３）、又は一般式（Ｄ−４）で表される化合物である。
【０３１２】
【化５１】
2009016184.tif 000052
【０３１３】
一般式（Ｄ−２）中、ＭＤ２は金属イオンを表す。
ＧＤ２１、ＧＤ２２は、それぞれ独立に窒素原子、置換または無置換の炭素原子を表す。
ＹＤ２１、ＹＤ２２、ＹＤ２３およびＹＤ２４は、それぞれ独立に窒素原子、置換もしくは無置換の炭素原子を表す。
ＸＤ２１、ＸＤ２２、ＸＤ２３およびＸＤ２４は、それぞれ独立に酸素原子、硫黄原子、−ＮＲＤ２１−、−Ｃ（ＲＤ２２）ＲＤ２３−を表す。
ＲＤ２１、ＲＤ２２およびＲＤ２３は、それぞれ独立に水素原子または置換基を表す。ＬＤ２１、ＬＤ２２は連結基を表す。
【０３１４】
【化５２】
2009016184.tif 000053
【０３１５】
一般式（Ｄ−３）中、ＭＤ３は金属イオンを表す。
ＧＤ３１、ＧＤ３２は、それぞれ独立に窒素原子、置換または無置換の炭素原子を表す。
ＹＤ３１、ＹＤ３２、ＹＤ３３およびＹＤ３４は、それぞれ独立に窒素原子、置換もしくは無置換の炭素原子を表す。
ＸＤ３１、ＸＤ３２、ＸＤ３３およびＸＤ３４は、それぞれ独立に酸素原子、硫黄原子、−ＮＲＤ３１−、−Ｃ（ＲＤ３２）ＲＤ３３−を表す。
ＲＤ３１、ＲＤ３２およびＲＤ３３は、それぞれ独立に水素原子または置換基を表す。ＬＤ３１、ＬＤ３２は連結基を表す。
【０３１６】
【化５３】
2009016184.tif 000054
【０３１７】
一般式（Ｄ−４）中、ＭＤ４は金属イオンを表す。
ＧＤ４１、ＧＤ４２は、それぞれ独立に窒素原子、置換または無置換の炭素原子を表す。
ＹＤ４１、ＹＤ４２、ＹＤ４３およびＹＤ４４は、それぞれ独立に窒素原子、置換もしくは無置換の炭素原子を表す。
ＸＤ４１、ＸＤ４２、ＸＤ４３およびＸＤ４４は、それぞれ独立に酸素原子、硫黄原子、−ＮＲＤ４１−、−Ｃ（ＲＤ４２）ＲＤ４３−を表す。ＲＤ４１、ＲＤ４２およびＲＤ４３は、それぞれ独立に水素原子または置換基を表す。ＬＤ４１、ＬＤ４２は連結基を表す。
【０３１８】
一般式（Ｄ−２）について詳細に説明する。
ＭＤ２、ＬＤ２１、ＬＤ２２、ＧＤ２１、ＧＤ２２は、一般式（Ｄ−１）におけるＭＤ１、ＬＤ１１、ＬＤ１２、ＧＤ１１、ＧＤ１２と同義であり、また好ましい範囲も同様である。
ＹＤ２１、ＹＤ２２、ＹＤ２３およびＹＤ２４は、それぞれ独立に窒素原子、置換もしくは無置換の炭素原子を表し、好ましくは置換もしくは無置換の炭素原子であり、より好ましくは無置換の炭素原子である。
ＸＤ２１、ＸＤ２２、ＸＤ２３およびＸＤ２４は、それぞれ独立に酸素原子、硫黄原子、−ＮＲＤ２１−、−Ｃ（ＲＤ２２）ＲＤ２３−を表し、好ましくは硫黄原子、−ＮＲＤ２１−、−Ｃ（ＲＤ２２）ＲＤ２３−であり、より好ましくは−ＮＲＤ２１−、−Ｃ（ＲＤ２２）ＲＤ２３−であり、さらに好ましくは−ＮＲＤ２１−である。
ＲＤ２１、ＲＤ２２およびＲＤ２３は、それぞれ独立に水素原子または置換基を表す。ＲＤ２１、ＲＤ２２およびＲＤ２３で表される置換基としては、例えばアルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、及びシクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、及び３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、
【０３１９】
アリール基（好ましくは炭素数６〜３０、より好ましくは炭素数６〜２０、特に好ましくは炭素数６〜１２であり、例えばフェニル、ｐ−メチルフェニル、及びナフチル等が挙げられる。）、置換カルボニル基（好ましくは炭素数１〜２０、より好ましくは炭素数１〜１６、特に好ましくは炭素数１〜１２であり、例えばアセチル、ベンゾイル、メトキシカルボニル、フェニルオキシカルボニル、ジメチルアミノカルボニル、及びフェニルアミノカルボニル、等が挙げられる。）、置換スルホニル基（好ましくは炭素数１〜２０、より好ましくは炭素数１〜１６、特に好ましくは炭素数１〜１２であり、例えばメシル、トシル等が挙げられる。）、
【０３２０】
ヘテロ環基（脂肪族ヘテロ環基、芳香族ヘテロ環基がある。好ましくは、酸素原子、硫黄原子、窒素原子のいずれかを含み、好ましくは炭素数１〜５０、より好ましくは炭素数１〜３０、特に好ましくは炭素数２〜１２であり、例えばイミダゾリル、ピリジル、フリル、ピペリジル、モルホリノ、ベンゾオキサゾリル、及びトリアゾリル基等が挙げられる。）等が挙げられる。ＲＤ２１、ＲＤ２２およびＲＤ２３は好ましくはアルキル基、アリール基、又は芳香族ヘテロ環基であり、より好ましくは、アルキル基、アリール基であり、さらに好ましくはアリール基である。
【０３２１】
一般式（Ｄ−３）について詳細に説明する。
一般式（Ｄ−３）中、ＭＤ３、ＬＤ３１、ＬＤ３２、ＧＤ３１、及びＧＤ３２は、それぞれ対応する一般式（Ｄ−１）におけるＭＤ１、ＬＤ１１、ＬＤ１２、ＧＤ１１、及びＧＤ１２と同義であり、また好ましい範囲も同様である。
ＸＤ３１、ＸＤ３２、ＸＤ３３およびＸＤ３４はそれぞれ対応する、一般式（Ｄ−２）におけるＸＤ２１、ＸＤ２２、ＸＤ２３およびＸＤ２４と同義であり、また好ましい範囲も同様である。
ＹＤ３１、ＹＤ３２、ＹＤ３３およびＹＤ３４はそれぞれ対応する、一般式（Ｄ−２）におけるＹＤ２１、ＹＤ２２、ＹＤ２３およびＹＤ２４と同義であり、また好ましい範囲も同様である。
【０３２２】
一般式（Ｄ−４）について詳細に説明する。
一般式（Ｄ−４）中、ＭＤ４、ＬＤ４１、ＬＤ４２、ＧＤ４１、及びＧＤ４２は、それぞれ対応する、一般式（Ｄ−１）におけるＭＤ１、ＬＤ１１、ＬＤ１２、ＧＤ１１、及びＧＤ１２と同義であり、また好ましい範囲も同様である。
ＸＤ４１、ＸＤ４２、ＸＤ４３およびＸＤ４４は、それぞれ対応する一般式（Ｄ−２）におけるＸＤ２１、ＸＤ２２、ＸＤ２３およびＸＤ２４と同義であり、また好ましい範囲も同様である。ＹＤ４１、ＹＤ４２、ＹＤ４３およびＹＤ４４は、それぞれ対応する、一般式（Ｄ−２）におけるＹＤ２１、ＹＤ２２、ＹＤ２３およびＹＤ２４と同義であり、また好ましい範囲も同様である。
【０３２３】
一般式（Ｄ−１）で表される化合物の具体例として、特開２００７−１０３４９３号に記載の化合物（Ｄ１）〜（Ｄ２４）の化合物が挙げられるが、本発明はこれらの化合物に限定されることはない。
【０３２４】
本発明における金属錯体の内、好ましい化合物の一つは、下記一般式（Ｅ−１）で表される化合物である。
【０３２５】
【化５４】
2009016184.tif 000055
【０３２６】
一般式（Ｅ−１）中、ＭＥ１は金属イオンを表す。ＪＥ１１、ＪＥ１２は五員環を形成するのに必要な原子群を表す。ＧＥ１１、ＧＥ１２、ＧＥ１３およびＧＥ１４は、それぞれ独立に、窒素原子、置換もしくは無置換の炭素原子を表す。ＹＥ１１、ＹＥ１２、ＹＥ１３およびＹＥ１４はそれぞれ独立に窒素原子、置換もしくは無置換の炭素原子を表す。
【０３２７】
一般式（Ｅ−１）について詳細に説明する。
一般式（Ｅ−１）中、ＭＥ１は一般式（Ａ−１）におけるＭＡ１と同義であり、また好ましい範囲も同様である。ＧＥ１１、ＧＥ１２、ＧＥ１３およびＧＥ１４は一般式（Ｃ−１）におけるＧＣ１１、ＧＣ１２と同義であり、また好ましい範囲も同様である。
ＪＥ１１、ＪＥ１２は、一般式（Ｄ−１）におけるＪＤ１２〜ＪＤ１４と同義であり、また好ましい範囲も同様である。ＹＥ１１、ＹＥ１２、ＹＥ１３およびＹＥ１４はそれぞれ対応する、一般式（Ｃ−２）におけるＹＣ２１〜ＹＣ２４と同義であり、また好ましい範囲も同様である。
【０３２８】
一般式（Ｅ−１）で表される化合物は、より好ましくは下記一般式（Ｅ−２）、又は一般式（Ｅ−３）で表される化合物である。
【０３２９】
【化５５】
2009016184.tif 000056
【０３３０】
一般式（Ｅ−２）中、ＭＥ２は金属イオンを表す。ＧＥ２１、ＧＥ２２、ＧＥ２３およびＧＥ２４はそれぞれ独立に、窒素原子、置換もしくは無置換の炭素原子を表す。ＹＥ２１、ＹＥ２２、ＹＥ２３、ＹＥ２４、ＹＥ２５およびＹＥ２６はそれぞれ独立に、窒素原子、置換もしくは無置換の炭素原子を表す。
ＸＥ２１およびＸＥ２２は、それぞれ独立に酸素原子、硫黄原子、−ＮＲＥ２１−、−Ｃ（ＲＥ２２）ＲＥ２３−を表す。ＲＥ２１、ＲＥ２２およびＲＥ２３は、それぞれ独立に水素原子または置換基を表す。
【０３３１】
【化５６】
2009016184.tif 000057
【０３３２】
一般式（Ｅ−３）中、ＭＥ３は金属イオンを表す。ＧＥ３１、ＧＥ３２、ＧＥ３３およびＧＥ３４はそれぞれ独立に窒素原子、置換もしくは無置換の炭素原子を表す。ＹＥ３１、ＹＥ３２、ＹＥ３３、ＹＥ３４、ＹＥ３５およびＹＥ３６はそれぞれ独立に窒素原子、置換もしくは無置換の炭素原子を表す。ＸＥ３１およびＸＥ３２は、それぞれ独立に酸素原子、硫黄原子、−ＮＲＥ３１−、−Ｃ（ＲＥ３２）ＲＥ３３−を表す。ＲＥ３１、ＲＥ３２およびＲＥ３３は、それぞれ独立に水素原子または置換基を表す。
【０３３３】
一般式（Ｅ−２）について詳細に説明する。
一般式（Ｅ−２）中、ＭＥ２、ＧＥ２１、ＧＥ２２、ＧＥ２３、ＧＥ２４、ＹＥ２１、ＹＥ２２、ＹＥ２３、及びＹＥ２４は、それぞれ対応する一般式（Ｅ−１）におけるＭＥ１、ＧＥ１１、ＧＥ１２、ＧＥ１３、ＧＥ１４、ＹＥ１１、ＹＥ１２、ＹＥ１３、及びＹＥ１４と同義であり、また好ましい範囲も同様である。ＸＥ２１、ＸＥ２２は一般式（Ｄ−２）におけるＸＤ２１、ＸＤ２２と同義であり、また好ましい範囲も同様である。
【０３３４】
一般式（Ｅ−３）について詳細に説明する。
一般式（Ｅ−３）中、ＭＥ３、ＧＥ３１、ＧＥ３２、ＧＥ３３、ＧＥ３４、ＹＥ３１、ＹＥ３２、ＹＥ３３、及びＹＥ３４は、それぞれ対応する、一般式（Ｅ−１）におけるＭＥ１、ＧＥ１１、ＧＥ１２、ＧＥ１３、ＧＥ１４、ＹＥ１１、ＹＥ１２、ＹＥ１３、及びＹＥ１４と同義であり、また好ましい範囲も同様である。ＸＥ３１、ＸＥ３２は対応する、一般式（Ｅ−２）におけるＸＥ２１、ＸＥ２２と同義であり、また好ましい範囲も同様である。
【０３３５】
一般式（Ｅ−１）で表される化合物の具体例として、特開２００７−１０３４９３号に記載の化合物（Ｅ１）〜（Ｅ１５）の化合物が挙げられるが、本発明はこれらの化合物に限定されることはない。
【０３３６】
本発明における金属錯体の内、好ましい化合物の一つは、下記一般式（Ｆ−１）で表される化合物である。
【０３３７】
【化５７】
2009016184.tif 000058
【０３３８】
一般式（Ｆ−１）中、ＭＦ１は金属イオンを表す。ＬＦ１１、ＬＦ１２およびＬＦ１３は連結基を表す。ＲＦ１１、ＲＦ１２、ＲＦ１３およびＲＦ１４は、それぞれ独立に、水素原子または置換基を表し、ＲＦ１１とＲＦ１２、ＲＦ１２とＲＦ１３、ＲＦ１３とＲＦ１４は可能であれば互いに連結して環を形成してもよいが、ＲＦ１１とＲＦ１２、ＲＦ１３とＲＦ１４が形成する環は五員環である。ＱＦ１１、ＱＦ１２はＭＦ１に配位結合、イオン結合、又は共有結合で結合する原子を含有する部分構造を表す。
【０３３９】
一般式（Ｆ−１）で表される化合物について詳細に説明する。
一般式（Ｆ−１）中、ＭＦ１、ＬＦ１１、ＬＦ１２、ＬＦ１３、ＱＦ１１、及びＱＦ１２はそれぞれ対応する、一般式（Ａ−１）におけるＭＡ１、ＬＡ１１、ＬＡ１２、ＬＡ１３、ＱＡ１１、及びＱＡ１２と同義であり、また好ましい範囲も同様である。ＲＦ１１、ＲＦ１２、ＲＦ１３およびＲＦ１４は、それぞれ独立に水素原子または置換基を表し、ＲＦ１１とＲＦ１２、ＲＦ１２とＲＦ１３、ＲＦ１３とＲＦ１４は可能であれば互いに連結して環を形成してもよいが、ＲＦ１１とＲＦ１２、ＲＦ１３とＲＦ１４が形成する環は五員環である。ＲＦ１１、ＲＦ１２、ＲＦ１３およびＲＦ１４で表される置換基としては、それぞれ対応する一般式（Ｃ−１）におけるＲＣ１１〜ＲＣ１４で表される置換基として挙げたものが適用できる。ＲＦ１１、ＲＦ１２、ＲＦ１３およびＲＦ１４として好ましくは、ＲＦ１１とＲＦ１２、ＲＦ１３とＲＦ１４が互いに結合して五員環を形成する基もしくは、ＲＦ１２とＲＦ１３が互いに結合して芳香環を形成する基である。
【０３４０】
一般式（Ｆ−１）で表される化合物は、より好ましくは下記一般式（Ｆ−２）、一般式（Ｆ−３）、又は一般式（Ｆ−４）で表される化合物である。
【０３４１】
【化５８】
2009016184.tif 000059
【０３４２】
一般式（Ｆ−２）中、ＭＦ２は金属イオンを表す。ＬＦ２１、ＬＦ２２およびＬＦ２３は連結基を表す。ＲＦ２１、ＲＦ２２、ＲＦ２３およびＲＦ２４は置換基を表し、ＲＦ２１とＲＦ２２、ＲＦ２２とＲＦ２３、ＲＦ２３とＲＦ２４は可能であれば互いに連結して環を形成してもよいが、ＲＦ２１とＲＦ２２、ＲＦ２３とＲＦ２４が形成する環は五員環である。ＺＦ２１、ＺＦ２２、ＺＦ２３、ＺＦ２４、ＺＦ２５およびＺＦ２６はそれぞれ独立に窒素原子または置換もしくは無置換の炭素原子を表す。
【０３４３】
【化５９】
2009016184.tif 000060
【０３４４】
一般式（Ｆ−３）中、ＭＦ３は金属イオンを表す。ＬＦ３１、ＬＦ３２およびＬＦ３３は連結基を表す。ＲＦ３１、ＲＦ３２、ＲＦ３３およびＲＦ３４は置換基を表し、ＲＦ３１とＲＦ３２、ＲＦ３２とＲＦ３３、ＲＦ３３とＲＦ３４は可能であれば互いに連結して環を形成してもよいが、ＲＦ３１とＲＦ３２、ＲＦ３３とＲＦ３４が形成する環は五員環である。ＺＦ３１、ＺＦ３２、ＺＦ３３およびＺＦ３４はそれぞれ独立に窒素原子または置換もしくは無置換の炭素原子を表す。
【０３４５】
【化６０】
2009016184.tif 000061
【０３４６】
一般式（Ｆ−４）中、ＭＦ４は金属イオンを表す。ＬＦ４１、ＬＦ４２およびＬＦ４３は連結基を表す。ＲＦ４１、ＲＦ４２、ＲＦ４３およびＲＦ４４は置換基を表し、ＲＦ４１とＲＦ４２、ＲＦ４２とＲＦ４３、ＲＦ４３とＲＦ４４は可能であれば互いに連結して環を形成してもよいが、ＲＦ４１とＲＦ４２、ＲＦ４３とＲＦ４４が形成する環は五員環である。ＺＦ４１、ＺＦ４２、ＺＦ４３、ＺＦ４４、ＺＦ４５、およびＺＦ４６はそれぞれ独立に窒素原子または置換もしくは無置換の炭素原子を表す。ＸＦ４１、ＸＦ４２はそれぞれ独立に酸素原子、硫黄原子、置換もしくは無置換の窒素原子を表す。
【０３４７】
一般式（Ｆ−２）で表される化合物について詳細に説明する。
ＭＦ２、ＬＦ２１、ＬＦ２２、ＬＦ２３、ＲＦ２１、ＲＦ２２、ＲＦ２３およびＲＦ２４はそれぞれ対応する一般式（Ｆ−１）におけるＭＦ１、ＬＦ１１、ＬＦ１２、ＬＦ１３、ＲＦ１１、ＲＦ１２、ＲＦ１３およびＲＦ１４と同義であり、また好ましい範囲も同様である。
ＺＦ２１、ＺＦ２２、ＺＦ２３、ＺＦ２４、ＺＦ２５およびＺＦ２６はそれぞれ独立に窒素原子または置換もしくは無置換の炭素原子を表す。ＺＦ２１、ＺＦ２２、ＺＦ２３、ＺＦ２４、ＺＦ２５およびＺＦ２６として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
【０３４８】
一般式（Ｆ−３）で表される化合物について詳細に説明する。
一般式（Ｆ−３）中、ＭＦ３、ＬＦ３１、ＬＦ３２、ＬＦ３３、ＲＦ３１、ＲＦ３２、ＲＦ３３およびＲＦ３４はそれぞれ対応する、一般式（Ｆ−１）におけるＭＦ１、ＬＦ１１、ＬＦ１２、ＬＦ１３、ＲＦ１１、ＲＦ１２、ＲＦ１３およびＲＦ１４と同義であり、また好ましい範囲も同様である。ＺＦ３１、ＺＦ３２、ＺＦ３３およびＺＦ３４はそれぞれ独立に窒素原子または置換もしくは無置換の炭素原子を表す。ＺＦ３１、ＺＦ３２、ＺＦ３３およびＺＦ３４として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
【０３４９】
一般式（Ｆ−４）で表される化合物について詳細に説明する。
一般式（Ｆ−４）中、ＭＦ４、ＬＦ４１、ＬＦ４２、ＬＦ４３、ＲＦ４１、ＲＦ４２、ＲＦ４３およびＲＦ４４は一般式（Ｆ−１）におけるＭＦ１、ＬＦ１１、ＬＦ１２、ＬＦ１３、ＲＦ１１、ＲＦ１２、ＲＦ１３およびＲＦ１４と同義であり、また好ましい範囲も同様である。
ＺＦ４１、ＺＦ４２、ＺＦ４３、ＺＦ４４、ＺＦ４５およびＺＦ４６はそれぞれ独立に窒素原子または置換もしくは無置換の炭素原子を表す。ＺＦ４１、ＺＦ４２、ＺＦ４３、ＺＦ４４、ＺＦ４５およびＺＦ４６として好ましくは置換もしくは無置換の炭素原子であり、より好ましくは無置換の炭素原子である。炭素原子に置換される置換基としては一般式（Ａ−１）におけるＬＡ１１、ＬＡ１２、ＬＡ１３、及びＬＡ１４で表される二価の連結基の置換基としてあげたものが適用できる。
ＸＦ４１、ＸＦ４２はそれぞれ独立に酸素原子、硫黄原子、置換もしくは無置換の窒素原子を表す。ＸＦ４１、ＸＦ４２として好ましくは酸素原子、硫黄原子であり、より好ましくは酸素原子である。
【０３５０】
一般式（Ｆ−１）で表される化合物の具体例として、特開２００７−１０３４９３号に記載の化合物（Ｆ１）〜（Ｆ５２）の化合物が挙げられるが、本発明はこれらの化合物に限定されることはない。
【０３５１】
前記一般式（Ａ−１）〜（Ｆ−１）で表される化合物は公知の方法により合成することができる。
【０３５２】
次に、本発明の有機電界発光素子の構成に関して説明する。
本発明の有機電界発光素子は、一対の電極間に、２以上の発光ユニットと、前記発光ユニット間に介在する中間接触層とを有し、前記２以上の発光ユニットがそれぞれ独立に発光層を含む有機化合物層を有して構成される。
前記発光ユニットは前記有機化合物層から構成され、該有機化合物層としては、前記発光層以外に正孔注入層、正孔輸送層、電荷（電子ブロック層、正孔ブロック層、励起子ブロック層）電子輸送層、電子注入層などが挙げられる。
また、中間接触層としては、電荷発生層又は内部電極であることが好ましい。
前記２以上の発光ユニットの数は、２以上であれば特に限定されないが、発光効率を向上させる・高輝度を得るという観点と、素子作製の工程数増加による歩留まりなどの観点から２〜２０が好ましく、２〜１０がより好ましい。
また、これらの各層はそれぞれ他の機能を備えたものであってもよく、同層が積層されていてもよい。
また、本発明の有機電界発光素子は、前記発光ユニット、中間接触層の他に、基板、保護層、中間層等を有してもよい。
本発明の有機電界発光素子の好ましい態様としては、例えば、
（１）陽極、発光ユニット１、中間接触層（電荷発生層）、発光ユニット２、陰極、
（２）陽極、発光ユニット１、中間接触層（内部電極）、発光ユニット２、陰極、
（３）陽極、発光ユニット１、中間接触層１（電荷発生層１）、発光ユニット２、中間接触層２（電荷発生層２）、発光ユニット３、陰極、
（４）陽極、発光ユニット１、中間接触層１（内部電極１）、発光ユニット２、中間接触層２（内部電極２）、発光ユニット３、陰極、
等が挙げらる。
前記各層の形成には、それぞれ種々の材料を用いることができる。
【０３５３】
本発明の有機電界発光素子は、システム、駆動方法、利用形態などは特に問わない。
また、本発明の有機電界発光素子は、種々の公知の工夫により、光取り出し効率を向上させることができる。例えば、基板表面形状を加工する（例えば微細な凹凸パターンを形成する）、基板・ＩＴＯ層・有機化合物層の屈折率を制御する、基板・ＩＴＯ層・有機化合物層の膜厚を制御すること等により、光の取り出し効率を向上させ、外部量子効率を向上させることが可能である。
【０３５４】
本発明の有機電界発光素子は、陰極側から発光を取り出す、所謂、トップエミッション方式（特開２００３−２０８１０９号、同２００３−２４８４４１号、同２００３−２５７６５１号、同２００３−２８２２６１号の各公報などに記載）であってもよい。
【０３５５】
本発明の有機電界発光素子における、基板、一対の電極、各有機化合物層、その他の層、等の他の構成要素については、例えば、特開２００４−２２１０６８号の［００１３］から［００８２］、特開２００４−２１４１７８号の［００１７］から［００９１］、特開２００４−１４６０６７号の［００２４］から［００３５］、特開２００４−１０３５７７号の［００１７］から［００６８］、特開２００３−３２３９８７号の［００１４］から［００６２］、特開２００２−３０５０８３号の［００１５］から［００７７］、特開２００１−１７２２８４号の［０００８］から［００２８］、特開２０００−１８６０９４号の［００１３］から［００７５］、特表２００３−５１５８９７号の［００１６］から［０１１８］等に記載のものが本発明においても同様に適用することができる。ただし、本発明はこれらに限定されるものではない。
【０３５６】
［発光ユニット］
本発明の有機電界発光素子における発光ユニットは、前述の通り、２以上発光ユニットを有し、該２以上の発光ユニットは、それぞれ独立に少なくとも一層の発光層を含む有機化合物層を有する。
前記２以上の発光ユニットのそれぞれの層構成、層の構成要素は、同一でも異なってもよい。
前記２以上の発光ユニットは積層して用いても、平面上に配列されてそれぞれがサブピクセルを構成し、それらの光の混合により、１画素として白色光を生成しても良い。
【０３５７】
本発明における前記２以上の発光ユニットに含まれる発光層は同色相で発光しても、また、異なる色相で発光してもよいがこれらの発光の混合によって得られる光は白色光である。本発明における白色光とは、一般に照明光源あるいは液晶モニターやデイスプレイのバックライト光源として利用し得る範囲での白色光を意味するのであって、厳密な色彩再現学における色度図で表される白色点を意味するものではない。例えば、青色味を帯びた冷調の白色光、タングステン光に代表される温調な白色光、各種ハロゲンランプ等で得られる黄色調〜紫色調などの光も本発明における白色光の範囲内である。
【０３５８】
＜有機化合物層＞
本発明における有機化合物層について説明する。
本発明における有機化合物層は、少なくとも一層の発光層を有するが、発光層以外に他の有機層を有していても良く、好ましく用いられる他の有機層としては、前記正孔輸送層、電子輸送層、正孔注入層、及び電子注入層の他、電荷ブロック層、励起子ブロック層等の各層が挙げられる。
該３座以上の配位子を有する金属錯体（本発明の金属錯体）を含有する有機層は、蒸着法により蒸着して形成されることが好ましく、特に、該層が発光層であることが好ましい。
該本発明の金属錯体を含有しない他の有機層を構成する各層は、蒸着法やスパッタ法等の乾式製膜法、ディッピング、スピンコート法、ディップコート法、キャスト法、ダイコート法、ロールコート法、バーコート法、グラビアコート法等の湿式製膜法、転写法、印刷法等いずれによっても好適に成膜することができるが、均一で一定の膜厚の薄膜が形成できる点で、蒸着法が好ましい。
本発明における有機化合物層中の３座以上の配位子を有する金属錯体の含有率は、特に限定されず用いることができるが、耐久性、発光効率の観点から、全固形物質量に対して０．１質量％〜２０質量％が好ましく、１質量％〜１５質量％がより好ましく、２質量％〜１２質量％が特に好ましい。
本発明の金属錯体を含む有機化合物層が複数層である場合は、個々の層が前記範囲となることが耐久性、発光効率の点で好ましい。
【０３５９】
（発光層）
本発明に於ける白色発光を得るための発光材料としては、２つの発光ユニットの発光の混合によって得ることも、３つの発光ユニットの発光の混合によって得ることもできる。
好ましい態様の１つは、発光ユニットが少なくとも２ユニット有し、その一つの発光ユニット（Ａ）が３座以上の配位子を有する金属錯体（ＡＸ）を含有し、該発光ユニット（Ａ）の発光のピーク波長が４３０ｎｍ以上５５０ｎｍ未満であり、もう一つの発光ユニット（Ｂ）が発する発光のピーク波長が５５０ｎｍ以上６５０ｎｍ以下である。より好ましくは、該発光ユニット（Ｂ）も３座以上の配位子を有する金属錯体（ＢＸ）を含有する。
【０３６０】
別の好ましい態様は、発光ユニットが少なくとも３ユニット有し、その一つの発光ユニット（Ｃ）が３座以上の配位子を有する金属錯体（ＣＸ）を含有し、該発光ユニット（Ｃ）の発光のピーク波長が４３０ｎｍ以上５００ｎｍ未満であり、別の発光ユニット（Ｄ）を有し、その発光のピーク波長が５００ｎｍ以上５５０ｎｍ未満であり、さらに別の発光ユニット（Ｅ）を有し、その発光のピーク波長が５５０ｎｍ以上６５０ｎｍ以下である。より好ましくは、該発光ユニット（Ｄ）が３座以上の配位子を有する金属錯体（ＤＸ）を含有する。さらに好ましくは、該発光ユニット（Ｄ）が３座以上の配位子を有する金属錯体（ＤＸ）を含有し、且つ該発光ユニット（Ｅ）も３座以上の配位子を有する金属錯体（ＥＸ）を含有する。
【０３６１】
３座以上の配位子を有する金属錯体（ＡＸ）、（ＢＸ）、（ＣＸ）、（ＤＸ）、および（ＥＸ）の具体例を以下に説明する。これらの中からそれぞれ対応する発光波長が得られる化合物を選択して組み合わせて用いることができる。
【０３６２】
（１）３座以上の配位子を有する金属錯体（ＡＸ）
発光のピーク波長が４３０ｎｍ以上５５０ｎｍ未満である３座以上の配位子を有する金属錯体（ＡＸ）として、具体的には例えば特開２００７−１０３４９３の化合物段落番号「化２５」に記載の例示化合物（３８）〜（４０）、化合物段落番号「化２７」に記載の例示化合物（４９）、（５０）、（５５）、（５６）、（５８）、（５９）、化合物段落番号「化３０」に記載の例示化合物（７８）〜（８６）、化合物段落番号「化３２」に記載の例示化合物（１０２）、（１０３）〜（１０７）、化合物段落番号「化３３」に記載の例示化合物（１１３）、化合物段落番号「化３８」に記載の例示化合物（１５５）、（１５６）、（１５９）〜（１６１）、化合物段落番号「化３９」に記載の例示化合物（１６２）、（１６６）、化合物段落番号「化４０」に記載の例示化合物（１７２）、（１７６）、化合物段落番号「化４４」に記載の例示化合物（２１２）〜（２２３）、化合物段落番号「化４５」に記載の例示化合物（２２４）〜（２３２）、化合物段落番号「化４６」に記載の例示化合物（２３３）〜（２３９）、化合物段落番号「化４８」に記載の例示化合物（２４３）、（２４４）、化合物段落番号「化６７」に記載の例示化合物（６２）〜（６９）、化合物段落番号「化６８」に記載の例示化合物（７０）、（７２）、（７４）、（７６）、（７７）、化合物段落番号「化６９」に記載の例示化合物（７８）〜（８２）、（８４）、（８５）、化合物段落番号「化７５」に記載の例示化合物（１２５）〜（１３２）、化合物段落番号「化７６」に記載の例示化合物（１３３）〜（１４０）、化合物段落番号「化７７」に記載の例示化合物（１４１）〜（１４７）、化合物段落番号「化７８」に記載の例示化合物（１５２）、化合物段落番号「化８８」に記載の例示化合物（Ａ４９）、（Ａ５０）、（Ａ５２）〜（Ａ５６）、（Ａ５８）〜（Ａ６０）、化合物段落番号「化８９」に記載の例示化合物（Ａ７０）、化合物段落番号「化９０」記載の例示化合物（Ａ７３）〜（Ａ７８）、化合物段落番号「化９５」に記載の例示化合物（Ｂ１）〜（Ｂ１２）、化合物段落番号「化９９」に記載の例示化合物（Ｂ４９）〜（Ｂ５５）のほか下記の化合物を挙げることが出来るが、本発明はこれらの化合物に限定されない。
【０３６３】
【化６１】
2009016184.tif 000062
【０３６４】
金属錯体（ＡＸ）の好ましい具体例は、特開２００７−１０３４９３の化合物段落番号「化２７」に記載の例示化合物（４９）、（５８）、（５９）、化合物段落番号「化３０」に記載の例示化合物（７８）〜（８０）、（８２）、（８３）、（８５）、化合物段落番号「化４５」に記載の例示化合物（２２７）〜（２３２）、化合物段落番号「化４６」に記載の例示化合物（２３３）、（２３５）〜（２３９）、化合物段落番号「化４８」に記載の例示化合物（２４３）、（２４４）、化合物段落番号「化６９」に記載の例示化合物（７９）〜（８２）、（８４）、（８５）、前記（ＡＸ−１）〜（ＡＸ−１０）であり、より好ましい具体例は、特開２００７−１０３４９３の化合物段落番号「化２７」に記載の例示化合物（４９）、（５８）、（５９）、化合物段落番号「化３０」に記載の例示化合物（７８）〜（８０）、（８２）、（８３）、（８５）、化合物段落番号「化３２」に記載の例示化合物、（１０３）、化合物段落番号「化４４」に記載の例示化合物（２１２）〜（２２３）、化合物段落番号「化４５」に記載の例示化合物（２２４）〜（２３２）、化合物段落番号「化４６」に記載の例示化合物（２３３）〜（２３９）、（２３８）、化合物段落番号「化４８」に記載の例示化合物（２４３）、（２４４）、前記（ＡＸ−１）〜（ＡＸ−８）であり、更に好ましい具体例は、特開２００７−１０３４９３の化合物段落番号「化２７」に記載の例示化合物（４９）、（５８）、化合物段落番号「化３０」に記載の例示化合物（７８）〜（８０）、（８２）、（８３）、（８５）、化合物段落番号「化４５」に記載の例示化合物（２２７）〜（２２９）、化合物段落番号「化４６」に記載の例示化合物（２３６）、化合物段落番号「化４８」に記載の例示化合物（２４３）、（２４４）、前記（ＡＸ−１）〜（ＡＸ−５）、（ＡＸ−８）である。
【０３６５】
（２）３座以上の配位子を有する金属錯体（ＢＸ）
発光のピーク波長が５５０ｎｍ以上６５０ｎｍ以下である３座以上の配位子を有する金属錯体（ＢＸ）として、具体的には例えば特開２００７−１０３４９３の化合物段落番号「化２２」に記載の例示化合物（１）〜（１２）、化合物段落番号「化２３」に記載の例示化合物（１３）〜（２３）、化合物段落番号「化２４」に記載の例示化合物（２４）〜（３１）、化合物段落番号「化２５」に記載の例示化合物（３５）、（４１）〜（４３）、化合物段落番号「化２６」に記載の例示化合物（４４）〜（４８）、化合物段落番号「化２７」に記載の例示化合物（５１）〜（５４）、（５７）、（６０）、化合物段落番号「化２８」に記載の例示化合物（６２）〜（６５）、化合物段落番号「化２９」に記載の例示化合物（７１）〜（７７）、化合物段落番号「化３０」に記載の例示化合物（８７）、化合物段落番号「化３１」に記載の例示化合物（８８）〜（９１）、（９３）〜（９５）、化合物段落番号「化３２」に記載の例示化合物（９８）、（１００）、（１０１）、化合物段落番号「化３３」に記載の例示化合物（１１０）〜（１１２）、（１１４）〜（１１７）、化合物段落番号「化３４」に記載の例示化合物（１１８）〜（１２３）、（１２６）、化合物段落番号「化３５」記載の例示化合物（１２９）、（１３１）、化合物段落番号「化３７」に記載の例示化合物（１４４）〜（１４８）、（１５１）、化合物段落番号「化３８」に記載の例示化合物（１５８）、化合物段落番号「化４１」に記載の例示化合物（１７８）〜（１８９）、化合物段落番号「化４２」に記載の例示化合物（１９０）〜（２０１）、化合物段落番号「化４３」に記載の例示化合物（２０２）〜（２１１）、化合物段落番号「化４８」に記載の例示化合物（２４５）、化合物段落番号「化６０」に記載の例示化合物（２）〜（８）、化合物段落番号「化６１」に記載の例示化合物（１５）〜（２０）、化合物段落番号「化６２」に記載の例示化合物（２７）〜（３２）、化合物段落番号「化６３」に記載の例示化合物（３６）〜（３８）、化合物段落番号「化６４」に記載の例示化合物（４２）〜（４４）、化合物段落番号「化６５」に記載の例示化合物（５０）〜（５２）、化合物段落番号「化６６」に記載の例示化合物（５７）〜（６１）、化合物段落番号「化６８」に記載の例示化合物（７１）、（７３）、化合物段落番号「化６９」に記載の例示化合物（８３）、化合物段落番号「化７０」に記載の例示化合物（８６）〜（９３）、化合物段落番号「化７１」に記載の例示化合物（９４）〜（９８）、化合物段落番号「化７４」に記載の例示化合物（１１８）、（１１９）、化合物段落番号「化７８」に記載の例示化合物（１５０）、（１５１）、化合物段落番号「化９８」記載の例示化合物（Ｂ４１）〜（Ｂ４４）、化合物段落番号「化１０５」に記載の例示化合物（Ｃ１）〜（Ｃ１５）、化合物段落番号「化１０６」記載の例示化合物（Ｃ１６）〜（Ｃ２７）、化合物段落番号「化１０７」に記載の例示化合物（Ｃ２８）〜（Ｃ３９）、化合物段落番号「化１０８」に記載の例示化合物（Ｃ４０）〜（Ｃ５１）、化合物段落番号「化１０９」に記載の例示化合物（Ｃ５２）〜（Ｃ６３）、化合物段落番号「化１１４」に記載の例示化合物（Ｄ１）〜（Ｄ１２）、化合物段落番号「化１１５」に記載の例示化合物（Ｄ１３）〜（Ｄ２４）、化合物段落番号「化１１９」に記載の例示化合物（Ｅ１）〜（Ｅ８）、化合物段落番号「化１２０」に記載の例示化合物（Ｅ９）〜（Ｅ１５）、化合物段落番号「化１２５」に記載の例示化合物（Ｆ１）〜（Ｆ１２）、化合物段落番号「化１２６に記載の例示化合物（Ｆ１３）〜（Ｆ２４）、化合物段落番号「化１２７」に記載の例示化合物（Ｆ２５）〜（Ｆ３３）、化合物段落番号「化１２８」に記載の例示化合物（Ｆ３４）〜（Ｆ４５）、化合物段落番号「化１２９」に記載の例示化合物（Ｆ４６）〜（Ｆ５２）の化合物を挙げることが出来るが、本発明はこれらの化合物に限定されない。
【０３６６】
金属錯体（ＢＸ）の好ましい具体例は、特開２００７−１０３４９３の化合物段落番号「化２２」に記載の例示化合物（１）、（２）、（１２）化合物段落番号「化２３」記載の例示化合物（１３）〜（２３）、化合物段落番号「化２４」に記載の例示化合物（２４）〜（３１）、化合物段落番号「化２５」に記載の例示化合物（４１）〜（４３）、化合物段落番号「化２７」に記載の例示化合物（５２）〜（５４）、（６０）、化合物段落番号「化２８」に記載の例示化合物（６５）、化合物段落番号「化２９」に記載の例示化合物（７１）、（７２）、化合物段落番号「化３１」記載の例示化合物（８８）〜（９１）、（９３）〜（９５）、化合物段落番号「化４３」に記載の例示化合物（２０２）〜（２１０）、化合物段落番号「化４８」に記載の例示化合物（２４５）であり、より好ましい具体例は、特開２００７−１０３４９３の化合物段落番号「化２２」に記載の例示化合物（１）、（２）、（１２）、化合物段落番号「化２３」に記載の例示化合物（１３）〜（１６）、（１８）〜（２３）、化合物段落番号「化２５」に記載の例示化合物（４１）〜（４３）、化合物段落番号「化２７」に記載の例示化合物（５２）〜（５４）、（６０）、化合物段落番号「化２８」に記載の例示化合物（６５）、化合物段落番号「化２９」記載の例示化合物（７１）、化合物段落番号「化３１」に記載の例示化合物（８８）〜（９０）、（９３）、（９４）、化合物段落番号「化４３」に記載の例示化合物（２０２）〜（２０４）、（２０７）〜（２０９）、化合物段落番号「化４８」に記載の例示化合物（２４５）であり、更に好ましい具体例は、特開２００７−１０３４９３の化合物段落番号「化２２」に記載の例示化合物（１）、（１２）、化合物段落番号「化２３」に記載の例示化合物（１３）〜（１６）、（１８）〜（２３）、化合物段落番号「化２５」に記載の例示化合物（４１）〜（４３）、化合物段落番号「化２７」に記載の例示化合物（５２）、（５４）、（６０）、化合物段落番号「化２８」に記載の例示化合物（６５）、化合物段落番号「化２９」に記載の例示化合物（７１）である。
【０３６７】
（３）３座以上の配位子を有する金属錯体（ＣＸ）
発光のピーク波長が４３０ｎｍ以上５００ｎｍ未満である３座以上の配位子を有する金属錯体（ＣＸ）として、具体的には例えば特開２００７−１０３４９３の化合物段落番号「化２５」に記載の例示化合物（３９）、（４０）、化合物段落番号「化２７」に記載の例示化合物（５８）、（５９）、化合物段落番号「化３０」に記載の例示化合物（８０）、（８３）、（８４）、化合物段落番号「化３８」に記載の例示化合物（１５５）、（１５６）、（１５９）〜（１６１）、化合物段落番号「化３９」に記載の例示化合物（１６２）、（１６６）、化合物段落番号「化４４」に記載の例示化合物（２１２）〜（２１７）、化合物段落番号「化４５」に記載の例示化合物（２２４）〜（２３２）、化合物段落番号「化４６」に記載の例示化合物（２３３）〜（２３６）、（２３８）、化合物段落番号「化４８」に記載の例示化合物（２４３）、（２４４）、化合物段落番号「化６７」に記載の例示化合物（６３）、（６５）、（６７）、（６９）、化合物段落番号「化６８」に記載の例示化合物（７２）、（７４）、（７６）、化合物段落番号「化６９」に記載の例示化合物（７９）、（８１）、（８４）、化合物段落番号「化７５」に記載の例示化合物（１２５）〜（１３２）、化合物段落番号「化７６」に記載の例示化合物（１３３）〜（１４０）、化合物段落番号「化７７」に記載の例示化合物（１４１）〜（１４７）、化合物段落番号「化７８」に記載の例示化合物（１５２）、化合物段落番号「化８８」に記載の例示化合物（Ａ４９）、（Ａ５０）、（Ａ５２）〜（Ａ５６）、化合物段落番号「化９０」に記載の例示化合物（Ａ７３）〜（Ａ７８）、化合物段落番号「化９９」に記載の例示化合物（Ｂ４９）〜（Ｂ５１）のほか前記（ＡＸ−１）〜（ＡＸ−８）を挙げることが出来るが、本発明はこれらの化合物に限定されない。
【０３６８】
金属錯体（ＣＸ）の好ましい具体例は、特開２００７−１０３４９３の化合物段落番号「化２５」に記載の例示化合物（３９）、（４０）、化合物段落番号「化２７」に記載の例示化合物（５８）、（５９）、化合物段落番号「化３０」に記載の例示化合物（８０）、（８３）、（８４）、化合物段落番号「化４４」に記載の例示化合物（２１２）〜（２１７）、化合物段落番号「化４５」に記載の例示化合物（２２４）〜（２３２）、化合物段落番号「化４６」に記載の例示化合物（２３３）〜（２３６）、（２３８）、化合物段落番号「４８」記載の例示化合物（２４３）、（２４４）、化合物段落番号「化６７」に記載の例示化合物（６３）、（６５）、（６７）、（６９）、化合物段落番号「化６８」に記載の例示化合物（７２）、（７４）、（７６）、化合物段落番号「化６９」に記載の例示化合物（７９）、（８１）、（８４）、（８５）、前記（ＡＸ−１）〜（ＡＸ−８）であり、より好ましい具体例は、特開２００７−１０３４９３の化合物段落番号「化２７」に記載の例示化合物（５８）、（５９）、化合物段落番号「化３０」に記載の例示化合物（８０）、（８３）、化合物段落番号「化４５」に記載の例示化合物（２２７）〜（２２９）、化合物段落番号「化４６」に記載の例示化合物（２３６）、化合物段落番号「化４８」に記載の例示化合物（２４３）、（２４４）、前記（ＡＸ−１）〜（ＡＸ−５）であり、更に好ましい具体例は、特開２００７−１０３４９３の化合物段落番号「化２７」に記載の例示化合物（５８）、化合物段落番号「化３０」に記載の例示化合物（８０）、（８３）、化合物段落番号「化４５」に記載の例示化合物（２２７）、（２２８）、化合物段落番号「化４６」に記載の例示化合物（２３６）、化合物段落番号「化４８」に記載の例示化合物（２４３）、（２４４）、前記（ＡＸ−１）〜（ＡＸ−５）である。
【０３６９】
（４）３座以上の配位子を有する金属錯体（ＤＸ）
発光のピーク波長が５００ｎｍ以上５５０ｎｍ未満である３座以上の配位子を有する金属錯体（ＤＸ）として、例えば特開２００７−１０３４９３の化合物段落番号「化２５」に記載の例示化合物（３８）、化合物段落番号「化２７」に記載の例示化合物（４９）、（５０）、化合物段落番号「化３０」に記載の例示化合物（７８）、（７９）、（８１）、（８２）、（８５）、（８６）、化合物段落番号「化３３」に記載の例示化合物（１１３）、化合物段落番号「化４４」に記載の例示化合物（２１８）〜（２２３）、化合物段落番号「化４６」に記載の例示化合物（２３７）、化合物段落番号「化６７」に記載の例示化合物（６２）、（６４）、（６６）、（６８）、化合物段落番号「化６８」に記載の例示化合物（７０）、（７７）、化合物段落番号「化６９」に記載の例示化合物（７８）、（８０）、（８２）、（８５）、化合物段落番号「化９５」載の例示化合物（Ｂ１）〜（Ｂ３）を挙げることが出来るが、本発明はこれらの化合物に限定されない。
【０３７０】
金属錯体（ＤＸ）の好ましい具体例は、特開２００７−１０３４９３の化合物段落番号「化２５」に記載の例示化合物（３８）、化合物段落番号「化２７」に記載の例示化合物（４９）、化合物段落番号「化３０」に記載の例示化合物（７８）、（７９）、（８１）、（８２）、（８５）、（８６）、化合物段落番号「化４４」に記載の例示化合物（２１８）〜（２２０）、化合物段落番号「化４６」に記載の例示化合物（２３７）、化合物段落番号「化６９」に記載の例示化合物（８２）、（８５）であり、より好ましい具体例は、特開２００７−１０３４９３の化合物段落番号「化２７」に記載の例示化合物（４９）、化合物段落番号「化３０」に記載の例示化合物（７８）、（７９）、（８２）、（８５）、（８６）、化合物段落番号「化４４」に記載の例示化合物（２１８）、（２１９）、化合物段落番号「化４６」に記載の例示化合物（２３７）であり、更に好ましい具体例は、特開２００７−１０３４９３の化合物段落番号「化２７」に記載の例示化合物（４９）、化合物段落番号「化３０」に記載の例示化合物（７８）、（７９）、（８２）、（８５）、（８６）である。
【０３７１】
（５）３座以上の配位子を有する金属錯体（ＥＸ）
発光のピーク波長が５５０ｎｍ以上６５０ｎｍ以下である３座以上の配位子を有する金属錯体（ＥＸ）の具体例としては、例えば前述の金属錯体（ＢＸ）で挙げたものが適用でき、また、好ましい化合物例も同様である。
【０３７２】
（６）その他の発光材料
３座以上の配位子を有する金属錯体とともに、その他の発光材料を併用することができる。例えば、発光層が２つの発光ユニットより構成される場合、発光のピーク波長が５５０ｎｍ以上６５０ｎｍ以下の発光材料としては、具体的には前述の金属錯体（ＢＸ）のほか下記の化合物を挙げることが出来るが、本発明はこれらの化合物に限定されない。
【０３７３】
【化６２】
2009016184.tif 000063
【０３７４】
【化６３】
2009016184.tif 000064
【０３７５】
（ホスト材料）
本発明に用いられるホスト材料としては、正孔輸送性に優れる正孔輸送性ホスト材料（正孔輸送性ホストと記載する場合がある）及び電子輸送性に優れる電子輸送性ホスト材料（電子輸送性ホストと記載する場合がある）を用いることができる。
【０３７６】
《正孔輸送性ホスト》
本発明の発光層に用いられる正孔輸送性ホストとしては、耐久性向上、駆動電圧低下の観点から、イオン化ポテンシャルＩｐが５．１ｅＶ以上６．４ｅＶ以下であることが好ましく、５．４ｅＶ以上６．２ｅＶ以下であることがより好ましく、５．６ｅＶ以上６．０ｅＶ以下であることが更に好ましい。また、耐久性向上、駆動電圧低下の観点から、電子親和力Ｅａが１．２ｅＶ以上３．１ｅＶ以下であることが好ましく、１．４ｅＶ以上３．０ｅＶ以下であることがより好ましく、１．８ｅＶ以上２．８ｅＶ以下であることが更に好ましい。
本発明に用いられる正孔輸送性ホストとしては、具体的には、例えば、以下の材料を挙げることができる。
ピロール、インドール、カルバゾール、アザインドール、アザカルバゾール、トリアゾール、オキサゾール、オキサジアゾール、ピラゾール、イミダゾール、チオフェン、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、及び、それらの誘導体等が挙げられる。
好ましくは、インドール誘導体、カルバゾール誘導体、芳香族第三級アミン化合物、チオフェン誘導体であり、より好ましくは、分子内にカルバゾール基を有するものが好ましい。特に、ｔ−ブチル置換カルバゾール基を有する化合物が好ましい。
【０３７７】
《電子輸送性ホスト》
本発明に用いられる発光層内の電子輸送性ホストとしては、耐久性向上、駆動電圧低下の観点から、電子親和力Ｅａが２．５ｅＶ以上３．５ｅＶ以下であることが好ましく、２．６ｅＶ以上３．４ｅＶ以下であることがより好ましく、２．８ｅＶ以上３．３ｅＶ以下であることが更に好ましい。また、耐久性向上、駆動電圧低下の観点から、イオン化ポテンシャルＩｐが５．７ｅＶ以上７．５ｅＶ以下であることが好ましく、５．８ｅＶ以上７．０ｅＶ以下であることがより好ましく、５．９ｅＶ以上６．５ｅＶ以下であることが更に好ましい。
【０３７８】
このような電子輸送性ホストとしては、具体的には、例えば、以下の材料を挙げることができる。
ピリジン、ピリミジン、トリアジン、イミダゾール、ピラゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、およびそれらの誘導体（他の環と縮合環を形成してもよい）、８−キノリノ−ル誘導体の金属錯体やメタルフタロシアニン、ベンゾオキサゾ−ルやベンゾチアゾ−ルを配位子とする金属錯体に代表される各種金属錯体等を挙げることができる。
【０３７９】
電子輸送性ホストとして好ましくは、金属錯体、アゾール誘導体（ベンズイミダゾール誘導体、イミダゾピリジン誘導体等）、アジン誘導体（ピリジン誘導体、ピリミジン誘導体、トリアジン誘導体等）であり、中でも、本発明においては耐久性の点から金属錯体化合物が好ましい。金属錯体化合物は金属に配位する少なくとも１つの窒素原子または酸素原子または硫黄原子を有する配位子をもつ金属錯体がより好ましい。
金属錯体中の金属イオンは特に限定されないが、好ましくはベリリウムイオン、マグネシウムイオン、アルミニウムイオン、ガリウムイオン、亜鉛イオン、インジウムイオン、錫イオン、白金イオン、またはパラジウムイオンであり、より好ましくはベリリウムイオン、アルミニウムイオン、ガリウムイオン、亜鉛イオン、白金イオン、またはパラジウムイオンであり、更に好ましくはアルミニウムイオン、亜鉛イオン、またはパラジウムイオンである。
【０３８０】
前記金属錯体中に含まれる配位子としては種々の公知の配位子が有るが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」、Ｓｐｒｉｎｇｅｒ−Ｖｅｒｌａｇ社、Ｈ．Ｙｅｒｓｉｎ著、１９８７年発行、「有機金属化学−基礎と応用−」、裳華房社、山本明夫著、１９８２年発行等に記載の配位子が挙げられる。
【０３８１】
前記配位子として、好ましくは含窒素ヘテロ環配位子（好ましくは炭素数１〜３０、より好ましくは炭素数２〜２０、特に好ましくは炭素数３〜１５であり、単座配位子であっても２座以上の配位子であっても良い。好ましくは２座以上６座以下の配位子である。また、２座以上６座以下の配位子と単座の混合配位子も好ましい。
配位子としては、例えばアジン配位子（例えば、ピリジン配位子、ビピリジル配位子、ターピリジン配位子などが挙げられる。）、ヒドロキシフェニルアゾール配位子（例えば、ヒドロキシフェニルベンズイミダゾール配位子、ヒドロキシフェニルベンズオキサゾール配位子、ヒドロキシフェニルイミダゾール配位子、ヒドロキシフェニルイミダゾピリジン配位子などが挙げられる。）、アルコキシ配位子（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ配位子（好ましくは炭素数６〜３０、より好ましくは炭素数６〜２０、特に好ましくは炭素数６〜１２であり、例えばフェニルオキシ、１−ナフチルオキシ、２−ナフチルオキシ、２，４，６−トリメチルフェニルオキシ、４−ビフェニルオキシなどが挙げられる。）、
【０３８２】
ヘテロアリールオキシ配位子（好ましくは炭素数１〜３０、より好ましくは炭素数１〜２０、特に好ましくは炭素数１〜１２であり、例えばピリジルオキシ、ピラジルオキシ、ピリミジルオキシ、およびキノリルオキシなどが挙げられる。）、アルキルチオ配位子（好ましくは炭素数１〜３０、より好ましくは炭素数１〜２０、特に好ましくは炭素数１〜１２であり、例えばメチルチオ、エチルチオなどが挙げられる。）、アリールチオ配位子（好ましくは炭素数６〜３０、より好ましくは炭素数６〜２０、特に好ましくは炭素数６〜１２であり、例えばフェニルチオなどが挙げられる。）、ヘテロアリールチオ配位子（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、および２−ベンズチアゾリルチオなどが挙げられる。）、シロキシ配位子（好ましくは炭素数１〜３０、より好ましくは炭素数３〜２５、特に好ましくは炭素数６〜２０であり、例えば、トリフェニルシロキシ基、トリエトキシシロキシ基、およびトリイソプロピルシロキシ基などが挙げられる。）、芳香族炭化水素アニオン配位子（好ましくは炭素数６〜３０、より好ましくは炭素数６〜２５、特に好ましくは炭素数６〜２０であり、例えばフェニルアニオン、ナフチルアニオン、およびアントラニルアニオンなどが挙げられる。）、芳香族ヘテロ環アニオン配位子（好ましくは炭素数１〜３０、より好ましくは炭素数２〜２５、特に好ましくは炭素数２〜２０であり、例えばピロールアニオン、ピラゾールアニオン、ピラゾールアニオン、トリアゾールアニオン、オキサゾールアニオン、ベンゾオキサゾールアニオン、チアゾールアニオン、ベンゾチアゾールアニオン、チオフェンアニオン、およびベンゾチオフェンアニオンなどが挙げられる。）、インドレニンアニオン配位子などが挙げられ、好ましくは含窒素ヘテロ環配位子、アリールオキシ配位子、ヘテロアリールオキシ基、またはシロキシ配位子であり、更に好ましくは含窒素ヘテロ環配位子、アリールオキシ配位子、シロキシ配位子、芳香族炭化水素アニオン配位子、または芳香族ヘテロ環アニオン配位子である。
【０３８３】
金属錯体電子輸送性ホストの例としては、例えば特開２００２−２３５０７６、特開２００４−２１４１７９、特開２００４−２２１０６２、特開２００４−２２１０６５、特開２００４−２２１０６８、特開２００４−３２７３１３等に記載の化合物が挙げられる。
【０３８４】
本発明における発光層において、前記ホスト材料の三重項最低励起準位（Ｔ１）が、前記燐光発光材料のＴ１より高いことが色純度、発光効率、駆動耐久性の点で好ましい。
【０３８５】
また、本発明におけるホスト化合物の含有量は、特に限定されるものではないが、発光効率、駆動電圧の観点から、発光層を形成する全化合物質量に対して１５質量％以上９５質量％以下であることが好ましい。
【０３８６】
発光層の形成方法は、特に限定されるものではないが、前述した有機化合物層の形成方法の中でも、抵抗加熱蒸着、電子ビーム、スパッタリング、分子積層法、コーティング法、インクジェット法、印刷法、ＬＢ法、転写法などの方法が用いられ、好ましくは抵抗加熱蒸着、コーティング法である。
【０３８７】
発光ユニットにおける発光層が複数の場合は、少なくとも一層の発光層には前記ホスト材料及び少なくとも一種の燐光発光材料を含有することが好ましい。その他の発光層がホスト材料及び／又は燐光発光材料の単一材料で形成されていてもよいし、複数の化合物で形成されていてもよい。これらの中でも、いずれの発光層にもホスト材料及び燐光発光材料を含有することが好ましい。
【０３８８】
発光層は、複数のドメイン構造を有していてもよい。発光層中に他のドメイン構造を有していてもよい。例えば、発光層が、ホスト材料Ａ及びリン光発光材料Ｂの混合物からなる約１ｎｍ３の領域と、ホスト材料Ｃ及びリン光発光材料Ｄの混合物からなる約１ｎｍ３の領域で構成されていてもよい。各ドメインの径は、０．２ｎｍ以上１０ｎｍ以下が好ましく、０．３ｎｍ以上５ｎｍ以下がより好ましく、０．５ｎｍ以上３ｎｍ以下がさらに好ましく、０．７ｎｍ以上２ｎｍ以下が特に好ましい。
【０３８９】
発光層は、更に、本発明の効果を損なわない範囲で、燐光材料と共に蛍光材料が含まれていてもよい。
本発明に使用できる蛍光発光材料の例としては、特に制限はなく、公知のものから適宜選択することができる。例えば、特開２００４−１４６０６７号の［００２７］、特開２００４−１０３５７７号の［００５７］等に記載のものを挙げることができるが、本発明はこれに限定されない。
【０３９０】
（中間接触層）
中間接触層は、発光輝度、発光効率を向上させるために前記発光ユニット間に接するようにその中間に形成される。
中間接触層は、（１）電界印加時に電荷を発生する機能を有し、かつ、発生した電荷を隣接層に注入する機能を有する層（電荷発生層）であっても、または、（２）前記２以上の発光ユニットのそれぞれに独立にバイアス電圧が付与できる機能を有する層（内部電極）であってもよい。
【０３９１】
まず、前記（１）中間接触層が電荷発生層である態様について、図１を用いて説明する。
図１は、中間接触層として電荷発生層を有する本発明の有機電界発光素子の一例を示す概略構成図である。
電荷発生層を有する有機電界発光素子の一態様について、発光ユニットの数ｎを３として、有機電界発光素子の製造を通じて以下に説明する。この場合の、電荷発生層の数はｎ−１＝２となる。
（Ａ）図１の陽極（例えば、酸化インジウム錫（ＩＴＯと略記）電極）１０を有する基板（図示なし）の陽極１０上に、第一の発光ユニット（発光ユニット１）１１を形成し、続いて電荷発生層１２ａを形成する。
（Ｂ）さらに、上記と同様にして、第二の発光ユニット（発光ユニット２）１３を形成し、続いて電荷発生層１４ａを形成する。
（Ｃ）続いて、上記と同様にして、第三の発光ユニット（発光ユニット３）１５を形成する。
（Ｄ）最後に、陰極を形成する。
以上により、発光ユニットが３ユニットの場合の有機電界発光素子を得ることができる。    
【０３９２】
発光ユニットｎを有する有機電界発光素子の製造の場合は、前記（Ａ）工程をｎ−１回繰り返した後、（Ｃ）のｎ番目の発光ユニットｎとして（Ｃ）を行い、続いて（Ｄ）工程を行うことにより、発光ユニットｎを有する本発明の有機電界発光素子を得ることができる。
【０３９３】
前記各発光ユニットの有機化合物層が正孔注入層・輸送層、電子注入層・輸送層、電子・正孔ブロック層から構成される場合、陽極側から、正孔注入層、正孔輸送層、電子ブロック層、発光層、正孔ブロック層、電子輸送層、電子注入層の層順とすることが好ましい。その他の層構成であっても同様の層順となる。
【０３９４】
前記電荷発生層に含まれる材料としては、電界印加時に電荷（正孔及び電子）を発生する機能を有すると共に、発生した電荷を電荷発生層と隣接する層に注入させる機能を有する層を形成することができるものであれば何でもよい。
電荷発生層は単一化合物で形成されてもよいし、複数の化合物で形成されてもよい。また、単層であっても積層構造を有していてもよい。
【０３９５】
電荷発生層に含まれる材料としては、導電性を有するものであっても、ドープされた有機層のように半導電性を有するものであっても、また、電気絶縁性を有するものであってもよく、特開平１１−３２９７４８の段落番号（００２４）〜（００２５）の記載や、特開２００３−２７２８６０の段落番号（００１８）〜（００２１）の記載や、特開２００４−３９６１７の段落番号（００２７）〜（００３４）の記載にある材料が挙げられ、具体的には、ＩＴＯ、酸化インジウム亜鉛（ＩＺＯと略記）などの透明導電材料、Ｃａ、Ａｇ、Ａｌ、Ｍｇ：Ａｇ合金、Ａｌ：Ｌｉ合金、Ｍｇ：Ｌｉ合金などの金属材料、２，３，５，６−テトラフルオロ−７，７，８，８−テトラシアノキノジメタン（Ｆ４−ＴＣＮＱと略記）をドープした４，４’，４’’−トリス（２−ナフチルフェニルアミノ）トリフェニルアミン（２−ＴＮＡＴＡと略記）、Ｖ２Ｏ５などが挙げられる。
【０３９６】
また、正孔伝導性材料と、電子伝導性材料を組み合わせたものでもよい。前記正孔伝導性材料は、正孔輸送有機材料にＦ４−ＴＣＮＱ、ＴＣＮＱ、ＦｅＣｌ３などの電子求引性を有する酸化剤をドープさせたものや、Ｐ型導電性高分子、Ｐ型半導体などが挙げられ、前記電子伝導性材料は電子輸送有機材料に４．０ｅＶ未満の仕事関数を有する金属もしくは金属化合物をドープしたものや、Ｎ型導電性高分子、Ｎ型半導体が挙げられる。Ｎ型半導体としては、Ｎ型Ｓｉ、Ｎ型ＣｄＳ、Ｎ型ＺｎＳなどが挙げられ、Ｐ型半導体としては、Ｐ型Ｓｉ、Ｐ型ＣｄＴｅ、Ｐ型ＣｕＯなどが挙げられる。
更にまた、透明伝導材料や金属材料などの導電性を有する材料と正孔伝導性材料、または、電子伝導性材料を組み合わせたものでも良い。
【０３９７】
前記電荷発生層の膜厚は、特に限定されるものではないが、０．５ｎｍ〜２００ｎｍが好ましく、１ｎｍ〜１００ｎｍがより好ましく、３ｎｍ〜５０ｎｍがさらに好ましく、５ｎｍ〜３０ｎｍが特に好ましい。
電荷発生層の形成方法は、特に限定されるものではないが、前述した有機化合物層の形成方法の中でも、形成真空蒸着法やＬＢ法、前記電荷発生層の材料を溶媒に溶解又は分散させてコーティングする方法、インクジェット法、印刷法、転写法が用いられる。コーティング法の場合、樹脂成分と共に溶解又は分散することができ、樹脂成分としては例えば、ポリ塩化ビニル、ポリカーボネート、ポリスチレン、ポリメチルメタクリレート、ポリブチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂などが挙げられる。
【０３９８】
電荷発生層は、前記発光層のような複数のドメイン構造を有していてもよい。電荷発生層中に他のドメイン構造を有していても良い。
【０３９９】
電荷発生層は前記二層以上の発光層間に形成するが、電荷発生層の陽極側および陰極側には、隣接する層に電荷を注入する機能を有する材料を含んでいても良い。陽極側に隣接する層への注入性を上げるため、例えば、ＢａＯ、ＳｒＯ、Ｌｉ２Ｏ、ＬｉＣｌ、ＬｉＦ、ＭｇＦ２、ＭｇＯ、ＣａＦ２などの電子注入性化合物を電荷発生層の陽極側に積層させてもよい。
【０４００】
次に、前記（２）中間接触層が内部電極である態様について、図２を用いて説明する。
図２は、中間接触層として内部電極を有する本発明の有機電界発光素子の一例を示す概略構成図である。
内部電極を有する有機電界発光素子の一態様について、発光ユニットの数ｎを３として、有機電界発光素子の製造を通じて以下に説明する。この場合の、内部電極の数はｎ−１＝２となる。
【０４０１】
（Ａ’）図２の陽極（例えば、ＩＴＯ電極）２０を有する基板（図示なし）の陽極２０上に、第一の発光ユニット（発光ユニット１）２１を形成し、続いて内部電極２２ｂを形成する。
（Ｂ’）さらに、上記と同様にして、第二の発光ユニット（発光ユニット２）２３を形成し、続いて内部電極２４ｂを形成する。
（Ｃ’）続いて、上記と同様にして、第三の発光ユニット（発光ユニット３）２５を形成する。
（Ｄ’）最後に、陰極を形成する。
ここで、前記内部電極（２２ｂ、２４ｂ）は、それぞれ別個の電源（２８−１、２８−２）から別個のバイアス電圧が入力できるように形成される。
以上により、発光ユニットが３ユニットの場合の有機電界発光素子を得ることができる。
【０４０２】
発光ユニットｎを有する有機電界発光素子の製造の場合は、前記（Ａ）工程をｎ−１回繰り返した後、（Ｃ）のｎ番目の発光ユニットｎとして（Ｃ）を行い、続いて（Ｄ）工程を行うことにより、発光ユニットｎを有する本発明の有機電界発光素子を得ることができる。
【０４０３】
前記各発光ユニットの有機化合物層が正孔注入層・輸送層、電子注入層・輸送層、電子・正孔ブロック層から構成される場合、陽極側から、正孔注入層、正孔輸送層、電子ブロック層、発光層、正孔ブロック層、電子輸送層、電子注入層の層順とすることが好ましい。その他の層構成であっても同様の層順となる。
【０４０４】
前記内部電極は、透明又は半透明であることが好ましく、用いられる材料としては、前述の一対の電極で用いられる材料が挙げられるが、金属材料を用いる場合は、光透過率が５０％以上となるような膜厚とすることが好ましい。
内部電極は単一化合物で形成されてもよいし、複数の化合物で形成されてもよい。また、単層であっても積層構造を有していてもよい。
【０４０５】
内部電極の形成方法は、特に限定されるものではないが、前述の一対の電極の形成方法と同様の方法を用いることができ、好ましい方法も同様である。
【０４０６】
本発明の発光素子は、発光効率を上げる目的で、前述の中間接触層に加えて、機能層を前記発光ユニットに隣接させて設けてもよい。
【０４０７】
前記機能層としては、正孔注入層・輸送層、電子注入層・輸送層、電子・正孔ブロック層等を設けることができる。
【０４０８】
（正孔注入層、正孔輸送層）
正孔注入層、正孔輸送層は、陽極又は陽極側から正孔を受け取り陰極側に輸送する機能を有する層である。これらの層に用いる正孔注入材料、正孔輸送材料は、低分子化合物であっても高分子化合物であってもよい。
具体的には、ピロール誘導体、インドール誘導体、カルバゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、フタロシアニン系化合物、ポルフィリン系化合物、チオフェン誘導体、有機シラン誘導体、カーボン、等を含有する層であることが好ましい。
【０４０９】
本発明の有機ＥＬ素子の正孔注入層あるいは正孔輸送層には、電子受容性ドーパントを含有させることができる。正孔注入層、あるいは正孔輸送層に導入する電子受容性ドーパントとしては、電子受容性で有機化合物を酸化する性質を有すれば、無機化合物でも有機化合物でも使用できる。
【０４１０】
具体的には、無機化合物は塩化第二鉄や塩化アルミニウム、塩化ガリウム、塩化インジウム、五塩化アンチモンなどのハロゲン化金属、五酸化バナジウム、および三酸化モリブデンなどの金属酸化物などが挙げられる。
【０４１１】
有機化合物の場合は、置換基としてニトロ基、ハロゲン、シアノ基、トリフルオロメチル基などを有する化合物、キノン系化合物、酸無水物系化合物、フラーレンなどを好適に用いることができる。
この他にも、特開平６−２１２１５３、特開平１１−１１１４６３、特開平１１−２５１０６７、特開２０００−１９６１４０、特開２０００−２８６０５４、特開２０００−３１５５８０、特開２００１−１０２１７５、特開２００１−１６０４９３、特開２００２−２５２０８５、特開２００２−５６９８５、特開２００３−１５７９８１、特開２００３−２１７８６２、特開２００３−２２９２７８、特開２００４−３４２６１４、特開２００５−７２０１２、特開２００５−１６６６３７、特開２００５−２０９６４３等に記載の化合物を好適に用いることが出来る。
【０４１２】
このうちヘキサシアノブタジエン、ヘキサシアノベンゼン、テトラシアノエチレン、テトラシアノキノジメタン、テトラフルオロテトラシアノキノジメタン、ｐ−フルオラニル、ｐ−クロラニル、ｐ−ブロマニル、ｐ−ベンゾキノン、２，６−ジクロロベンゾキノン、２，５−ジクロロベンゾキノン、１，２，４，５−テトラシアノベンゼン、１，４−ジシアノテトラフルオロベンゼン、２，３−ジクロロ−５，６−ジシアノベンゾキノン、ｐ−ジニトロベンゼン、ｍ−ジニトロベンゼン、ｏ−ジニトロベンゼン、１，４−ナフトキノン、２，３−ジクロロナフトキノン、１，３−ジニトロナフタレン、１，５−ジニトロナフタレン、９，１０−アントラキノン、１，３，６，８−テトラニトロカルバゾール、２，４，７−トリニトロ−９−フルオレノン、２，３，５，６−テトラシアノピリジン、またはフラーレンＣ６０が好ましく、ヘキサシアノブタジエン、ヘキサシアノベンゼン、テトラシアノエチレン、テトラシアノキノジメタン、テトラフルオロテトラシアノキノジメタン、ｐ−フルオラニル、ｐ−クロラニル、ｐ−ブロマニル、２，６−ジクロロベンゾキノン、２，５−ジクロロベンゾキノン、２，３−ジクロロナフトキノン、１，２，４，５−テトラシアノベンゼン、２，３−ジクロロ−５，６−ジシアノベンゾキノン、または２，３，５，６−テトラシアノピリジンがより好ましく、テトラフルオロテトラシアノキノジメタンが特に好ましい。
【０４１３】
これらの電子受容性ドーパントは、単独で用いてもよいし、２種以上を用いてもよい。電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。
【０４１４】
正孔注入層、正孔輸送層の厚さは、駆動電圧を下げるという観点から、各々５００ｎｍ以下であることが好ましい。
正孔輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのが更に好ましい。
正孔注入層、正孔輸送層は、上述した材料の１種又は２種以上からなる単層構造であってもよいし、同一組成又は異種組成の複数層からなる多層構造であってもよい。
【０４１５】
（電子注入層、電子輸送層）
電子注入層、電子輸送層は、陰極又は陰極側から電子を受け取り陽極側に輸送する機能を有する層である。これらの層に用いる電子注入材料、電子輸送材料は低分子化合物であっても高分子化合物であってもよい。
具体的には、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、シロールに代表される有機シラン誘導体、等を含有する層であることが好ましい。
【０４１６】
本発明の有機ＥＬ素子の電子注入層あるいは電子輸送層には、電子供与性ドーパントを含有させることができる。電子注入層、あるいは電子輸送層に導入される電子供与性ドーパントとしては、電子供与性で有機化合物を還元する性質を有していればよく、Ｌｉなどのアルカリ金属、Ｍｇなどのアルカリ土類金属、希土類金属を含む遷移金属や還元性有機化合物などが好適に用いられる。金属としては、特に仕事関数が４．２ｅＶ以下の金属が好適に使用でき、具体的には、Ｌｉ、Ｎａ、Ｋ、Ｂｅ、Ｍｇ、Ｃａ、Ｓｒ、Ｂａ、Ｙ、Ｃｓ、Ｌａ、Ｓｍ、Ｇｄ、およびＹｂなどが挙げられる。また、還元性有機化合物としては、例えば、含窒素化合物、含硫黄化合物、含リン化合物などが挙げられる。
この他にも、特開平６−２１２１５３、特開２０００−１９６１４０、特開２００３−６８４６８、特開２００３−２２９２７８、特開２００４−３４２６１４等に記載の材料を用いることが出来る。
【０４１７】
これらの電子供与性ドーパントは、単独で用いてもよいし、２種以上を用いてもよい。電子供与性ドーパントの使用量は、材料の種類によって異なるが、電子輸送層材料に対して０．１質量％〜９９質量％であることが好ましく、１．０質量％〜８０質量％であることが更に好ましく、２．０質量％〜７０質量％であることが特に好ましい。
【０４１８】
電子注入層、電子輸送層の厚さは、駆動電圧を下げるという観点から、各々５００ｎｍ以下であることが好ましい。
電子輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが更に好ましい。
電子注入層、電子輸送層は、上述した材料の１種又は２種以上からなる単層構造であってもよいし、同一組成又は異種組成の複数層からなる多層構造であってもよい。
【０４１９】
（正孔ブロック層）
正孔ブロック層は、陽極側から発光層に輸送された正孔が、陰極側に通りぬけることを防止する機能を有する層である。本発明において、発光層と陰極側で隣接する有機化合物層として、正孔ブロック層を設けることができる。
正孔ブロック層を構成する化合物の例としては、ＢＡｌｑ等のアルミニウム錯体、トリアゾール誘導体、ＢＣＰ等のフェナントロリン誘導体、等が挙げられる。
正孔ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の１種又は２種以上からなる単層構造であってもよいし、同一組成又は異種組成の複数層からなる多層構造であってもよい。
【０４２０】
（電子ブロック層）
電子ブロック層は、陰極側から発光層に輸送された電子が、陽極側に通りぬけることを防止する機能を有する層である。本発明において、発光層と陽極側で隣接する有機化合物層として、電子ブロック層を設けることができる。
電子ブロック層を構成する化合物の例としては、例えば前述の正孔輸送材料として挙げたものが適用できる。
電子ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の１種又は２種以上からなる単層構造であってもよいし、同一組成又は異種組成の複数層からなる多層構造であってもよい。
（保護層）
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２等の金属酸化物、ＳｉＮｘ、ＳｉＮｘＯｙ等の金属窒化物、ＭｇＦ２、ＬｉＦ、ＡｌＦ３、ＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０４２１】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【０４２２】
（封止）
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、および酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、およびシリコーンオイル類が挙げられる。
【０４２３】
また、下記に示す、樹脂封止層にて封止する方法も好適に用いられる。
（樹脂封止層）
本発明の機能素子は樹脂封止層により大気との接触により、酸素や水分による素子性能の劣化を抑制することが好ましい。
＜素材＞
樹脂封止層の樹脂素材としては、特に限定されることはなく、アクリル樹脂、エポキシ樹脂、フッ素系樹脂、シリコン系樹脂、ゴム系樹脂、またはエステル系樹脂等を用いることができるが、中でも水分防止機能の点からエポキシ樹脂が好ましい。エポキシ樹脂の中でも熱硬化型エポキシ樹脂、または光硬化型エポキシ樹脂が好ましい。
＜作製方法＞
樹脂封止層の作製方法は特に限定されることはなく、例えば、樹脂溶液を塗布する方法、樹脂シートを圧着または熱圧着する方法、蒸着やスパッタリング等により乾式重合する方法が挙げられる。
＜膜厚み＞
樹脂封止層の厚みは１μｍ以上、１ｍｍ以下が好ましい。更に好ましくは５μｍ以上、１００μｍ以下であり、最も好ましくは１０μｍ以上５０μｍ以下である。これよりも薄いと、第２の基板を装着時に上記無機膜を損傷する恐れがある。またこれよりも厚いと電界発光素子自体の厚みが厚くなり、有機電界発光素子の特徴である薄膜性を損なうことになる。
【０４２４】
（封止接着剤）
本発明に用いられる封止接着剤は、端部よりの水分や酸素の侵入を防止する機能を有する。
＜素材＞
前記封止接着剤の材料としては、前記樹脂封止層で用いる材料と同じものを用いることができる。中でも、水分防止の点からエポキシ系の接着剤が好ましく、中でも光硬化型接着剤あるいは熱硬化型接着剤が好ましい。
【０４２５】
また、上記材料にフィラーを添加することも好ましい。
封止剤に添加されているフィラーとしては、ＳｉＯ２、ＳｉＯ（酸化ケイ素）、ＳｉＯＮ（酸窒化ケイ素）またはＳｉＮ（窒化ケイ素）等の無機材料が好ましい。フィラーの添加により、封止剤の粘度が上昇し、加工適正が向上し、および耐湿性が向上する。
【０４２６】
＜乾燥剤＞
封止接着剤は乾燥剤を含有しても良い。乾燥剤としては、酸化バリウム、酸化カルシウム、または酸化ストロンチウムが好ましい。
封止接着剤に対する乾燥剤の添加量は、０．０１質量％以上２０質量％以下であることが好ましく、更に好ましくは０．０５質量％以上１５質量％以下である。これよりも少ないと、乾燥剤の添加効果が薄れることになる。またこれよりも多い場合には封止接着剤中に乾燥剤を均一分散させることが困難になり好ましくない。
＜封止接着剤の処方＞
・ポリマー組成、濃度、
封止接着剤としては特に限定されることはなく、前記のものを用いることができる。例えば光硬化型エポキシ系接着剤としては長瀬ケムテック（株）製のＸＮＲ５５１６を挙げることができる。そこに直接前記乾燥剤を添加し、分散せしめれば良い。
・厚み
封止接着剤の塗布厚みは１μｍ以上１ｍｍ以下であることが好ましい。これよりも薄いと封止接着剤を均一に塗れなくなり好ましくない。またこれよりも厚いと、水分が侵入する道筋が広くなり好ましくない。
＜封止方法＞
本発明においては、上記乾燥剤の入った封止接着剤をディスペンサー等により任意量塗布し、塗布後第２基板を重ねて、硬化させることにより機能素子を得ることができる。
【０４２７】
（駆動）
本発明の有機電界発光素子は、陽極と陰極との間に直流（必要に応じて交流成分を含んでもよい）電圧、又は直流電流を印加することにより、発光を得ることができる。
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【０４２８】
本発明における有機電界発光素子の駆動耐久性は、特定の輝度における輝度半減時間（耐久性半減時間）により測定することができる。例えば、ＫＥＩＴＨＬＥＹ社製ソースメジャーユニット２４００型を用いて、直流電圧を有機ＥＬ素子に印加し発光させ、連続駆動試験をおこない、輝度が半分になった時間を耐久性半減時間Ｔ（１／２）として、該半減時間を従来発光素子と比較することにより求めることができる。本発明においては、この数値を用いた。
【０４２９】
（用途）
本発明の有機電界発光素子の用途は特に限定されないが、照明光源、記録光源、露光光源、読み取り光源、ディスプレイ、バックライト、電子写真、標識、看板、インテリア、光通信等の分野に好適に使用できる。
【実施例】
【０４３０】
以下に、本発明について、実施例により具体的に説明するが、本発明はこれらに限定されるものではない。
【０４３１】
実施例１．
１．有機ＥＬ素子の作製
１）比較の素子Ａの作製
０．５ｍｍ厚み、２．５ｃｍ角のＩＴＯ膜を有するガラス基板（ジオマテック社製、表面抵抗１０Ω／□）を洗浄容器に入れ、２−プロパノール中で超音波洗浄した後、３０分間ＵＶ−オゾン処理を行った。
この透明陽極（ＩＴＯ膜）上に真空蒸着法にて下記層を順に設けた。
＜第１の発光ユニット＞
正孔輸送層：Ｎ，Ｎ’−ｂｉｓ（ｎａｐｈｔｈａｌｅｎｅ−１−ｙｌ）−Ｎ，Ｎ’−ｂｉｓ（ｐｈｅｎｙｌ）−ｓｐｉｒｏ（スピロ−ＮＰＢと略記）を７０ｎｍの厚みに蒸着した。
第１発光層：スピロ−ＤＰＶＢｉを７０ｎｍの厚みに蒸着した。
電子注入輸送層：バソクプロイン（ＢＣＰと略記）およびＣｓをＢＣＰとＣｓがモル比で１：１となるように共蒸着した。蒸着厚みは１０ｎｍであった。
【０４３２】
中間接触層：Ｖ２０５を３０ｎｍ設けて中間接触層を形成した。
【０４３３】
＜第２の発光ユニット＞
正孔輸送層：４，４’−ビス［Ｎ−（１−ナフチル）−Ｎ−フェニルアミノ］ビフェニル（α−ＮＰＤと略記）を７０ｎｍ蒸着した。
第２発光層：トリス（８−ヒドロキシキノリナート）アルミニウム（Ａｌｑ３と略記）および１０−（２−ベンゾチアゾリル）−２，３，６，７−テトラヒドロ−１，１，７，７−テトラメチル１−１Ｈ，５Ｈ，１１Ｈ−〔１〕ベンゾピラノ〔６，７，８，ｉｊ〕キノリジン−１１−オン）（Ｃ５４５Ｔと略称する）をＣ５４５ＴがＡｌｑ３に対して１質量％となるように共蒸着した。蒸着厚みは６０ｎｍであった。
【０４３４】
【化６４】
2009016184.tif 000065
【０４３５】
【化６５】
2009016184.tif 000066
【０４３６】
電子注入／輸送層：バソクプロイン（ＢＣＰと略記）およびＣｓをＢＣＰとＣｓがモル比で１：１となるように共蒸着した。蒸着厚みは１０ｎｍであった。
【０４３７】
中間接触層：Ｖ２０５を３０ｎｍ設けて中間接触層を形成した。
【０４３８】
＜第３の発光ユニット＞
正孔輸送層：４，４’−ビス［Ｎ−（１−ナフチル）−Ｎ−フェニルアミノ］ビフェニル（α−ＮＰＤと略記）を７０ｎｍ蒸着した。
第３発光層：トリス（８−ヒドロキシキノリナート）アルミニウム（Ａｌｑ３と略記）およびＤＣＪＴＢをＤＣＪＴＢがＡｌｑ３に対して１質量％となるように共蒸着した。蒸着厚みは４０ｎｍであった。
【０４３９】
【化６６】
2009016184.tif 000067
【０４４０】
電子注入／輸送層：バソクプロイン（ＢＣＰと略記）およびＣｓをＢＣＰとＣｓがモル比で１：１となるように共蒸着した。蒸着厚みは２０ｎｍであった。
【０４４１】
この上に、アルミニウム１００ｎｍを蒸着し、３つの発光ユニットを有する比較の有機ＥＬ素子Ａを作製した。
【０４４２】
２）比較の素子Ｂの作製
比較の素子Ａにおいて、第１〜第３の発光ユニットの第１発光層を下記に変更し、それ以外は比較の素子Ａと同様にして、比較の素子Ｂを作製した。
第１の発光ユニット：第１発光層として下記を用いた。
１，３−ｂｉｓ（Ｎ−ｃａｒｂａｚｏｌｙｌ）ｂｅｎｚｅｎｅ（ｍＣＰと略称）およびＩｒｉｄｉｕｍ（III）ｂｉｓ（４，６−（ｄｉ−ｆｌｕｏｒｏｐｈｅｎｙｌ）−ｐｙｒｉｄｉｎａｔｅ−Ｎ，Ｃ２’）ｐｉｃｏｌｉｎａｔｅ（ＦＩｒｐｉｃと略称）をＦＩｒｐｉｃがｍＣＰに対して１０質量％となるように蒸着した。蒸着厚みは７０ｎｍであった。
第２の発光ユニット：第２発光層として下記を用いた。
４，４’−ｄｉ−（Ｎ−ｃａｒｂａｚｏｌｅ）−ｂｉｐｈｅｎｙｌ（ＣＢＰと略称）およびｆａｃ−ｔｒｉｓ−（２−ｐｈｅｎｙｌｐｙｒｉｄｉｎａｔｅ−Ｎ，Ｃ２’）Ｉｒｉｄｉｕｍ（III）（Ｉｒ（ｐｐｙ）３と略称）をＩｒ（ｐｐｙ）３がＣＢＰに対して１０質量％となるように共蒸着した。蒸着厚みは６０ｎｍであった。
第３の発光ユニット：第３発光層として下記を用いた。
Ａｌｕｍｉｎｕｍ（III）ｂｉｓ（２−ｍｅｔｈｙｌ−８−ｑｕｉｎｏｌａｔｏ）−４−ｐｈｅｎｙｌｐｈｅｎｏｌａｔｅ（ＢＡｌｑと略称）およびＩｒ（ｐｉｑ）３をＩｒ（ｐｉｑ）３がＢＡｌｑに対して１０質量％となるように共蒸着した。蒸着厚みは４０ｎｍであった。
【０４４３】
３）比較の素子Ｃの作製
比較の素子Ａにおいて、第１〜第３の発光ユニットを除き、代わりに下記の単一の発光ユニットに変更し、それ以外は比較の素子Ａと同様にして、比較の素子Ｃを作製した。
発光ユニット：３層の連続した発光層および電子輸送層より構成。各層は中間接触層によって隔離されていないので、単一の発光層を構成する。
第１発光層：ｍＣＰおよび白金錯体Ａを白金錯体ＡがｍＣＰに対して１０質量％となるように蒸着した。蒸着厚みは２５ｎｍであった。
第２発光層：ＣＢＰおよび白金錯体Ｂを白金錯体ＢがＣＢＰに対して１０質量％となるように共蒸着した。蒸着厚みは２５ｎｍであった。
第３発光層：ＢＡｌｑおよび白金錯体Ｃを白金錯体ＣがＢＡｌｑに対して１０質量％となるように共蒸着した。蒸着厚みは２０ｎｍであった。
電子輸送層：ＢＡｌｑを厚み１０ｎｍに蒸着した。
電子注入層：ＢＣＰおよびＣｓをＢＣＰに対してＣｓがモル比で１：１となるように共蒸着した。蒸着厚みは２０ｎｍであった。
【０４４４】
４）本発明の素子１の作製
比較の素子Ａにおいて、第１〜第３の発光ユニットを除き、代わりに下記の第１の発光ユニットおよび第２の発光ユニットに変更し、それ以外は比較の素子Ａと同様にして、本発明の素子１を作製した。
【０４４５】
＜第１の発光ユニット＞
順に下記層を積層した。
第１発光層：ＣＢＰおよび白金錯体Ｂを白金錯体ＢがＣＢＰに対して１０質量％となるように蒸着した。蒸着厚みは７０ｎｍであった。
電子輸送層：ＢＡｌｑを厚み１０ｎｍに蒸着した。
電子注入層：ＢＣＰおよびＣｓをＢＣＰとＣｓがモル比で１：１となるように共蒸着した。蒸着厚みは１０ｎｍであった。
【０４４６】
中間接触層：Ｖ２０５を３０ｎｍ設けて中間接触層を形成した。
【０４４７】
＜第２の発光ユニット＞
順に下記層を積層した。
正孔輸送層：α−ＮＰＤを厚み７０ｎｍに蒸着した。
第２発光層：ＢＡｌｑおよび白金錯体Ｃを白金錯体ＣがＢＡｌｑに対して１０質量％となるように蒸着した。蒸着厚みは４０ｎｍであった。
電子輸送層：ＢＡｌｑを厚み１０ｎｍに蒸着した。
電子注入層：ＢＣＰおよびＣｓをＢＣＰに対してＣｓがモル比で１：１となるように共蒸着した。蒸着厚みは２０ｎｍであった。
【０４４８】
第１の発光ユニットの発光のピーク波長は５０３ｎｍであった。第２の発光ユニットの発光のピーク波長は６１６ｎｍであった。
【０４４９】
用いた化合物の構造を下記に示す。
【０４５０】
【化６７】
2009016184.tif 000068
【０４５１】
【化６８】
2009016184.tif 000069
【０４５２】
【化６９】
2009016184.tif 000070
【０４５３】
２．性能評価
得られた比較有機ＥＬ素子および本発明の有機ＥＬ素子を同一条件で下記の手段によって外部量子効率および駆動耐久性を測定した。
【０４５４】
《外部量子効率の測定方法》
作製した発光素子をＫＥＩＴＨＬＥＹ製ソ−スメジャ−ユニット２４００型を用いて、直流電圧を発光素子に印加し輝度１，０００ｃｄ／ｍ２に発光させた。その発光スペクトルと光量をトプコン社製輝度計ＳＲ−３を用いて測定し、発光スペクトル、光量と測定時の電流から外部量子効率を計算した。さらに高輝度発光時の外部量子効率を５，０００ｃｄ／ｍ２に発光させて測定した。
【０４５５】
《駆動耐久性率の測定方法》
各素子を輝度１，０００ｃｄ／ｍ２になるように直流電圧を印加し、連続駆動して輝度が５００ｃｄ／ｍ２になるまでの輝度半減時間を測定した。この輝度半減時間をもってして駆動耐久性の指標とした。さらに高輝度発光時の駆動耐久性を初期輝度５，０００ｃｄ／ｍ２で測定した。
【０４５６】
《発光色の観察》
輝度１，０００ｃｄ／ｍ２に発光させた初期発光色、および１，０００時間連続発光後の発光色を視覚により観察し、発光色の耐久安定性を評価した。
【０４５７】
得られた結果を表１に示した。比較有機ＥＬ素子Ａ〜Ｃに対して本発明の有機ＥＬ素子１は外部量子効率が高くかつ駆動耐久性に優れていた。特に、比較の素子Ｃに比べて本発明の素子１は、高輝度発光（５，０００ｃｄ／ｍ２）における外部量子効率および駆動耐久性が顕著に優れていた。また、比較有機ＥＬ素子Ａ〜Ｃは連続駆動すると発光色が発光初期に比べて変化するのに対して本発明の有機ＥＬ素子１は、発光色の変化がなく、安定した発光色を継続した。
【０４５８】
【表１】
2009016184.tif 000071
【０４５９】
実施例２．
１．本発明の素子２の作製
実施例１の本発明の素子１の作製において、白金錯体Ｃを用いたところを代わりにＩｒ（ｐｉｑ）３に変更し、それ以外は本発明の素子１と同様にして、本発明の素子２を作製した。Ｉｒ（ｐｉｑ）３を用いた発光ユニットの発光のピーク波長は６２０ｎｍであった。
【０４６０】
２．性能評価結果
実施例１と同様に評価した結果、同様に優れた性能を示した。
【０４６１】
【化７０】
2009016184.tif 000072

【０４６２】
実施例３．
１．本発明の素子３〜６の作製
実施例１の本発明の素子１の作製において、白金錯体Ｃを用いたところを代わりに下記の発光材料Ｐｔ−１〜Ｐｔ−４に変更し、それ以外は本発明の素子１と同様にして、本発明の素子３〜６を作製した。
【０４６３】
【化７１】
2009016184.tif 000073
【０４６４】
２．性能評価結果
実施例１と同様に評価した結果、本発明の素子３〜６は実施例１の本発明の素子同様に優れた性能を示した。
【０４６５】
実施例４．
１．本発明の素子１０の作製
実施例１の本発明の素子１の作製において、第１の発光ユニットおよび第２の発光ユニットを除き、代わりに順に下記の第１〜第３の発光ユニットを積層して、それ以外は本発明の素子１と同様にして、本発明の素子１０を作製した。
【０４６６】
＜第１の発光ユニット＞
順に下記層を積層した。
第１発光層：ｍＣＰおよび白金錯体Ａを白金錯体ＡがｍＣＰに対して１０質量％となるように蒸着した。蒸着厚みは７０ｎｍであった。
電子輸送層：ＢＡｌｑを厚み１０ｎｍに蒸着した。
電子注入／輸送層：ＢＣＰおよびＣｓをＢＣＰとＣｓがモル比で１：１となるように共蒸着した。蒸着厚みは１０ｎｍであった。
【０４６７】
中間接触層：Ｖ２０５を３０ｎｍ設けて中間接触層を形成した。
【０４６８】
＜第２の発光ユニット＞
順に下記層を積層した。
正孔輸送層：α−ＮＰＤを厚み７０ｎｍに蒸着した。
第２発光層：ＣＢＰおよび白金錯体Ｂを白金錯体ＢがＣＢＰに対して１０質量％となるように蒸着した。蒸着厚みは６０ｎｍであった。
電子輸送層：ＢＡｌｑを厚み１０ｎｍに蒸着した。
電子注入層：ＢＣＰおよびＣｓをＢＣＰとＣｓがモル比で１：１となるように共蒸着した。蒸着厚みは１０ｎｍであった。
【０４６９】
中間接触層：Ｖ２０５を３０ｎｍ設けて中間接触層を形成した。
【０４７０】
＜第３の発光ユニット＞
順に下記層を積層した。
正孔輸送層：α−ＮＰＤを厚み７０ｎｍに蒸着した。
第３発光層：ＢＡｌｑおよび白金錯体Ｃを白金錯体ＣがＢＡｌｑに対して１０質量％となるように蒸着した。蒸着厚みは４０ｎｍであった。
電子輸送層：ＢＡｌｑを厚み１０ｎｍに蒸着した。
電子注入層：ＢＣＰおよびＣｓをＢＣＰとＣｓがモル比で１：１となるように共蒸着した。蒸着厚みは２０ｎｍであった。
【０４７１】
第１の発光ユニットの発光のピーク波長は４５６ｎｍ、第２の発光ユニットの発光のピーク波長は５０３ｎｍ、第３の発光ユニットの発光のピーク波長は６１６ｎｍであった。
【０４７２】
２．性能評価結果
実施例１と同様に評価した結果、本発明の有機ＥＬ素子１０は、輝度１０００ｃｄ／ｍ２における外部量子効率が１６％と高く、かつ輝度半減時間が７８００時間と高い駆動耐久性を示した。特に、本発明の素子１０は、高輝度発光（５，０００ｃｄ／ｍ２）における外部量子効率が１４％、かつ輝度半減時間が１１００時間であり高輝度においても顕著に優れていた。また、発光色は駆動初期に白色であり、１０００時間連続駆動した後でも白色であり、発光色の変化がなく、安定した発光色を継続した。
【０４７３】
実施例５．
１．本発明の素子１１の作製
実施例４の本発明の素子１０の製造において、白金錯体Ｃの代わりにＩｒ（ｐｉｑ）３を用いて本発明の素子１１を作製した。
【０４７４】
２．性能評価結果
実施例４と同様に評価した結果、同様に優れた性能を示した。
【０４７５】
実施例６．
１．本発明の素子１２〜１９の作製
＜本発明の素子１２〜１５の作製＞
実施例４の本発明の素子１０の作製において、白金錯体Ｃを用いたところを代わりに実施例３で用いた発光材料Ｐｔ−１〜Ｐｔ−４に変更し、それ以外は本発明の素子１０と同様にして、本発明の素子１２〜１５を作製した。
【０４７６】
＜本発明の素子１６〜１９の作製＞
実施例４の本発明の素子１０の作製において、白金錯体Ａを用いたところを代わりに下記の発光材料Ｐｔ−５，Ｐｔ−６，Ｐｔ−７，およびＩｒ−１に変更し、それ以外は本発明の素子１０と同様にして、本発明の素子１６〜１９を作製した。
【０４７７】
２．性能評価
得られた素子１２〜１９について実施例１と同様に評価した結果、本発明素子１２〜１９はいずれも同様に優れた性能を示した。
【０４７８】
【化７２】
2009016184.tif 000074
【０４７９】
実施例７．
１．本発明の素子２０の作製
３つの発光ユニットをサブピクセルとして平面上に直列に電気的に連結した本発明の素子を作製した。
実施例４の本発明の素子１０の作製において、第１〜第３の発光ユニットを積層する代わりに、下記の青色サブピクセル、緑色サブピクセル、赤色サブピクセルを平面上に連結して１画素とした。それ以外は本発明の素子１０と同様にして、本発明の素子２０を作製した。
【０４８０】
１）青色サブピクセル
＜第１の発光ユニット＞
順に下記層を積層した。
第１発光層：ｍＣＰおよび白金錯体Ａを白金錯体ＡがｍＣＰに対して１０質量％となるように蒸着した。蒸着厚みは７０ｎｍであった。
電子輸送層：ＢＡｌｑを厚み１０ｎｍに蒸着した。
電子注入層：ＢＣＰおよびＣｓをＢＣＰとＣｓがモル比で１：１となるように共蒸着した。蒸着厚みは１０ｎｍであった。
【０４８１】
中間接触層：Ｖ２０５を３０ｎｍ設けて中間接触層を形成した。
【０４８２】
＜第２の発光ユニット＞
正孔輸送層：スピロ−ＮＰＢを厚み７０ｎｍに蒸着した。
第２発光層：ｍＣＰおよび白金錯体Ａを白金錯体ＡがｍＣＰに対して１０質量％となるように蒸着した。蒸着厚みは７０ｎｍであった。
電子輸送層：ＢＡｌｑを厚み１０ｎｍに蒸着した。
電子層：ＢＣＰおよびＣｓをＢＣＰとＣｓがモル比で１：１％となるように共蒸着した。蒸着厚みは２０ｎｍであった。
【０４８３】
２）緑色サブピクセル
＜第１の発光ユニット＞
順に下記層を積層した。
正孔輸送層：α−ＮＰＤを厚み７０ｎｍに蒸着した。
第１発光層：ＣＢＰおよび白金錯体Ｂを白金錯体ＢがＣＢＰに対して１０質量％となるように蒸着した。蒸着厚みは７０ｎｍであった。
電子輸送層：ＢＡｌｑを厚み１０ｎｍに蒸着した。
電子注入層：ＢＣＰおよびＣｓをＢＣＰとＣｓがモル比で１：１となるように共蒸着した。蒸着厚みは１０ｎｍであった。
【０４８４】
中間接触層：Ｖ２０５を３０ｎｍ設けて中間接触層を形成した。
【０４８５】
＜第２の発光ユニット＞
順に下記層を積層した。
正孔輸送層：α−ＮＰＤを厚み７０ｎｍに蒸着した。
第２発光層：ＣＢＰおよび白金錯体Ｂを白金錯体ＢがＣＢＰに対して１０質量％となるように蒸着した。蒸着厚みは７０ｎｍであった。
電子輸送層：ＢＡｌｑを厚み１０ｎｍに蒸着した。
電子注入層：ＢＣＰおよびＣｓをＢＣＰとＣｓがモル比で１：１となるように共蒸着した。蒸着厚みは２０ｎｍであった。
【０４８６】
３）赤色サブピクセル
＜第１の発光ユニット＞
順に下記層を積層した。
正孔輸送層：α−ＮＰＤを厚み７０ｎｍに蒸着した。
第１発光層：ＢＡｌｑおよび白金錯体Ｃを白金錯体ＣがＢＡｌｑに対して１０質量％となるように蒸着した。蒸着厚みは４０ｎｍであった。
電子輸送層：ＢＡｌｑを厚み１０ｎｍに蒸着した。
電子注入層：ＢＣＰおよびＣｓをＢＣＰとＣｓがモル比で１：１となるように共蒸着した。蒸着厚みは２０ｎｍであった。
【０４８７】
中間接触層：Ｖ２０５を３０ｎｍ設けて中間接触層を形成した。
【０４８８】
＜第２の発光ユニット＞
正孔輸送層：α−ＮＰＤを厚み７０ｎｍに蒸着した。
第２発光層：ＢＡｌｑおよび白金錯体Ｃを白金錯体ＣがＢＡｌｑに対して１０質量％となるように蒸着した。蒸着厚みは４０ｎｍであった。
電子輸送層：ＢＡｌｑを厚み１０ｎｍに蒸着した。
電子注入層：ＢＣＰおよびＣｓをモル比で１：１となるように共蒸着した。蒸着厚みは２０ｎｍであった。
【０４８９】
２．性能評価結果
青色サブピクセルの発光のピーク波長は４５６ｎｍ、緑色サブピクセルの発光のピーク波長は５０３ｎｍ、赤色サブピクセルの発光のピーク波長は６１６ｎｍであった。
これらの光が混合して得られる画素の光は白色であった。
得られた素子は、実施例５，６の本発明の素子と同様に、外部量子効率が高く、高い駆動耐久性を示した。また、高輝度発光における外部量子効率が高く、かつ高輝度においても駆動耐久性が顕著に優れていた。また、発光色は駆動初期に白色であり、１０００時間連続駆動した後でも白色であり、発光色の変化がなく、安定した発光色を継続した。
【０４９０】
実施例８．
１．本発明の素子の作製
実施例５〜７の本発明の素子における中間接触層のＶ２０５をＭｏＯ３、Ｒｅ２Ｏ７、α−ＮＰＤ＋Ｖ２０５、α−ＮＰＤ＋ＭｏＯ３、α−ＮＰＤ＋Ｒｅ２Ｏ７、２−ＴＮＡＴＡ＋Ｆ４ＴＣＮＱ、スピロ−ＮＰＤ＋Ｖ２０５、Ｍｇ−Ａｇ、又はＩＴＯに変更した本発明の素子を作製した。
【０４９１】
２．性能評価結果
実施例５〜７と同様に評価した結果、同様に優れた性能を示した。
【図面の簡単な説明】
【０４９２】
【図１】中間接触層として電荷発生層を有する本発明の有機電界発光素子の一例を示す概略構成図である。
【図２】中間接触層として内部電極を有する本発明の有機電界発光素子の別の一例を示す概略構成図である。
【符号の説明】
【０４９３】
１０、２０  陽極
１１、２１  発光ユニット１
１２ａ  中間接触層１（電荷発生層１）
２２ｂ  中間接触層１（内部電極１）
１３、２３  発光ユニット２
１４ａ  中間接触層２（電荷発生層２）
２４ｂ  中間接触層２（内部電極２）
１５、２５  発光ユニット３
１６、２６  発光ユニットｎ
１７、２７  陰極
１８、２８−１〜２８−ｎ  電源
【図１】
2009016184.tif 000078
【図２】
2009016184.tif 000079